(57)【要約】【課題】８Ｋ又は４Ｋの映像信号を１００Ｇｂｐｓのイーサネット用デバイスで伝送する。【解決手段】信号処理部は、８Ｋ又は４Ｋの映像信号を所定のＳＤＩのフォーマットで規定されるデータストリームである複数のチャンネルのＳＤＩデータストリームにマッピングするマッピング部と、複数のチャンネルのＳＤＩデータストリームに対して所定のビット単位で８Ｂ／１０Ｂ変換又はスクランブルを行い、８Ｂ／１０Ｂ変換又はスクランブル後の複数のチャンネルのＳＤＩデータストリームを多重化することにより、ビットレートが２５Ｇｂｐｓから２８．３Ｇｂｐｓの範囲内の複数のレーンのシリアルのデータストリームを生成する多重部とを備える。本開示は、例えば、放送用カメラに適用することができる。【選択図】図５
2015076704.tif 000002
【特許請求の範囲】
【請求項１】
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と
を備える信号処理装置。
【請求項２】
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
請求項１に記載の信号処理装置。
【請求項３】
前記マッピング部は、８Ｋの４８Ｐ−６０Ｐ／４：２：２／１０ビットの映像信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット単位でスクランブルを行うとともに、８Ｂ／１０Ｂ変換又はスクランブル後の３２チャンネルの前記第１のＳＤＩデータストリーム又は１６チャンネルの前記第２のＳＤＩデータストリームを多重化することにより、２レーンの前記シリアルのデータストリームを生成する
請求項１に記載の信号処理装置。
【請求項４】
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位でスクランブルを行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、スクランブル又は８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
請求項１に記載の信号処理装置。
【請求項５】
前記マッピング部は、４Ｋの４８Ｐ−６０Ｐ／４：４：４／１６ビットのＲＡＷ信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の３２チャンネルの前記第１のＳＤＩデータストリーム又は１６チャンネルの前記第２のＳＤＩデータストリームを多重化することにより、２レーンの前記シリアルのデータストリームを生成する
請求項１に記載の信号処理装置。
【請求項６】
前記マッピング部は、８Ｋ又は４Ｋの９６Ｐ−１２０Ｐの映像信号を２フレーム単位で複数のチャンネルの前記ＳＤＩデータストリームにマッピングする
請求項１に記載の信号処理装置。
【請求項７】
前記マッピング部は、８Ｋの５０Ｐ−６０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、４レーンの前記シリアルのデータストリームを生成する
請求項１に記載の信号処理装置。
【請求項８】
前記マッピング部は、８Ｋの１００Ｐ−１２０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、８レーンの前記シリアルのデータストリームを生成する
請求項１に記載の信号処理装置。
【請求項９】
前記多重部は、前記シリアルのデータストリームのレーン数だけ設けられ、
各前記多重部は、
それぞれ１つの前記ＳＤＩデータストリームが入力され、入力された前記ＳＤＩデータストリームに対して所定のビット単位で８Ｂ／１０Ｂ変換又はスクランブルを行い、所定のビットのデータブロックを生成する複数の信号処理部と、
複数の前記信号処理部により生成された前記データブロックを所定の順序で多重化することにより、所定のワード長のパラレルのデータストリームを生成するデータストリーム生成部と、
前記パラレルのデータストリームをパラレル／シリアル変換することにより、前記シリアルのデータストリームを生成するパラレル／シリアル変換部と
を備える請求項１に記載の信号処理装置。
【請求項１０】
複数の前記信号処理部は、１４８．５ＭＨｚ又は１４８．５／１．００１ＭＨｚのクロック信号に同期して処理を行うとともに、４クロック毎に合計で７２０ビットのデータを出力し、
前記データストリーム生成部は、ｘＭＨｚのクロック信号に同期して動作するとともに、１クロック毎に１８０ビット×１４８．５ＭＨｚ÷ｘＭＨｚ（ビット）又は１８０ビット×１４８．５／１．００１ＭＨｚ÷ｘＭＨｚ（ビット）のパラレルのデータを出力する
請求項９に記載の信号処理装置。
【請求項１１】
前記データストリーム生成部は、前記シリアルのデータストリームの各ラインの先頭に所定の同期信号を多重する
請求項９に記載の信号処理装置。
【請求項１２】
前記マッピング部は、各前記ＳＤＩデータストリームの水平補助データ領域内に音声データを含む補助データを多重する領域を確保し、前記水平補助データ領域の残りの領域に、前記８Ｋ又は４Ｋの映像データの水平方向の余剰画素領域の画素サンプルのデータを多重する
請求項１に記載の信号処理装置。
【請求項１３】
前記マッピング部は、複数のチャンネルのうちの所定のチャンネルの前記ＳＤＩデータストリームの水平補助データ領域に音声データを含む補助データを多重し、前記補助データを多重するチャンネルと異なるチャンネルの前記ＳＤＩデータストリームの前記水平補助データ領域に、前記８Ｋ又は４Ｋの映像データの水平方向の余剰画素領域の画素サンプルのデータを多重する
請求項１に記載の信号処理装置。
【請求項１４】
複数のレーンの前記シリアルのデータストリームを波長多重して１００Ｇｂｐｓのイーサネット用デバイスを介して送信するように制御する送信制御部を
さらに備える請求項１に記載の信号処理装置。
【請求項１５】
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む信号処理方法。
【請求項１６】
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む処理をコンピュータに実行させるためのプログラム。
【請求項１７】
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号処理装置。
【請求項１８】
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む信号処理方法。
【請求項１９】
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む処理をコンピュータに実行させるためのプログラム。
【請求項２０】
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と、
複数のレーンの前記シリアルのデータストリームの送信を制御する送信制御部と
を備える信号送信装置と、
複数のレーンの前記シリアルのデータストリームの受信を制御する受信制御部と、
複数のレーンの前記シリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号受信装置と
を含む信号伝送システム。
【発明の詳細な説明】
【技術分野】
【０００１】
本技術は、信号処理装置、信号処理方法、プログラム、及び、信号伝送システムに関し、特に、例えば、８Ｋ又は４Ｋの映像信号を１００ギガビットイーサネット用デバイス（イーサネットは登録商標）により伝送する場合に用いて好適な信号処理装置、信号処理方法、プログラム、及び、信号伝送システムに関する。
【背景技術】
【０００２】
従来、１フレームが１９２０サンプル×１０８０ラインの現行のＨＤ（High Definition）の映像信号を超える超高精細映像信号の受像システムや撮像システムの開発が進んでいる。例えば、現行のＨＤで規定される画素数の１６倍又は４倍もの画素数を持つ次世代の８Ｋ又は４Ｋの映像信号の放送方式の標準化が、国際協会によって行われている。この国際協会には、ＩＴＵ（International Telecommunication Union）やＳＭＰＴＥ（Society of Motion Picture and Television Engineers）がある。また、８Ｋや４Ｋの映像信号に関する映像規格のうち、ＩＴＵで標準化されている映像規格はＬＳＤＩ（Large screen digital imagery）と呼ばれ、ＳＭＰＴＥに提案しているＵＨＤＴＶと呼ばれる。例えば、ＵＨＤＴＶに関しては、図１に示される映像信号が規定されている。
【０００３】
また、２０１２年８月にＩＴＵ勧告ＢＴ．２０２０が承認され、ＵＨＤＴＶの信号規格に広色域と１２０Ｐのフレームレートに関する規格が追加された。ＳＭＰＴＥではＳＭＰＴＥ２０３６−１にこれらのパラメータを追加改定する作業が行われている。
【０００４】
さらに、従来、フレームレートが５０Ｐ−６０Ｐを超えるＵＨＤＴＶの映像信号を、ＨＤ−ＳＤＩインタフェースや１０Ｇｂｐｓのシリアルインタフェースを利用してシリアル伝送する技術が開示されている（例えば、特許文献１参照）。
【先行技術文献】
【特許文献】
【０００５】
【特許文献１】特開２０１２−２４４４４１９号公報
【発明の概要】
【発明が解決しようとする課題】
【０００６】
ところで、最大伝送速度が４０Ｇ、１００Ｇビット／秒（１００Ｇｂｐｓ）のイーサネット（４０ＧｂＥ、１００ＧｂＥ）の規格であるＩＥＥＥ８０２．３ｂａが２０１０年に承認された。そこで、上述した８Ｋや４Ｋの映像信号を１００ＧｂＥ用デバイス（例えば、光モジュール等）で伝送できるようにすることが望まれている。
【０００７】
本技術はこのような状況に鑑みてなされたものであり、８Ｋ又は４Ｋの映像信号を１００ＧｂＥ用デバイスで伝送できるようにするものである。
【課題を解決するための手段】
【０００８】
本技術の第１の側面の信号処理装置は、８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部とを備える。
【０００９】
前記マッピング部には、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングさせ、前記多重部には、奇数又は偶数のいずれか一方のチャンネルの前記第１のＳＤＩデータストリーム又は前記第２のＳＤＩデータストリームに対して４０ビット単位で８Ｂ／１０Ｂ変換を行わせ、他方のチャンネルの前記第１のＳＤＩデータストリーム又は前記第２のＳＤＩデータストリームに対して４０ビット毎に３２ビットのデータを抽出させ、抽出したデータの８Ｂ／１０Ｂ変換を行わせるとともに、８Ｂ／１０Ｂ変換後の６４チャンネルの前記第１のＳＤＩデータストリーム又は３２チャンネルの前記第２のＳＤＩデータストリームを多重化させることにより、４レーンの前記シリアルのデータストリームを生成させることができる。
【００１０】
前記マッピング部には、８Ｋの４８Ｐ−６０Ｐ／４：２：２／１０ビットの映像信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングさせ、前記多重部には、奇数又は偶数のいずれか一方のチャンネルの前記第１のＳＤＩデータストリーム又は前記第２のＳＤＩデータストリームに対して４０ビット単位で８Ｂ／１０Ｂ変換を行わせ、他方のチャンネルの前記第１のＳＤＩデータストリーム又は前記第２のＳＤＩデータストリームに対して４０ビット単位でスクランブルを行わせるとともに、８Ｂ／１０Ｂ変換又はスクランブル後の３２チャンネルの前記第１のＳＤＩデータストリーム又は１６チャンネルの前記第２のＳＤＩデータストリームを多重化させることにより、２レーンの前記シリアルのデータストリームを生成させることができる。
【００１１】
前記マッピング部には、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングさせ、前記多重部には、奇数又は偶数のいずれか一方のチャンネルの前記第１のＳＤＩデータストリーム又は前記第２のＳＤＩデータストリームに対して４０ビット単位でスクランブルを行わせ、他方のチャンネルの前記第１のＳＤＩデータストリーム又は前記第２のＳＤＩデータストリームに対して４０ビット毎に３２ビットのデータを抽出させ、抽出させたデータの８Ｂ／１０Ｂ変換を行わせるとともに、スクランブル又は８Ｂ／１０Ｂ変換後の６４チャンネルの前記第１のＳＤＩデータストリーム又は３２チャンネルの前記第２のＳＤＩデータストリームを多重化させることにより、４レーンの前記シリアルのデータストリームを生成させることができる。
【００１２】
前記マッピング部には、４Ｋの４８Ｐ−６０Ｐ／４：４：４／１６ビットのＲＡＷ信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングさせ、前記多重部には、奇数又は偶数のいずれか一方のチャンネルの前記第１のＳＤＩデータストリーム又は前記第２のＳＤＩデータストリームに対して４０ビット単位で８Ｂ／１０Ｂ変換を行わせ、他方のチャンネルの前記第１のＳＤＩデータストリーム又は前記第２のＳＤＩデータストリームに対して４０ビット毎に３２ビットのデータを抽出させ、抽出させたデータの８Ｂ／１０Ｂ変換を行わせるとともに、８Ｂ／１０Ｂ変換後の３２チャンネルの前記第１のＳＤＩデータストリーム又は１６チャンネルの前記第２のＳＤＩデータストリームを多重化させることにより、２レーンの前記シリアルのデータストリームを生成させることができる。
【００１３】
前記マッピング部には、８Ｋ又は４Ｋの９６Ｐ−１２０Ｐの映像信号を２フレーム単位で複数のチャンネルの前記ＳＤＩデータストリームにマッピングさせることができる。
【００１４】
前記マッピング部には、８Ｋの５０Ｐ−６０Ｐ／４：４：４／１０ビット，１２ビットの映像信号をワード長が１２ビットの４８チャンネルの前記ＳＤＩデータストリームにマッピングさせ、前記多重部には、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、４レーンの前記シリアルのデータストリームを生成させることができる。
【００１５】
前記マッピング部には、８Ｋの１００Ｐ−１２０Ｐ／４：４：４／１０ビット，１２ビットの映像信号をワード長が１２ビットの４８チャンネルの前記ＳＤＩデータストリームにマッピングさせ、前記多重部には、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、８レーンの前記シリアルのデータストリームを生成させることができる。
【００１６】
前記多重部に、前記シリアルのデータストリームのレーン数だけ設け、各前記多重部には、それぞれ１つの前記ＳＤＩデータストリームが入力され、入力された前記ＳＤＩデータストリームに対して所定のビット単位で８Ｂ／１０Ｂ変換又はスクランブルを行い、所定のビットのデータブロックを生成する複数の信号処理部と、複数の前記信号処理部により生成された前記データブロックを所定の順序で多重化することにより、所定のワード長のパラレルのデータストリームを生成するデータストリーム生成部と、前記パラレルのデータストリームをパラレル／シリアル変換することにより、前記シリアルのデータストリームを生成するパラレル／シリアル変換部とを設けることができる。
【００１７】
複数の前記信号処理部には、１４８．５ＭＨｚ又は１４８．５／１．００１ＭＨｚのクロック信号に同期して処理を行わせるとともに、４クロック毎に合計で７２０ビットのデータを出力させ、前記データストリーム生成部には、ｘＭＨｚのクロック信号に同期して動作させるとともに、１クロック毎に１８０ビット×１４８．５ＭＨｚ÷ｘＭＨｚ（ビット）又は１８０ビット×１４８．５／１．００１ＭＨｚ÷ｘＭＨｚ（ビット）のパラレルのデータを出力させることができる。
【００１８】
前記データストリーム生成部には、前記シリアルのデータストリームの各ラインの先頭に所定の同期信号を多重させることができる。
【００１９】
前記マッピング部には、各前記ＳＤＩデータストリームの水平補助データ領域内に音声データを含む補助データを多重する領域を確保させ、前記水平補助データ領域の残りの領域に、前記８Ｋ又は４Ｋの映像データの水平方向の余剰画素領域の画素サンプルのデータを多重させることができる。
【００２０】
前記マッピング部には、複数のチャンネルのうちの所定のチャンネルの前記ＳＤＩデータストリームの水平補助データ領域に音声データを含む補助データを多重させ、前記補助データを多重するチャンネルと異なるチャンネルの前記ＳＤＩデータストリームの前記水平補助データ領域に、前記８Ｋ又は４Ｋの映像データの水平方向の余剰画素領域の画素サンプルのデータを多重させることができる。
【００２１】
複数のレーンの前記シリアルのデータストリームを波長多重して１００Ｇｂｐｓのイーサネット用デバイスを介して送信するように制御する送信制御部をさらに設けることができる。
【００２２】
本技術の第１の側面の信号処理方法は、８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成するステップを含む。
【００２３】
本技術の第１の側面のプログラムは、８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成するステップを含む処理をコンピュータに実行させる。
【００２４】
本技術の第２の側面の信号処理装置は、８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生するデータストリーム再生部と、複数のチャンネルの前記ＳＤＩデータストリームから前記８Ｋ又は４Ｋの映像信号を再生する映像再生部とを備える。
【００２５】
本技術の第２の側面の信号処理方法は、８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、複数のチャンネルの前記ＳＤＩデータストリームから前記８Ｋ又は４Ｋの映像信号を再生するステップを含む。
【００２６】
本技術の第２の側面のプログラムは、８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、複数のチャンネルの前記ＳＤＩデータストリームから前記８Ｋ又は４Ｋの映像信号を再生するステップを含む処理をコンピュータに実行させる。
【００２７】
本技術の第３の側面の信号伝送システムは、８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と、複数のレーンの前記シリアルのデータストリームの送信を制御する送信制御部とを備える信号送信装置と、複数のレーンの前記シリアルのデータストリームの受信を制御する受信制御部と、複数のレーンの前記シリアルのデータストリームから、複数のチャンネルの前記ＳＤＩデータストリームを再生するデータストリーム再生部と、複数のチャンネルの前記ＳＤＩデータストリームから前記８Ｋ又は４Ｋの映像信号を再生する映像再生部とを備える信号受信装置とを含む。
【００２８】
本技術の第１の側面においては、８Ｋ又は４Ｋの映像信号が所定のＳＤＩ（Serial Digital Interface）のフォーマットで規定されるデータストリームである複数のチャンネルのＳＤＩデータストリームにマッピングされ、複数のチャンネルの前記ＳＤＩデータストリームに対して所定のビット単位で８Ｂ／１０Ｂ変換又はスクランブルが行われ、８Ｂ／１０Ｂ変換又はスクランブル後の複数のチャンネルの前記ＳＤＩデータストリームが多重化され、ビットレートが２５Ｇｂｐｓから２８．３Ｇｂｐｓの範囲内の複数のレーンのシリアルのデータストリームが生成される。
【００２９】
本技術の第２の側面においては、８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームが再生され、複数のチャンネルの前記ＳＤＩデータストリームから前記８Ｋ又は４Ｋの映像信号が再生される。
【００３０】
本技術の第３の側面においては、８Ｋ又は４Ｋの映像信号が所定のＳＤＩ（Serial Digital Interface）のフォーマットで規定されるデータストリームである複数のチャンネルのＳＤＩデータストリームにマッピングされ、複数のチャンネルの前記ＳＤＩデータストリームに対して所定のビット単位で８Ｂ／１０Ｂ変換又はスクランブルが行われ、８Ｂ／１０Ｂ変換又はスクランブル後の複数のチャンネルの前記ＳＤＩデータストリームが多重化され、ビットレートが２５Ｇｂｐｓから２８．３Ｇｂｐｓの範囲内の複数のレーンのシリアルのデータストリームが生成され、複数のレーンの前記シリアルのデータストリームの送信が制御され、複数のレーンの前記シリアルのデータストリームの受信が制御され、複数のレーンの前記シリアルのデータストリームから、複数のチャンネルの前記ＳＤＩデータストリームが再生され、複数のチャンネルの前記ＳＤＩデータストリームから前記８Ｋ又は４Ｋの映像信号が再生される。
【発明の効果】
【００３１】
本技術の第１乃至第３の側面によれば、８Ｋ又は４Ｋの映像信号を１００Ｇｂｐｓのイーサネット用デバイスで伝送することができる。
【図面の簡単な説明】
【００３２】
【図１】ＵＨＤＴＶに関する映像信号の規格を示す表である。
【図２】８Ｋの映像信号の１フレームの画素の構成例を示す図である。
【図３】ＵＨＤＴＶ規格の映像信号のサンプル構造の例を示す図である。
【図４】本技術の実施の形態に係るカメラ伝送システムの全体構成を示す図である。
【図５】第１の実施の形態における放送用カメラの機能の構成例を示すブロック図である。
【図６】第１の実施の形態における放送用カメラの多重部の機能の構成例を示すブロック図である。
【図７】データストリーム生成部の機能の構成例を示すブロック図である。
【図８】第１の実施の形態におけるＣＣＵの機能の構成例を示すブロック図である。
【図９】放送用カメラの送信制御部とＣＣＵの受信制御部の間の具体的な構成例を示す図である。
【図１０】第１の実施の形態における映像信号送信処理を説明するためのフローチャートである。
【図１１】８Ｋの映像信号を４Ｋの映像信号にマッピングする方法を説明するための図である。
【図１２】８Ｋの映像信号を４Ｋの映像信号にマッピングする方法を説明するための図である。
【図１３】４Ｋの映像信号をサブイメージにマッピングする第１の方法を説明するための図である。
【図１４】サブイメージをＨＤ−ＳＤＩにマッピングする方法を説明するための図である。
【図１５】ＳＭＰＴＥ３７２によるリンクＡ、Ｂのデータ構造の例を説明するための図である。
【図１６】第１の実施の形態の映像信号送信処理における、補助データ及び余剰画素の多重方法並びにデータブロックの生成方法の第１の例を説明するための図である。
【図１７】第１の実施の形態の映像信号送信処理における、補助データ及び余剰画素の多重方法並びにデータブロックの生成方法の第２の例を説明するための図である。
【図１８】ＳＡＶ及びＥＡＶからのデータ抽出方法を説明するための図である。
【図１９】第１の実施の形態における映像信号送信処理においてＨＤ−ＳＤＩから生成されるデータブロックの例を示す図である。
【図２０】第１の実施の形態における映像信号送信処理においてＨＤ−ＳＤＩから生成されるデータブロックの例を示す図である。
【図２１】伝送用データストリームのデータ構成の例を示す図である。
【図２２】ワード同期信号のデータ構成の例を示す図である。
【図２３】第１の実施の形態における映像信号受信処理を説明するためのフローチャートである。
【図２４】第２の実施の形態における放送用カメラの機能の構成例を示すブロック図である。
【図２５】第２の実施の形態における放送用カメラの多重部の機能の構成例を示すブロック図である。
【図２６】第２の実施の形態におけるＣＣＵの機能の構成例を示すブロック図である。
【図２７】第２の実施の形態における映像信号送信処理を説明するためのフローチャートである。
【図２８】第２の実施の形態の映像信号送信処理における、補助データ及び余剰画素の多重方法並びにデータブロックの生成方法の第１の例を説明するための図である。
【図２９】第２の実施の形態の映像信号送信処理における、補助データ及び余剰画素の多重方法並びにデータブロックの生成方法の第２の例を説明するための図である。
【図３０】第２の実施の形態における映像信号送信処理においてＨＤ−ＳＤＩから生成されるデータブロックの例を示す図である。
【図３１】第２の実施の形態における映像信号送信処理においてＨＤ−ＳＤＩから生成されるデータブロックの例を示す図である。
【図３２】第２の実施の形態における映像信号受信処理を説明するためのフローチャートである。
【図３３】第３の実施の形態における放送用カメラの機能の構成例を示すブロック図である。
【図３４】第３の実施の形態における放送用カメラの多重部の機能の構成例を示すブロック図である。
【図３５】第３の実施の形態におけるＣＣＵの機能の構成例を示すブロック図である。
【図３６】第３の実施の形態における映像信号送信処理を説明するためのフローチャートである。
【図３７】第３の実施の形態の映像信号送信処理における、補助データ及び余剰画素の多重方法並びにデータブロックの生成方法の第１の例を説明するための図である。
【図３８】第３の実施の形態の映像信号送信処理における、補助データ及び余剰画素の多重方法並びにデータブロックの生成方法の第２の例を説明するための図である。
【図３９】第３の実施の形態における映像信号送信処理においてＨＤ−ＳＤＩから生成されるデータブロックの例を示す図である。
【図４０】第３の実施の形態における映像信号送信処理においてＨＤ−ＳＤＩから生成されるデータブロックの例を示す図である。
【図４１】第３の実施の形態における映像信号受信処理を説明するためのフローチャートである。
【図４２】４Ｋの映像信号をサブイメージにマッピングする第２の方法を説明するための図である。
【図４３】サブイメージのフォーマットの例を示す図である。
【図４４】第５の実施の形態における放送用カメラの機能の構成例を示すブロック図である。
【図４５】第５の実施の形態における放送用カメラの多重部の機能の構成例を示すブロック図である。
【図４６】第５の実施の形態におけるＣＣＵの機能の構成例を示すブロック図である。
【図４７】第５の実施の形態における映像信号送信処理を説明するためのフローチャートである。
【図４８】４ＫのＲＡＷ信号をＨＤ−ＳＤＩにマッピングする方法を説明するための図である。
【図４９】第５の実施の形態の映像信号送信処理における、補助データ及び余剰画素の多重方法並びにデータブロックの生成方法の第１の例を説明するための図である。
【図５０】第５の実施の形態の映像信号送信処理における、補助データ及び余剰画素の多重方法並びにデータブロックの生成方法の第２の例を説明するための図である。
【図５１】第５の実施の形態における映像信号受信処理を説明するためのフローチャートである。
【図５２】第７の実施の形態における放送用カメラの機能の構成例を示すブロック図である。
【図５３】第７の実施の形態における放送用カメラの多重部の機能の構成例を示すブロック図である。
【図５４】第７の実施の形態におけるＣＣＵの機能の構成例を示すブロック図である。
【図５５】第７の実施の形態における映像信号送信処理を説明するためのフローチャートである。
【図５６】第７の実施の形態の映像信号送信処理における、補助データ及び余剰画素の多重方法並びにデータブロックの生成方法の第１の例を説明するための図である。
【図５７】第７の実施の形態の映像信号送信処理における、補助データ及び余剰画素の多重方法並びにデータブロックの生成方法の第２の例を説明するための図である。
【図５８】第７の実施の形態における映像信号送信処理においてＨＤ−ＳＤＩから生成されるデータブロックの例を示す図である。
【図５９】第７の実施の形態における映像信号送信処理においてＨＤ−ＳＤＩから生成されるデータブロックの例を示す図である。
【図６０】第７の実施の形態における映像信号受信処理を説明するためのフローチャートである。
【図６１】第８の実施の形態における放送用カメラの機能の構成例を示すブロック図である。
【図６２】第８の実施の形態における放送用カメラの多重部の機能の構成例を示すブロック図である。
【図６３】第８の実施の形態におけるＣＣＵの機能の構成例を示すブロック図である。
【図６４】第８の実施の形態における映像信号送信処理を説明するためのフローチャートである。
【図６５】第８の実施の形態の映像信号送信処理における、補助データ及び余剰画素の多重方法並びにデータブロックの生成方法の第１の例を説明するための図である。
【図６６】第８の実施の形態の映像信号送信処理における、補助データ及び余剰画素の多重方法並びにデータブロックの生成方法の第２の例を説明するための図である。
【図６７】第８の実施の形態における映像信号送信処理においてＨＤ−ＳＤＩから生成されるデータブロックの例を示す図である。
【図６８】第８の実施の形態における映像信号送信処理においてＨＤ−ＳＤＩから生成されるデータブロックの例を示す図である。
【図６９】第８の実施の形態における映像信号受信処理を説明するためのフローチャートである。
【図７０】コンピュータの構成例を示すブロック図である。
【発明を実施するための形態】
【００３３】
以下、本技術を実施するための最良の形態（以下実施の形態とする。）について説明する。なお、説明は以下の順序で行う。
１．本技術で伝送する映像信号の例
２．信号伝送システムの構成例
３．第１の実施の形態（８Ｋの４８Ｐ−６０Ｐの映像信号を伝送する第１の例）
４．第２の実施の形態（８Ｋの４８Ｐ−６０Ｐの映像信号を伝送する第２の例）
５．第３の実施の形態（８Ｋの４８Ｐ−６０Ｐの映像信号を伝送する第３の例）
６．第４の実施の形態（８Ｋの９６Ｐ−１２０Ｐの映像信号を伝送する例）
７．第５の実施の形態（４Ｋの４８Ｐ−６０ＰのＲＡＷ信号を伝送する例）
８．第６の実施の形態（４Ｋの９６Ｐ−１２０ＰのＲＡＷ信号を伝送する例）
９．第７の実施の形態（８Ｋの５０Ｐ−６０Ｐの映像信号を伝送する例）
１０．第８の実施の形態（８Ｋの１００Ｐ−１２０Ｐの映像信号を伝送する例）
１１．変形例
【００３４】
＜１．本技術で伝送する映像信号の例＞
まず、本技術の実施の形態について説明する前に、本技術で伝送する映像信号の例について説明する。
【００３５】
本技術では、例えば、有効画素領域が７６８０サンプル×４３２０ライン（ＵＨＤＴＶ２）又は８１９２サンプル×４３２０ライン等の、水平方向のサンプル数が８０００サンプル前後、垂直方向のライン数が４０００ライン前後の８Ｋの映像信号の伝送が行われる。また、例えば、有効画素領域が３８４０サンプル×２１６０ライン（ＵＨＤＴＶ１）又は４０９６サンプル×２１６０ライン等の水平方向のサンプル数が４０００サンプル前後、垂直方向のライン数が２０００ライン前後の４Ｋの映像信号の伝送が行われる。
【００３６】
なお、以下、８Ｋの映像信号を８Ｋ信号とも称し、４Ｋの映像信号を４Ｋ信号とも称する。
【００３７】
図２は、８Ｋ信号の１フレームの画素の構成例を示している。この映像信号の中央の有効画素領域の周囲には、水平方向並びに垂直方向に数サンプルから数十サンプルの信号処理用余剰画素領域が設けられている。信号処理用余剰画素領域の画素サンプルは、例えば、有効画素領域の傷補正等々の用途に使用される。
【００３８】
なお、以下、信号処理用余剰画素を単に余剰画素とも称し、信号処理用余剰画素領域を単に余剰画素領域とも称する。
【００３９】
図３は、８Ｋ信号又は４Ｋ信号のサンプル構造の例を示している。例えば、８Ｋ信号又は４Ｋ信号のサンプル構造には、以下の３種類がある。なお、Ｒ′Ｇ′Ｂ′のように、ダッシュ「′」をつけた信号は、ガンマ補正などが施された信号を示す。
【００４０】
図３Ａは、Ｒ′Ｇ′Ｂ′，Ｙ′Ｃｂ′Ｃｒ′ ４：４：４システムの例である。このシステムでは、全サンプルにＲＧＢ又はＹＣｂＣｒのコンポーネントが含まれる。
【００４１】
図３Ｂは、Ｙ′Ｃｂ′Ｃｒ′ ４：２：２システムの例である。このシステムでは、偶数サンプルにＹＣｂＣｒ、奇数サンプルにＹのコンポーネントが含まれる。
【００４２】
図３Ｃは、Ｙ′Ｃｂ′Ｃｒ′ ４：２：０システムの例である。このシステムでは、偶数ラインの偶数サンプルにＹＣｂＣｒ、偶数ラインの奇数サンプル及び奇数ラインの全サンプルにＹのコンポーネントが含まれる。
【００４３】
なお、以下、映像信号のフォーマットを、ｍ×ｎ／ａ−ｂ／ｒ：ｇ：ｂ／１０ビット，１２ビットのように表す。ｍ×ｎは、有効画素領域の水平方向のサンプル数（画素数）×垂直方向のライン数を表す。ａ−ｂは、１秒当りのフレーム数（フレームレート）を表す。ｒ：ｇ：ｂは、所定の信号伝送方式である場合における信号比率を表す。例えば、原色信号伝送方式である場合、ｒ：ｇ：ｂは、赤信号Ｒ：緑信号Ｇ：青信号Ｂの比率を表し、色差信号伝送方式である場合、ｒ：ｇ：ｂは、輝度信号Ｙ：第１色差信号Ｃｂ：第２色差信号Ｃｒの比率を表す。なお、以下、映像信号のフォーマットを、ｍ×ｎ／ａ−ｂ信号等により略記する場合がある。
【００４４】
また、以下、プログレッシブ信号のフレームレートを表す５０Ｐ，５９．９４Ｐ，６０Ｐを、「５０Ｐ−６０Ｐ」、４７．９５Ｐ，４８Ｐ，５０Ｐ，５９．９４Ｐ，６０Ｐを「４８Ｐ−６０Ｐ」と略記する。さらに、１００Ｐ，１１９．８８Ｐ，１２０Ｐを、「１００Ｐ−１２０Ｐ」と略記し、９５．９Ｐ，９６Ｐ，１００Ｐ，１１９．８８Ｐ，１２０Ｐを、「９６Ｐ−１２０Ｐ」と略記する。また、インターレース信号のフレームレートを表す５０Ｉ，５９．９４Ｉ，６０Ｉを、「５０Ｉ−６０Ｉ」、４７．９５Ｉ，４８Ｉ，５０Ｉ，５９．９４Ｉ，６０Ｉを、「４８Ｉ−６０Ｉ」と略記する。
【００４５】
さらに、以下、ＨＤ−ＳＤＩフォーマットで規定されたデータストリームをＨＤ−ＳＤＩのデータストリーム又は単にＨＤ−ＳＤＩと略記する場合がある。また、以下、３Ｇ−ＳＤＩフォーマットで規定されたデータストリームを３Ｇ−ＳＤＩのデータストリーム又は単に３Ｇ−ＳＤＩと略記する場合がある。
【００４６】
＜２．信号伝送システム１の構成例＞
次に、図４を参照して、後述する本技術の第１乃至第８の実施の形態において共通に用いられる信号伝送システム１の構成例について説明する。
【００４７】
信号伝送システム１は、ｎ台の放送用カメラ１１−１乃至１１−ｎ及びＣＣＵ（カメラコントロールユニット）１２を含むように構成される。放送用カメラ１１−１乃至１１−ｎは、それぞれ光ファイバケーブル１３−１乃至１３−ｎを介してＣＣＵ１２に接続されている。
【００４８】
なお、以下、放送用カメラ１１−１乃至１１−ｎを個々に区別する必要がない場合、単に、放送用カメラ１１と称する。また、以下、光ファイバケーブル１３−１乃至１３−ｎを個々に区別する必要がない場合、単に、光ファイバケーブル１３と称する。
【００４９】
放送用カメラ１１は、映像信号を１００ＧｂＥ用デバイス（例えば、光モジュール等）により送信する信号送信方法を適用した信号送信装置として用いられる。また、ＣＣＵ１２は、映像信号を１００ＧｂＥ用デバイスにより受信する信号受信方法を適用した信号受信装置として用いられる。そして、放送用カメラ１１とＣＣＵ１２を組み合わせた信号伝送システム１は、映像信号を１００ＧｂＥ用デバイスにより送受信する信号伝送システムとして用いられる。
【００５０】
各放送用カメラ１１は、撮影の結果得られる映像信号を、光ファイバケーブル１３を介してＣＣＵ１２に送信する。
【００５１】
ＣＣＵ１２は、各放送用カメラ１１を制御したり、各放送用カメラ１１から映像信号を受信したり、各放送用カメラ１１のモニタに他の放送用カメラ１１で撮影中の映像を表示させるための映像信号（リターンビデオ）を送信したりする。
【００５２】
＜３．第１の実施の形態＞
次に、図５乃至図２３を参照して、本技術の第１の実施の形態について説明する。
【００５３】
第１の実施の形態では、１００ＧｂＥ用デバイスを用いて４８Ｐ−６０Ｐの８Ｋ信号の伝送が行われる。この４８Ｐ−６０Ｐの８Ｋ信号には、７６８０×４３２０／５０Ｐ−６０Ｐ／４：４：４／１０ビット，１２ビット、７６８０×４３２０／５０Ｐ−６０Ｐ／４：２：２／１２ビット、８１９２×４３２０／４８Ｐ−６０Ｐ／４：４：４／１０ビット，１２ビット、及び、８１９２×４３２０／４８Ｐ−６０Ｐ／４：２：２／１２ビットの映像信号が含まれる。
【００５４】
｛放送用カメラ１１ａの構成例｝
図５は、第１の実施の形態における放送用カメラ１１の実施の形態である放送用カメラ１１ａの機能の構成例を示すブロック図である。放送用カメラ１１ａは、撮像素子１０１、信号処理部１０２、及び、送信制御部１０３を含むように構成される。
【００５５】
撮像素子１０１は、例えば、ＣＭＯＳイメージセンサ、ＣＣＤイメージセンサ等により構成される。撮像素子１０１は、撮影の結果得られる映像信号を信号処理部１０２のマッピング部１１１に供給する。この映像信号は、例えば、７６８０×４３２０／５０Ｐ−６０Ｐ／４：４：４／１０ビット，１２ビット、７６８０×４３２０／５０Ｐ−６０Ｐ／４：２：２／１２ビット、８１９２×４３２０／４８Ｐ−６０Ｐ／４：４：４／１０ビット，１２ビット、又は、８１９２×４３２０／４８Ｐ−６０Ｐ／４：２：２／１２ビットの映像信号である。
【００５６】
信号処理部１０２は、撮像素子１０１から供給される映像信号を１００ＧｂＥ用デバイスにより伝送可能な方式のデータストリームに多重し、生成したデータストリームを送信制御部１０３に供給する。信号処理部１０２は、マッピング部１１１及び多重部１１２−１乃至１１２−４を含むように構成される。
【００５７】
マッピング部１１１は、後述するように、撮像素子１０１から供給される映像信号をマッピングした６４チャンネルのＨＤ−ＳＤＩを生成する。そして、マッピング部１１１は、チャンネル１乃至１６のＨＤ−ＳＤＩを多重部１１２−１に供給し、チャンネル１７乃至３２のＨＤ−ＳＤＩを多重部１１２−２に供給する。また、マッピング部１１１は、チャンネル３３乃至４８のＨＤ−ＳＤＩを多重部１１２−３に供給し、チャンネル４９乃至６４のＨＤ−ＳＤＩを多重部１１２−４に供給する。
【００５８】
多重部１１２−１乃至１１２−４は、後述するように、それぞれマッピング部１１１から供給される１６チャンネルのＨＤ−ＳＤＩのチャンネルコーディング（例えば、スクランブル又は８Ｂ／１０Ｂ変換等の信号処理）を行い、多重化する。これにより、電気インタフェース規格であるCAUI-4やOIF（Optical Internetworking Forum） CEI-28Gの規定に適合するビットレートが２５Ｇｂｐｓ乃至２８．３Ｇｂｐｓの範囲内のデータストリーム（以下、伝送用データストリームと称する）が生成される。多重部１１２−１乃至１１２−４は、それぞれ生成した伝送用データストリームを送信制御部１０３に供給する。
【００５９】
なお、以下、多重部１１２−１乃至１１２−４を個々に区別する必要がない場合、単に多重部１１２と称する。
【００６０】
送信制御部１０３は、伝送用データストリームのＣＣＵ１２ａへの送信を制御する。
【００６１】
｛多重部１１２の構成例｝
図６は、多重部１１２の機能の構成例を示すブロック図である。
【００６２】
多重部１１２は、スクランブル部１３１−１乃至１３１−８、８Ｂ／１０Ｂ変換部１３２−１乃至１３２−８、データストリーム生成部１３３、及び、パラレル／シリアル（Ｐ／Ｓ）変換部１３４を含むように構成される。スクランブル部１３１−ｉ（ｉ＝１乃至８）は、受信部１４１−ｉ、ＴＲＳ検出部１４２−ｉ、ＲＡＭ１４３−ｉ、及び、スクランブラ１４４−ｉをそれぞれ含む。８Ｂ／１０Ｂ変換部１３２−ｉ（ｉ＝１乃至８）は、受信部１５１−ｉ、ＴＲＳ検出部１５２−ｉ、ＲＡＭ１５３−ｉ、及び、８Ｂ／１０Ｂエンコーダ１５４−ｉをそれぞれ含む。
【００６３】
多重部１１２に入力される１６チャンネルのＨＤ−ＳＤＩのうち、奇数チャンネルのＨＤ−ＳＤＩがスクランブル部１３１−１乃至１３１−８にそれぞれ入力され、偶数チャンネルのＨＤ−ＳＤＩが８Ｂ／１０Ｂ変換部１３２−１乃至１３２−８にそれぞれ入力される。
【００６４】
そして、スクランブル部１３１−１の受信部１４１−１は、入力されたＨＤ−ＳＤＩのＳ／Ｐ変換及びデスクランブルを行い、ＴＲＳ検出部１４２−１に供給する。また、受信部１４１−１は、ＨＤ−ＳＤＩに重畳されているクロック信号の再生を行い、スクランブル部１３１−１の各部に供給する。
【００６５】
ＴＲＳ検出部１４２−１は、ＨＤ−ＳＤＩに含まれるＳＡＶ（Start of Active Video）及びＥＡＶ（End of Active Video）を検出し、ＨＤ−ＳＤＩの同期を取る。そして、ＴＲＳ検出部１４２−１は、ＨＤ−ＳＤＩのＳＡＶの先頭から順に所定のビット（例えば、４０ビット）単位でデータを抽出し、ＲＡＭ１４３−１に記憶させる。
【００６６】
スクランブラ１４４−１は、所定のビット（例えば、４０ビット）のブロック単位でＲＡＭ１４３−１からデータを読み出し、読み出したデータのスクランブルを行う。スクランブラ１４４−１は、スクランブル後のデータブロックをデータストリーム生成部１３３に供給する。
【００６７】
スクランブル部１３１−２乃至１３１−８も、それぞれ入力されたＨＤ−ＳＤＩに対してスクランブル部１３１−１と同様の処理を行う。
【００６８】
また、８Ｂ／１０Ｂ変換部１３２−１の受信部１５１−１は、受信部１４１−１と同様に、入力されたＨＤ−ＳＤＩのＳ／Ｐ変換及びデスクランブルを行い、ＴＲＳ検出部１５２−１に供給する。また、受信部１５１−１は、ＨＤ−ＳＤＩに重畳されているクロック信号の再生を行い、８Ｂ／１０Ｂ変換部１３２−１の各部に供給する。
【００６９】
ＴＲＳ検出部１５２−１は、ＨＤ−ＳＤＩに含まれるＳＡＶ及びＥＡＶを検出し、ＨＤ−ＳＤＩの同期を取る。そして、ＴＲＳ検出部１５２−１は、ＨＤ−ＳＤＩのＳＡＶの先頭から順に所定のビット（例えば、４０ビット）単位でデータを抽出し、ＲＡＭ１５３−１に記憶させる。
【００７０】
８Ｂ／１０Ｂエンコーダ１５４−１は、所定のビット（例えば、３２ビット）のブロック単位でＲＡＭ１５３−１からデータを読み出し、読み出したデータの８Ｂ／１０Ｂ変換を行う。８Ｂ／１０Ｂエンコーダ１５４−１は、８Ｂ／１０Ｂ変換後のデータブロックをデータストリーム生成部１３３に供給する。
【００７１】
８Ｂ／１０Ｂ変換部１３２−２乃至１３２−８も、それぞれ入力されたＨＤ−ＳＤＩに対して、８Ｂ／１０Ｂ変換部１３２−１と同様の処理を行う。
【００７２】
なお、以下、スクランブル部１３１−１乃至１３１−８、及び、８Ｂ／１０Ｂ変換部１３２−１乃至１３２−８を個々に区別する必要がない場合、単に、スクランブル部１３１、及び、８Ｂ／１０Ｂ変換部１３２と称する。さらに、以下、受信部１４１−１乃至１４１−８、ＴＲＳ検出部１４２−１乃至１４２−８、ＲＡＭ１４３−１乃至１４３−８、及び、スクランブラ１４４−１乃至１４４−８を個々に区別する必要がない場合、単に受信部１４１、ＴＲＳ検出部１４２、ＲＡＭ１４３、及び、スクランブラ１４４と称する。また、以下、受信部１５１−１乃至１５１−８、ＴＲＳ検出部１５２−１乃至１５２−８、ＲＡＭ１５３−１乃至１５３−８、及び、８Ｂ／１０Ｂエンコーダ１５４−１乃至１５４−８を個々に区別する必要がない場合、単に受信部１５１、ＴＲＳ検出部１５２、ＲＡＭ１５３、及び、８Ｂ／１０Ｂエンコーダ１５４と称する。
【００７３】
データストリーム生成部１３３は、スクランブラ１４４及び８Ｂ／１０Ｂエンコーダ１５４から供給されるデータブロックを所定の順序で多重化することにより、所定のワード長のパラレルの伝送用データストリームを生成する。データストリーム生成部１３３は、生成した伝送用データストリームをＰ／Ｓ変換部１３４に供給する。
【００７４】
Ｐ／Ｓ変換部１３４は、データストリーム生成部１３３から供給される伝送用データストリームのパラレル／シリアル変換（Ｐ／Ｓ変換）を行い、変換後のシリアルの伝送用データストリームを送信制御部１０３に供給する。
【００７５】
なお、スクランブル部１３１及び８Ｂ／１０Ｂ変換部は、１４８．５ＭＨｚのクロック信号に同期して処理を行う。一方、データストリーム生成部１３３及びＰ／Ｓ変換部１３４は、１６７．０６２５ＭＨｚのクロック信号に同期して処理を行う。
【００７６】
｛データストリーム生成部１３３の構成例｝
図７は、データストリーム生成部１３３の機能の構成例を示すブロック図である。
【００７７】
データストリーム生成部１３３は、バッファ１７１、スタッフィングデータ出力部１７２、及び、ワード同期信号出力部１７３を含むように構成される。
【００７８】
バッファ１７１は、スクランブラ１４４及び８Ｂ／１０Ｂエンコーダ１５４から供給されるデータブロックから、所定のワード長のパラレルデータを生成し、Ｐ／Ｓ変換部１３４に出力する。
【００７９】
スタッフィングデータ出力部１７２は、伝送用データストリームのビットレートを調整するためのスタッフィングデータを生成し、Ｐ／Ｓ変換部１３４に出力する。
【００８０】
ワード同期信号出力部１７３は、伝送用データストリームの同期に用いるワード同期信号を生成し、Ｐ／Ｓ変換部１３４に出力する。
【００８１】
なお、後述するように、データストリーム生成部１３３（のバッファ１７１）には、実質的にビットレートが１６０ビット×１４８．５ＭＨｚのデータストリームが供給される。そして、データストリーム生成部１３３は、ビットレートが１６０ビット×１６７．０６２５ＭＨｚのデータストリームに変換する。
【００８２】
｛ＣＣＵ１２aの構成例｝
図８は、第１の実施の形態におけるＣＣＵ１２の実施の形態であるＣＣＵ１２ａの機能の構成例を示すブロック図である。
【００８３】
ＣＣＵ１２ａは、受信制御部２０１、信号処理部２０２及び映像処理部２０３を含むように構成される。また、信号処理部２０２は、Ｓ／Ｐ変換・クロック再生部２１１、ワード同期検出・データストリーム再生部２１２、及び、映像再生部２１３を含むように構成される。
【００８４】
受信制御部２０１は、各放送用カメラ１１からの伝送用データストリームの受信を制御する。受信制御部２０１は、受信した伝送用データストリームを信号処理部２０２のＳ／Ｐ変換・クロック再生部２１１に供給する。
【００８５】
Ｓ／Ｐ変換・クロック再生部２１１は、伝送用データストリームをシリアル／パラレル変換（Ｓ／Ｐ変換）し、ワード同期検出・データストリーム再生部２１２に供給する。また、Ｓ／Ｐ変換・クロック再生部２１１は、伝送用データストリームに重畳されているクロックの再生を行い、信号処理部２０２の各部に供給する。
【００８６】
ワード同期検出・データストリーム再生部２１２は、Ｓ／Ｐ変換された伝送用データストリームからワード同期信号を検出し、伝送用データストリームの同期を取る。また、ワード同期検出・データストリーム再生部２１２は、放送用カメラ１１ａの多重部１１２と逆の処理により、伝送用データストリームから６４チャンネルのＨＤ−ＳＤＩのデータストリームを再生し、映像再生部２１３に供給する。
【００８７】
映像再生部２１３は、放送用カメラ１１ａのマッピング部１１１と逆の処理により、６４チャンネルのＨＤ−ＳＤＩから元の８Ｋ信号を再生し、映像処理部２０３に供給する。
【００８８】
映像処理部２０３は、映像信号に対する各種の処理を行う装置により構成され、映像再生部２１３から供給される映像信号（８Ｋ信号）に対して所定の処理を行う。例えば、映像処理部２０３は、映像信号に基づく映像を表示するディスプレイ、映像信号を記憶する記憶装置等により構成される。
【００８９】
｛放送用カメラ１１の送信制御部１０３とＣＣＵ１２の受信制御部２０１の間の具体的な構成例｝
図９は、放送用カメラ１１の送信制御部１０３とＣＣＵ１２の受信制御部２０１の間の具体的な構成例を示している。
【００９０】
送信制御部１０３には、光モジュール２５１Ｓ−１，２５１Ｓ−２が設けられている。また、受信制御部２０１には、光モジュール２５１Ｒ−１，２５１Ｒ−２が設けられている。光モジュール２５１Ｓ−１乃至２５１Ｒ−２には、例えば、ＣＦＰ−２又はＣＦＰ−４の仕様に準拠した光モジュールが用いられる。また、光ファイバケーブル１３には、例えば、ＳＭＰＴＥ３１１に準拠した光ケーブルが用いられる。光ファイバケーブル１３内には、２本の光ファイバ２７１−１，２７１−２が設けられている。
【００９１】
そして、光モジュール２５１Ｓ−１の光送信端子（ＴＸ）と光モジュール２５１Ｒ−１の光受信端子（ＲＸ）は、光サーキュレータ２６１Ｓ、光ファイバ２７１−１、及び、光サーキュレータ２６１Ｒを介して接続されている。光モジュール２５１Ｓ−１の光受信端子（ＲＸ）と光モジュール２５１Ｒ−１の光送信端子（ＴＸ）は、光サーキュレータ２６１Ｓ、光ファイバ２７１−１、及び、光サーキュレータ２６１Ｒを介して接続されている。光モジュール２５１Ｓ−２の光送信端子（ＴＸ）と光モジュール２５１Ｒ−２の光受信端子（ＲＸ）は、光ファイバ２７１−２を介して接続されている。
【００９２】
光ファイバ２７１−１及び光ファイバ２７１−２は、ＩＥＥＥ８０２．３ｂａ−２０１０の規定に従って、１．３μｍ帯の波長の信号を４多重して伝送することができる。すなわち、一度に４レーンの映像信号を多重して伝送することができる。
【００９３】
また、光ファイバ２７１−１の両端に光サーキュレータ２６１Ｓ，２６１Ｒをそれぞれ接続することにより、１本の光ファイバ２７１−１を介して、放送用カメラ１１からＣＣＵ１２及びＣＣＵ１２から放送用カメラ１１への双方向の信号の伝送が可能になる。これにより、例えば、放送用カメラ１１は、ＣＣＵ１２からのリターン信号にロックして動作することにより、大容量の映像信号を光伝送することが可能になる。
【００９４】
なお、一般的にＣＣＵ１２からのリターン信号の伝送容量は小さいため、ＣＣＵ１２から放送用カメラ１１への伝送経路は、光ファイバ２７１−１のみで十分である。従って、光ファイバ２７１−２は、光サーキュレータに接続されずに、放送用カメラ１１からＣＣＵ１２への方向の信号の伝送のみに用いられる。
【００９５】
｛第１の実施の形態における映像信号送信処理｝
次に、図１０のフローチャートを参照して、第１の実施の形態において放送用カメラ１１ａにより実行される映像信号送信処理について説明する。
【００９６】
ステップＳ１において、信号処理部１０２のマッピング部１１１は、映像信号をＨＤ−ＳＤＩのデータストリームにマッピングする。具体的には、マッピング部１１１は、８Ｋ信号を６４チャンネルのＨＤ−ＳＤＩにマッピングする。ここで、８Ｋ信号を６４チャンネルのＨＤ−ＳＤＩにマッピングする方法の具体例について説明する。
【００９７】
まず、マッピング部１１１は、ＳＭＰＴＥ２０３６−３の図４等の規定に従って、８Ｋ信号の画素サンプルを第１乃至第４の４Ｋ信号にマッピングする。具体的には、マッピング部１１１は、図１１及び図１２に示されるように、８Ｋ信号から、余剰画素領域も含めて１ライン置きに各ラインの隣り合う２つの画素サンプルのペアを１つ置きに間引いて、第１乃至第４の４Ｋ信号にマッピングする。
【００９８】
なお、以下、８Ｋ信号及び４Ｋ信号の有効画素領域のサンプル番号及びライン番号は０からスタートするものとする。従って、８Ｋ信号の有効画素領域には、０サンプルから７６７９サンプル又は８１９１サンプルまでの合計７６８０サンプル又は８１９２サンプルからなるラインが、０ラインから４３１９ラインまでの合計４３２０ライン存在する。また、４Ｋ信号の有効画素領域には、０サンプルから３８３９サンプル又は４０９５サンプルまでの合計３８４０サンプル又は４０９６サンプルからなるラインが、０ラインから２１５９ラインまでの合計２１６０ライン存在する。
【００９９】
また、以下、８Ｋ信号及び４Ｋ信号の第０ライン、第２ライン、第４ライン、・・・を偶数ラインとし、第１ライン、第３ライン、第５ライン、・・・を奇数ラインとする。
【０１００】
そして、例えば、８Ｋ信号の有効画素領域が７６８０サンプルである場合、８Ｋ信号の有効画素領域の偶数ラインである第２ｉライン（ｉ＝０乃至２１５９）の第４ｊサンプル及び第４ｊ＋１サンプル（ｊ＝０乃至１９１９）の画素サンプルが、第１の４Ｋ信号の有効画素領域の第ｉラインの第２ｊサンプル及び第２ｊ＋１サンプルにマッピングされる。従って、第１の４Ｋ信号の有効画素領域は、８Ｋ信号の有効画素領域の偶数ラインの第４ｊサンプル及び第４ｊ＋１サンプルの画素サンプルを間引いて、元の順序のまま並べた映像信号となる。
【０１０１】
８Ｋ信号の有効画素領域の偶数ラインである第２ｉライン（ｉ＝０乃至２１５９）の第４ｊ＋２サンプル及び第４ｊ＋３サンプル（ｊ＝０乃至１９１９）の画素サンプルが、第２の４Ｋ信号の有効画素領域の第ｉラインの第２ｊサンプル及び第２ｊ＋１サンプルにマッピングされる。従って、第２の４Ｋの有効画素領域の映像信号は、８Ｋ信号の有効画素領域の偶数ラインの第４ｊ＋２サンプル及び第４ｊ＋３サンプルの画素サンプルを間引いて、元の順序のまま並べた映像信号となる。
【０１０２】
８Ｋ信号の有効画素領域の奇数ラインである第２ｉ＋１ライン（ｉ＝０乃至２１５９）の第４ｊサンプル及び第４ｊ＋１サンプル（ｊ＝０乃至１９１９）の画素サンプルが、第３の４Ｋ信号の有効画素領域の第ｉラインの第２ｊサンプル及び第２ｊ＋１サンプルにマッピングされる。従って、第３の４Ｋ信号の有効画素領域は、８Ｋ信号の有効画素領域の奇数ラインの第４ｊサンプル及び第４ｊ＋１サンプルの画素サンプルを間引いて、元の順序のまま並べた映像信号となる。
【０１０３】
８Ｋ信号の有効画素領域の奇数ラインである第２ｉ＋１ライン（ｉ＝０乃至２１５９）の第４ｊ＋２サンプル及び第４ｊ＋３サンプル（ｊ＝０乃至１９１９）の画素サンプルが、第４の４Ｋ信号の有効画素領域の第ｉラインの第２ｊサンプル及び第２ｊ＋１サンプルにマッピングされる。従って、第４の４Ｋ信号の有効画素領域は、８Ｋ信号の有効画素領域の奇数ラインの第４ｊ＋２サンプル及び第４ｊ＋３サンプルの画素サンプルを間引いて、元の順序のまま並べた映像信号となる。
【０１０４】
なお、例えば、８Ｋ信号の有効画素領域が８１９２サンプルである場合も同様の方法により、８Ｋ信号の有効画素領域の画素サンプルが、第１乃至第４の４Ｋ信号にマッピングされる。
【０１０５】
また、８Ｋ信号の余剰画素領域についても、有効画素領域と同様の方法により、第１乃至第４の４Ｋ信号の余剰画素領域にマッピングされる。従って、第１乃至第４の４Ｋ信号の有効画素領域の周囲にも、８Ｋ信号と同様に、水平画素方向並びに垂直画素方向に数サンプルから数十サンプルの信号処理用余剰画素領域が設けられる。
【０１０６】
次に、マッピング部１１１は、第１乃至第４の４Ｋ信号を、それぞれ第１乃至第４のサブイメージにマッピングする。例えば、マッピング部１１１は、図１３に示されるように、ＳＭＰＴＥ２０３６−３の図１等に規定される方式に従って、第１の４Ｋ信号を２サンプルインタリーブにより間引くことにより、４チャンネルの２Ｋ信号を生成する。換言すれば、マッピング部１１１は、第１の４Ｋ信号の画素サンプルを２ライン間隔で各ラインの隣り合う２つの画素サンプルのペアを１つ置きに間引いて、第１乃至第４のサブイメージにマッピングする。
【０１０７】
例えば、第１の４Ｋ信号の有効画素領域が３８４０サンプルの場合、第１乃至第４のサブイメージの第１の４Ｋ信号の有効画素領域の第２ｉライン（ｉ＝０乃至１０７９）の第４ｊサンプル及び第４ｊ＋１サンプル（ｊ＝０乃至９５９）の画素サンプルが、第１のサブイメージの映像データ領域の第ｉ＋４２ラインの第ｊサンプル及び第ｊ＋１サンプルにマッピングされる。
【０１０８】
第１の４Ｋ信号の有効画素領域の第２ｉライン（ｉ＝０乃至１０７９）の第４ｊ＋２サンプル及び第４ｊ＋３サンプル（ｊ＝０乃至９５９）の画素サンプルが、第２のサブイメージの映像データ領域の第ｉ＋４２ラインの第ｊサンプル及び第ｊ＋１サンプルにマッピングされる。
【０１０９】
第１の４Ｋ信号の有効画素領域の第２ｉ＋１ライン（ｉ＝０乃至１０７９）の第４ｊサンプル及び第４ｊ＋１サンプル（ｊ＝０乃至９５９）の画素サンプルが、第３のサブイメージの映像データ領域の第ｉ＋４２ラインの第ｊサンプル及び第ｊ＋１サンプルにマッピングされる。
【０１１０】
第１の４Ｋ信号の有効画素領域の第２ｉ＋１ライン（ｉ＝０乃至１０７９）の第４ｊ＋２サンプル及び第４ｊ＋３サンプル（ｊ＝０乃至９５９）の画素サンプルが、第４のサブイメージの映像データ領域の第ｉ＋４２ラインの第ｊサンプル及び第ｊ＋１サンプルにマッピングされる。
【０１１１】
また、第１乃至第４のサブイメージの水平方向の第１９２０サンプルから所定のサンプル数の領域にＥＡＶ領域が配置される。例えば、６０Ｐ信号の場合には、第１乃至第４のサブイメージの水平方向のＥＡＶ領域の後の第２１９９サンプルまでの領域にＨＡＮＣデータ領域（以下、水平補助データ領域又は水平ブランキング期間とも称する）が配置される。第１乃至第４のサブイメージの水平方向の第２１９６サンプルから所定のサンプル数の領域にＳＡＶ領域が配置される。
【０１１２】
そして、第１の４Ｋ信号の余剰画素領域の画素サンプルが、有効画素領域の画素サンプルと同様にして、第１乃至第４のサブイメージにマッピングされる。このとき、第１の４Ｋ信号の余剰画素領域のうち、水平方向が有効画素領域の範囲内（第０サンプルから第３８３９サンプルの範囲内）の画素サンプルは、第１乃至第４のサブイメージの映像データ領域の第１ラインから第４１ライン及び第１１２２ラインから第１１２５ラインまでの範囲の領域（すなわち、垂直ブランキング領域）にマッピングされる。また、第１の４Ｋ信号の余剰画素領域のうち水平方向が有効画素領域の範囲外の画素サンプルは、第１乃至第４のサブイメージの水平補助データ領域にマッピングされる。
【０１１３】
第２乃至第４の４Ｋ信号も、第１のサブイメージと同様にして、それぞれ第１乃至第４のサブイメージにマッピングされる。
【０１１４】
また、例えば、第１乃至第４の４Ｋ信号の有効画素領域が４０９６サンプルである場合も同様の方法により、第１乃至第４の４Ｋ信号の画素サンプルが、それぞれ第１乃至第４のサブイメージにマッピングされる。
【０１１５】
なお、第１乃至第４の４Ｋ信号の有効画素領域が４０９６サンプルである場合、第１乃至第４のサブイメージの映像データ領域は、第０サンプルから第２０４７サンプルまでの範囲となる。そして、第２０４８サンプル以降にＥＡＶ領域、水平補助データ領域、及び、ＳＡＶ領域が配置される。
【０１１６】
次に、マッピング部１１１は、図１４に示されるように、第１乃至第４のサブイメージのライン間引き及びワード間引きを行う。
【０１１７】
例えば、まず、マッピング部１１１は、ＳＭＰＴＥ３７２の図２等に規定される方式に従って、第１乃至第４のサブイメージをそれぞれ１ライン置きに間引く。これにより、４８Ｐ−６０Ｐのプログレッシブの映像信号である各サブイメージが、チャンネル１とチャンネル２の２チャンネルの４８Ｉ−６０Ｉのインターレースの映像信号に変換される。例えば、図１４に示されるように、第１乃至第４のサブイメージが１９２０×１０８０／６０Ｐの映像信号である場合、それぞれチャンネル１とチャンネル２の１９２０×１０８０／６０Ｉの映像信号に変換される。
【０１１８】
次に、マッピング部１１１は、ＳＭＰＴＥ３７２の図４等に規定される方式に従って、生成した各インターレースの映像信号をワード毎に間引く。例えば、マッピング部１１１は、ＳＭＰＴＥ３７２の図３，５，７，８，９と同じ方式でワード間引きを行う。これにより、各インターレースの映像信号が、それぞれリンクＡ及びリンクＢの２チャンネルのＨＤ−ＳＤＩ（図１４ではベーシックストリームと記載している）にマッピングされる。
【０１１９】
図１５は、リンクＡ，ＢのＨＤ−ＳＤＩのデータ構造の例を示す。
【０１２０】
図１５Ａに示すように、リンクＡのデータストリームは、１サンプルが２０ビットであり、全てのビットがＲＧＢの値を表している。
【０１２１】
一方、図１５Ｂに示すように、リンクＢのデータストリームも、１サンプルが２０ビットであるが、１０ビットのＲ′Ｇ′Ｂ′ｎ：０−１のうち、ビットナンバー２乃至７の６ビットのみがＲＧＢの値を表している。従って、１サンプル中でＲＧＢの値を表しているビット数は１６ビットである。なお、ライン間引きにより生成されたインターレースの映像信号が４：４：４又は４：２：２の１０ビット信号である場合、ビットナンバー２乃至７の６ビットには、０などの任意の値が設定される。
【０１２２】
以上のように、４８Ｐ−６０Ｐの８Ｋ信号から、第１乃至第４の４Ｋ信号が生成され、第１乃至第４の４Ｋ信号から、それぞれ１６チャンネルのＨＤ−ＳＤＩの映像ストリームが生成される。従って、４８Ｐ−６０Ｐの８Ｋ信号から、合計で６４チャンネルのＨＤ−ＳＤＩが生成される。
【０１２３】
このとき、マッピング部１１１は、各チャンネルのＨＤ−ＳＤＩの水平補助データ領域に、補助データや映像信号の左右の（水平方向の）余剰画素を多重する。
【０１２４】
具体的には、８Ｋ信号用に伝送される補助データのうち大容量のものに、オーディオ信号がある。例えば、ＳＭＰＴＥ２０３６−２には、２４チャンネル（２２．２チャンネル）の９６ｋＨｚサンプリングのオーディオ信号をＵＨＤＴＶ２の映像信号に多重して伝送することが規定されている。また、ＳＭＰＴＥ４２８−２には、シネマ用途として、最大１６チャンネルの９６ｋＨｚサンプリングのオーディオ信号を多重することが規定されている。
【０１２５】
また、ＳＭＰＴＥ２９９−１には、ＨＤ−ＳＤＩ用のオーディオデータパケットのフォーマットが規定されている。ＳＭＰＴＥ２９９−１に規定されるオーディオデータパケットの最小単位は３１バイトである。また、１つのオーディオデータパケットに、３２ｋＨｚ、４４．１ｋＨｚ、４８ｋＨｚサンプリングのオーディオ信号を最大で４チャンネル、９６ｋＨｚサンプリングのオーディオ信号を最大で２チャンネル多重することができる。さらに、ＳＭＰＴＥ２９９−１には、ＨＤ−ＳＤＩの水平補助データ領域に、３１バイトのオーディオデータパケットを最大で８パケット（＝４パケット×２回）多重して伝送することが規定されている。
【０１２６】
そして、各チャンネルのＨＤ−ＳＤＩの水平補助データ領域に、この３１バイトのオーディオデータパケットを含む補助データや、８Ｋ信号の余剰画素が多重される。
【０１２７】
ここで、図１６及び図１７を参照して、補助データ及び余剰画素の多重方法の具体例について説明する。
【０１２８】
（補助データ及び余剰画素の第１の多重方法）
図１６の左側の図は、補助データ及び余剰画素の第１の多重方法を示している。なお、図１６には、マッピング部１１１から多重部１１２−１に供給されるチャンネル１乃至１６のＨＤ−ＳＤＩのみ図示しているが、残りのチャンネル１７乃至６４のＨＤ−ＳＤＩについても同様の方法により補助データ及び余剰画素が多重される。
【０１２９】
具体的には、各チャンネルのＨＤ−ＳＤＩの水平補助データ領域内のＣチャンネル用の領域及びＹチャンネル用の領域に、それぞれ補助データを多重するための所定のサイズの領域（以下、補助データ多重領域と称する）が確保される。例えば、Ｃチャンネル用の領域に３１バイト以上の補助データ領域（以下、補助データ多重領域Ｃと称する）が確保される。また、例えば、Ｙチャンネル用の領域にオーディオ制御信号やタイムコードのバイト数以上の補助データ多重領域（以下、補助データ多重領域Ｙと称する）が確保される。
【０１３０】
そして、奇数チャンネルの各ＨＤ−ＳＤＩの補助データ多重領域Ｃに、ＳＭＰＴＥ２９９−１の規定に準拠したオーディオデータパケットが多重される。また、奇数チャンネルの各ＨＤ−ＳＤＩの所定のライン（例えば、ＳＭＰＴＥ２９９−１の図１２の第９ライン及び第５７１ライン）における補助データ多重領域Ｙに、ＳＭＰＴＥ２９９−１の規定に準拠したオーディオ制御パケットが多重される。さらに、奇数チャンネルの各ＨＤ−ＳＤＩの所定のラインにおける補助データ多重領域Ｙに、タイムコード等の補助データが多重される。
【０１３１】
なお、後述するように、伝送用データストリームの生成時に、偶数チャンネルのＨＤ−ＳＤＩの各ワードの一部のビットが抽出され、８Ｂ／１０Ｂ変換が行われる。従って、偶数チャンネルのＨＤ−ＳＤＩに補助データを多重した場合、再生時に補助データを再現できなくなるため、偶数チャンネルのＨＤ−ＳＤＩの補助データ多重領域は、空けたたま未使用の状態となる。
【０１３２】
このようにして、６４チャンネルのＨＤ−ＳＤＩに対して、１ライン当たり最大で３２個のオーディオデータパケットを多重することができる。
【０１３３】
ここで、例えば、４８ｋＨｚサンプリングのオーディオ信号は、１９２０×１１２５／５０ＩのＨＤ−ＳＤＩに対して、１ライン当たり平均で約１．７１回（＝４８ｋＨｚ÷（５０Ｈｚ÷２）÷１１２５ライン）サンプリングされる。また、例えば、４８ｋＨｚサンプリングのオーディオ信号は、１９２０×１１２５／６０ＩのＨＤ−ＳＤＩに対して、１ライン当たり平均で約１．４２回（＝４８ｋＨｚ÷（６０Ｈｚ÷２）÷１１２５ライン）サンプリングされる。すなわち、４８ｋＨｚサンプリングのオーディオ信号は、１９２０×１１２５／５０Ｐ，６０ＰのＨＤ−ＳＤＩに対して、１ライン当たり１回又は２回サンプリングされる。
【０１３４】
従って、４８ｋＨｚサンプリングのオーディオ信号を１９２０×１１２５／５０Ｉ，６０ＩのＨＤ−ＳＤＩに多重して伝送する場合、各チャンネルのオーディオ信号を最大で１ラインに２サンプル多重する必要がある。そして、上述したように、１ライン当たり３２個のオーディオデータパケットを多重することができるので、４８ｋＨｚサンプリングのオーディオ信号を最大で６４チャンネル（＝４チャンネル×３２個÷２）多重して伝送することができる。
【０１３５】
なお、４４．１ｋＨｚ、４８ｋＨｚサンプリングのオーディオ信号も同様に、最大で６４チャンネル伝送することができる。一方、９６ｋＨｚサンプリングのオーディオ信号の場合、その半分の最大で３２チャンネル伝送することができる。
【０１３６】
また、各チャンネルのＨＤ−ＳＤＩの水平補助データ領域の補助データ多重領域を除く領域（以下、余剰画素多重領域と称する）には、８Ｋ信号の左右の余剰画素領域内の画素サンプルのデータが多重される。
【０１３７】
そして、例えば、補助データ多重領域を３１バイトとした場合、有効映像データ領域に対する余剰画素多重領域の比率（以下、余剰画素多重領域相対比率と称する）は、次式（１）乃至（５）に示される値となる。なお、式（１）は７６８０×４３２０／６０Ｐの映像信号を伝送する場合の比率を示し、式（２）は７６８０×４３２０／５０Ｐの映像信号を伝送する場合の比率を示している。式（３）は８１９２×４３２０／６０Ｐの映像信号を伝送する場合の比率を示し、式（４）は８１９２×４３２０／５０Ｐの映像信号を伝送する場合の比率を示し、式（５）は８１９２×４３２０／４８Ｐの映像信号を伝送する場合の比率を示している。
【０１３８】
（2200−1920−12−31）÷1920＝0.123＝12.3％  ・・・（１）
（2640−1920−12−31）÷1920＝0.353＝35.3％  ・・・（２）
（2200−2048−12−31）÷2048＝0.053＝5.3％  ・・・（３）
（2640−2048−12−31）÷2048＝0.268＝26.8％  ・・・（４）
（2750−2048−12−31）÷2048＝0.322＝32.2％  ・・・（５）
【０１３９】
例えば、７６８０×４３２０／６０Ｐの映像信号を伝送する場合、ＨＤ−ＳＤＩのＣチャンネル用（又はＹチャンネル用）の領域が２２００サンプルとなり、そのうち有効映像データ領域が１９２０サンプルとなる。また、ＳＡＶ及びＥＡＶの領域（ライン番号ＬＮ及び誤り検出符号ＣＲＣを含む）が１２サンプルとなる。従って、余剰画素多重領域が２３７サンプル（＝２２００−１９２０−１２−３１）となり、それを有効映像データ領域の１９２０サンプルで割ることにより、余剰画素多重領域相対比率は１２．３％となる。
【０１４０】
このように、有効映像データ領域に対して十分な余剰画素多重領域を確保でき、８Ｋ信号の左右の余剰画素領域内の画素サンプルのデータを全て多重して伝送することが可能になる。
【０１４１】
なお、上述したように、８Ｋ信号の上下の（垂直方向の）余剰画素領域内の画素サンプルのデータは、各サブイメージの垂直ブランキング領域に多重される。この垂直ブランキング領域は４５ラインあり、８Ｋ信号の上下の余剰画素領域内の画素サンプルのデータを多重するのに十分な容量を有している。従って、８Ｋ信号の上下の余剰画素領域内の画素サンプルのデータを全て多重して伝送することが可能になる。
【０１４２】
（補助データ及び余剰画素の第２の多重方法）
図１７の左側の図は、補助データ及び余剰画素の第２の多重方法を示している。この第２の多重方法は、例えば、オーディオ信号の多重を優先する場合、或いは、左右の余剰画素領域の画素サンプルのデータを多重する必要がない場合に用いられる。
【０１４３】
なお、図１７には、マッピング部１１１から多重部１１２−１に供給されるチャンネル１乃至１６のＨＤ−ＳＤＩのみ図示しているが、残りのチャンネル１７乃至６４のＨＤ−ＳＤＩについても同様の方法により補助データ及び余剰画素が多重される。
【０１４４】
具体的には、チャンネル１、１７、３３、４９のＨＤ−ＳＤＩの水平補助データ領域に、オーディオデータパケット、オーディオ制御パケット、タイムコード等の補助データが多重される。
【０１４５】
このとき、ＳＭＰＴＥ２９９−１の規定に従って、チャンネル１、１７、３３、４９のＨＤ−ＳＤＩの各水平補助データ領域に、オーディオデータパケットが最大で４パケット×２回多重される。これにより、６４チャンネルのＨＤ−ＳＤＩに対して、最大で３２個のオーディオデータパケットを多重することができる。
【０１４６】
従って、第１の多重方法と同様に、最大で６４チャンネルの３２ｋＨｚ、４４．１ｋＨｚ若しくは４８ｋＨｚサンプリングのオーディオ信号を多重して伝送することができる。また、最大で３２チャンネルの９６ｋＨｚサンプリングのオーディオ信号を多重して伝送することができる。
【０１４７】
なお、ＨＤ−ＳＤＩの有効映像データ領域が２０４８サンプルの場合には、水平補助データ領域に多重できるオーディオデータパケットの数が、有効映像データ領域が１９２０サンプルの場合の半分の４パケット（＝４パケット×１回）になる。従って、ＨＤ−ＳＤＩの有効映像データ領域が２０４８サンプルの場合、最大で３２チャンネルの３２ｋＨｚ、４４．１ｋＨｚ若しくは４８ｋＨｚサンプリングのオーディオ信号を多重して伝送することができる。また、最大で１６チャンネルの９６ｋＨｚサンプリングのオーディオ信号を多重して伝送することができる。
【０１４８】
また、補助データが多重されるチャンネル１、１７、３３、４９、及び、それらのチャンネルとペアになるチャンネル２、１８、３４、５０を除く５６チャンネルのＨＤ−ＳＤＩの水平補助データ領域全体が、余剰画素多重領域に割り当てられる。ここで、ＨＤ−ＳＤＩのペアとは、例えば、図１４の右端のリンクＡとリンクＢのＨＤ−ＳＤＩのペアのことである。
【０１４９】
そして、余剰画素多重領域相対比率は、次式（６）乃至（１０）に示される値となる。なお、式（６）は７６８０×４３２０／６０Ｐの映像信号を伝送する場合の比率を示し、式（７）は７６８０×４３２０／５０Ｐの映像信号を伝送する場合の比率を示している。式（８）は８１９２×４３２０／６０Ｐの映像信号を伝送する場合の比率を示し、式（９）は８１９２×４３２０／５０Ｐの映像信号を伝送する場合の比率を示し、式（１０）は８１９２×４３２０／４８Ｐの映像信号を伝送する場合の比率を示している。
【０１５０】
（2200−1920−12）×56÷64÷1920＝0.122＝12.2％  ・・・（６）
（2640−1920−12）×56÷64÷1920＝0.323＝32.3%  ・・・（７）
（2200−2048−12）×56÷64÷2048＝0.059＝5.9%  ・・・（８）
（2640−2048−12）×56÷64÷2048＝0.248＝24.8%  ・・・（９）
（2750−2048−12）×56÷64÷2048＝0.295＝29.5%  ・・・（１０）
【０１５１】
例えば、７６８０×４３２０／６０Ｐの映像信号を伝送する場合、ＨＤ−ＳＤＩのＣチャンネル用（又はＹチャンネル用）の領域が２２００サンプルとなり、そのうち有効映像データ領域が１９２０サンプルとなる。また、ＳＡＶ及びＥＡＶの領域（ライン番号ＬＮ及び誤り検出符号ＣＲＣを含む）が１２サンプルとなる。従って、１チャンネルあたりの余剰画素多重領域が２６８サンプル（＝２２００−１９２０−１２）となる。そして、６４チャンネル中５６チャンネルに余剰画素多重領域が設けられるので、２６８サンプルを５６／６４倍し、有効映像データ領域の１９２０サンプルで割ることにより、余剰画素多重領域相対比率は１２．２％となる。
【０１５２】
このように、第２の多重方法においても、有効映像データ領域に対して十分な余剰画素多重領域を確保でき、８Ｋ信号の左右の余剰画素領域内の画素サンプルのデータを全て多重して伝送することが可能になる。
【０１５３】
なお、８Ｋ信号の上下の余剰画素領域内の画素サンプルのデータは、第１の多重方法の場合と同様に、各サブイメージの垂直ブランキング領域に多重することにより、全て伝送することができる。
【０１５４】
以上のようにして、８Ｋ信号が６４チャンネルのＨＤ−ＳＤＩにマッピングされる。なお、以上に説明した８Ｋ信号のマッピング方法は、その一例であり、他の方法を用いて、８Ｋ信号を６４チャンネルのＨＤ−ＳＤＩにマッピングするようにしてもよい。
【０１５５】
そして、マッピング部１１１は、チャンネル１乃至１６のＨＤ−ＳＤＩを多重部１１２−１に供給し、チャンネル１７乃至３２のＨＤ−ＳＤＩを多重部１１２−２に供給する。また、マッピング部１１１は、チャンネル乃３３至４８のＨＤ−ＳＤＩを多重部１１２−３に供給し、チャンネル４９乃至６４のＨＤ−ＳＤＩを多重部１１２−４に供給する。
【０１５６】
図１０に戻り、ステップＳ２において、多重部１１２は、ＨＤ−ＳＤＩのデータストリームをブロック単位でスクランブル又は８Ｂ／１０Ｂ変換する。
【０１５７】
具体的には、多重部１１２−１のスクランブル部１３１−１の受信部１４１−１には、チャンネル１のＨＤ−ＳＤＩが入力される。受信部１４１−１は、入力されたＨＤ−ＳＤＩのＳ／Ｐ変換及びデスクランブルを行い、１４８．５ＭＨｚのクロック信号に同期して、１ワード（１０ビット）単位でデータを抽出し、ＴＲＳ検出部１４２−１に供給する。
【０１５８】
ＴＲＳ検出部１４２−１は、ＨＤ−ＳＤＩに含まれるＳＡＶ及びＥＡＶを検出し、ＨＤ−ＳＤＩのワード同期を取る。そして、ＴＲＳ検出部１４２−１は、１４８．５ＭＨｚのクロック信号の４クロック毎に、ＨＤ−ＳＤＩのＳＡＶの先頭から順に４０ビット（１０ビット×４クロック）単位でデータを抽出し、ＲＡＭ１４３−１に記憶させる。
【０１５９】
スクランブラ１４４−１は、１４８．５ＭＨｚのクロック信号の４クロック毎に、ＲＡＭ１４３−１から４０ビットのデータブロックを読み出し、読み出したデータブロックのスクランブルを行う。そして、スクランブラ１４４−１は、スクランブル後の４０ビットのデータブロックをデータストリーム生成部１３３に供給する。
【０１６０】
なお、図１６及び図１７の右側に示されるように、多重部１１２−１に入力される他の奇数チャンネルのＨＤ−ＳＤＩについても同様に、ＳＡＶの先頭から順番に４０ビットのブロック単位でスクランブルが行われる。そして、スクランブル後の４０ビットのデータブロックが、データストリーム生成部１３３に供給される。
【０１６１】
また、多重部１１２−１の８Ｂ／１０Ｂ変換部１３２−１の受信部１５１−１には、チャンネル２のＨＤ−ＳＤＩが入力される。受信部１５１−１は、ＨＤ−ＳＤＩのＳ／Ｐ変換及びデスクランブルを行い、１４８．５ＭＨｚのクロック信号に同期して、１ワード（１０ビット）単位でデータを抽出し、ＴＲＳ検出部１５２−１に供給する。
【０１６２】
ＴＲＳ検出部１５２−１は、ＨＤ−ＳＤＩに含まれるＳＡＶ及びＥＡＶを検出し、ＨＤ−ＳＤＩのワード同期を取る。そして、ＴＲＳ検出部１５２−１は、１４８．５ＭＨｚのクロック信号の４クロック毎に、ＨＤ−ＳＤＩのＳＡＶの先頭から順に４０ビット（１０ビット×４クロック）単位でデータを抽出し、ＲＡＭ１５３−１に記憶させる。
【０１６３】
８Ｂ／１０Ｂエンコーダ１５４−１は、１４８．５ＭＨｚのクロック信号の４クロック毎に、ＲＡＭ１４３−１に記憶されている４０ビットのデータブロックから所定の３２ビットを抽出して読み出す。
【０１６４】
具体的には、図１８に示されるように、ＳＡＶ及びＥＡＶの３ＦＦｈ，０００ｈ，０００ｈ，ＸＹＺは、下位２ビットがリザーブ＝０又は１であるので、１０ビットのデータのうちの上位８ビットが抽出される。
【０１６５】
ＥＡＶの後のＬＮ及びＣＲＣについては、以下の手順で、図１８に示されるようにデータの抽出及び整列が行われ、１０ビット／ワード単位のデータが、８ビット／バイト単位のデータに変換される。なお、ＣＬＮはＣチャンネルのＬＮを表し、ＹＬＮはＹチャンネルのＬＮを表し、ＣＣＲはＣチャンネルのＣＲＣを表し、ＹＣＲはＹチャンネルのＣＲＣを表す。
【０１６６】
・ＣＬＮ０の下位８ビットであるＣＬＮ０：０−７（第０ビットから第７ビットを表す。以下、同様に表記する。）
・ＣＬＮ０：８−９、ＹＬＮ０：２−７
・ＣＬＮ１：０−７
・ＣＬＮ０：８−９、ＹＣＲ０：０−５
・ＣＣＲ：０−7
・ＣＣＲ：８−９、ＹＣＲ０：６−８、ＹＣＲ１：０−２
・ＣＣＲ１：０−７
・ＣＣＲ１：８−９、ＹＣＲ１：３−８
【０１６７】
なお、ＣＬＮとＹＬＮは同じデータであるため、ＹＬＮは基本的に削除され、多重されない。従って、ＹＬＮ０：２−７はＣＬＮ０：２−７から判明するため、ＹＬＮ０：２−７の代わりに、オール１のようなデータを埋め込んでもよい。また、ＣＲＣの第９ビットは第８ビットの反転ビットなので、削除され多重されない。また、ＣＣＲとＹＣＲには、８Ｋ信号をＨＤ−ＳＤＩに多重した後に計算されたデータが設定される。
【０１６８】
また、ＨＤ−ＳＤＩの有効映像データ領域及び水平補助データ領域のＣチャンネル用の領域からは、１０ビットの全データが抽出される。ＨＤ−ＳＤＩの有効映像データ領域及び水平補助データ領域のＹチャンネル用の領域からは、１０ビットのデータのうち、図１５Ｂに示されるビットナンバー２乃至７の６ビットが抽出される。
【０１６９】
以上のようにして、ＨＤ−ＳＤＩのＳＡＶの先頭から順に４０ビットのデータブロックから３２ビットのデータが抽出される。
【０１７０】
そして、８Ｂ／１０Ｂエンコーダ１５４−１は、読み出した３２ビットのデータブロックの８Ｂ／１０Ｂ変換を行い、８Ｂ／１０Ｂ変換後の４０ビットのデータブロックをデータストリーム生成部１３３に供給する。
【０１７１】
なお、図１６及び図１７の右側に示されるように、多重部１１２−１に入力される他の偶数チャンネルのＨＤ−ＳＤＩについても同様に、ＳＡＶの先頭から順番に４０ビットのデータブロックから３２ビットのデータが抽出され、８Ｂ／１０Ｂ変換される。そして、８Ｂ／１０Ｂ変換後の４０ビットのデータブロックが、データストリーム生成部１３３に供給される。
【０１７２】
以上のようにして、図１９に模式的に示されるように、チャンネル１乃至１６のＨＤ−ＳＤＩからそれぞれ生成された４０ビットのデータブロックが、４クロック毎にデータストリーム生成部１３３に供給される。これにより、図２０にモデル化して示したように、実質的に、１６０ビット／サンプルのデータが１クロック毎にデータストリーム生成部１３３に供給される処理が、４クロック周期で繰り返される。従って、実質的に１６０ビット×１４８．５ＭＨｚのデータストリームが、データストリーム生成部１３３に供給されることになる。
【０１７３】
なお、多重部１１２−２乃至１１２−４においても同様の処理が行われる。すなわち、各多重部１１２に入力される１６チャンネルのＨＤ−ＳＤＩのうち、奇数チャンネルのＨＤ−ＳＤＩに対して、ＳＡＶの先頭から順番に４０ビットのブロック単位でスクランブルが行われる。そして、スクランブル後の４０ビットの各データブロックが、データストリーム生成部１３３に供給される。また、偶数チャンネルのＨＤ−ＳＤＩに対して、ＳＡＶの先頭から順番に４０ビットのデータブロックから３２ビットのデータが抽出され、８Ｂ／１０Ｂ変換される。そして、８Ｂ／１０Ｂ変換後の４０ビットの各データブロックが、データストリーム生成部１３３に供給される。
【０１７４】
図１０に戻り、ステップＳ３において、多重部１１２は、伝送用データストリームを生成する。
【０１７５】
例えば、多重部１１２−１のデータストリーム生成部１３３は、以下に説明するように、１ライン分のチャンネル１乃至１６のＨＤ−ＳＤＩから、図２１に示される１ライン分の伝送用データストリームを生成する。
【０１７６】
具体的には、まず、データストリーム生成部１３３のワード同期信号出力部１７３は、１６０ビットのワード同期信号を出力する。
【０１７７】
図２２は、ワード同期信号のデータ構成の例を示している。ワード同期信号の先頭の６０ビットには、８Ｂ／１０Ｂ符号のコンマキャラクターであるＫ２８．５等が配置される。次に、伝送用データストリームに多重するＨＤ−ＳＤＩの有効映像データ領域が１９２０サンプルか２０４８サンプルかを示す２ビットのデータが配置される。また、スクランブル部１３１及び８Ｂ／１０Ｂ変換部１３２の動作を規定するクロック周波数が、１４８．５ＭＨｚ系か１４８．５／１．００１ＭＨｚ系かを示す２ビットのデータが配置される。これにより、６４ビットのワード同期信号が構成される。そして、ワード長が１６０ビットになるように、９６ビットのスタッフィングデータが付加される。
【０１７８】
これにより、図２１に示されるように、伝送用データストリームの先頭にワード同期信号及びスタッフィングデータが配置される。
【０１７９】
次に、データストリーム生成部１３３のバッファ１７１は、１６７．０６２５ＭＨｚのクロック信号に同期して、スクランブラ１４４及び８Ｂ／１０Ｂエンコーダ１５４から供給されるデータブロックを所定の順序に並べ、１６０ビット単位でデータを抽出する。そして、バッファ１７１は、抽出したデータからなるワード長が１６０ビットのパラレルデータを生成し、Ｐ／Ｓ変換部１３４に出力する。
【０１８０】
以降、チャンネル１乃至１６のＨＤ−ＳＤＩのＳＡＶの先頭から水平補助データ領域の最後まで、同様の処理が繰り返される。すなわち、スクランブラ１４４及び８Ｂ／１０Ｂエンコーダ１５４から供給されるデータブロックを所定の順序に並べ、１６０ビット単位でデータを抽出し、ワード長が１６０ビットのパラレルデータを生成し、出力する処理が繰り返される。
【０１８１】
これにより、図２１に示されるように、ワード同期信号の後に、１ライン分のチャンネル１乃至１６のＨＤ−ＳＤＩのデータが多重される。これは、第１の４Ｋ信号から生成された第１乃至第４のサブイメージの１ライン分のデータに相当する。
【０１８２】
最後に、データストリーム生成部１３３のスタッフィングデータ出力部１７２は、１６７．０６２５ＭＨｚのクロック信号に同期して、所定のサンプル数の１６０ビット／ワードのパラレルのスタッフィングデータを出力する。これにより、図２１に示されるように、伝送用データストリームの最後に、スタッフィングデータが多重される。
【０１８３】
このようにして、図２１に示されるフォーマットに従って、１ライン分のチャンネル１乃至１６のＨＤ−ＳＤＩを多重した伝送用データストリームが生成される。この１ライン分の伝送用データストリームには、上述したように、図１３に示される第１の４Ｋ信号から生成された第１乃至第４のサブイメージの１ライン分の画素サンプルのデータが多重されている。
【０１８４】
以下、同様にして、多重部１１２−１のデータストリーム生成部１３３は、第１の４Ｋ信号から生成された第１乃至第４のサブイメージのライン毎に、図２１に示される１ライン分の伝送用データストリームを生成し、Ｐ／Ｓ変換部１３４に供給する。
【０１８５】
また、多重部１１２−２乃至１１２−４のデータストリーム生成部１３３も、それぞれ多重部１１２−１のデータストリーム生成部１３３と同様の処理により、伝送用データストリームを生成し、Ｐ／Ｓ変換部１３４に供給する。これにより、第２の４Ｋ信号から生成された第１乃至第４のサブイメージのライン毎に、チャンネル１７乃至３２のＨＤ−ＳＤＩを多重した１ライン分の伝送用データストリームが生成され、Ｐ／Ｓ変換部１３４に供給される。第３の４Ｋ信号から生成された第１乃至第４のサブイメージのライン毎に、チャンネル３３乃至４８のＨＤ−ＳＤＩを多重した伝送用データストリームが生成され、Ｐ／Ｓ変換部１３４に供給される。第４の４Ｋ信号から生成された第１乃至第４のサブイメージのライン毎に、チャンネル４９乃至６４のＨＤ−ＳＤＩを多重した伝送用データストリームが生成され、Ｐ／Ｓ変換部１３４に供給される。
【０１８６】
このようにして、８Ｋ信号から第１レーン乃至第４レーンの伝送用データストリームが生成される。なお、各レーンの伝送用データストリームのビットレートは、２６．７３Ｇｂｐｓ（＝１６０ビット×１６７．０６２５ＭＨｚ）となる。
【０１８７】
なお、伝送用データストリームに多重される各データブロックはスクランブル又は８Ｂ／１０Ｂ変換されている。従って、伝送用データストリームは、マーク率がほぼ１／２となり、立ち上がり及び立ち下がりが十分に存在する伝送に適した信号となる。
【０１８８】
図１０に戻り、ステップＳ４において、放送用カメラ１１ａは、伝送用データストリームを送信する。
【０１８９】
具体的には、多重部１１２−１のＰ／Ｓ変換部１３４は、第１レーンの伝送用データストリームをＰ／Ｓ変換して、送信制御部１０３に供給する。多重部１１２−２のＰ／Ｓ変換部１３４は、第２レーンの伝送用データストリームをＰ／Ｓ変換して、送信制御部１０３に供給する。多重部１１２−３のＰ／Ｓ変換部１３４は、第３レーンの伝送用データストリームをＰ／Ｓ変換して、送信制御部１０３に供給する。多重部１１２−４のＰ／Ｓ変換部１３４は、第４レーンの伝送用データストリームをＰ／Ｓ変換して、送信制御部１０３に供給する。
【０１９０】
送信制御部１０３の光モジュール２５１Ｓ−１は、例えば、第１乃至第４レーンの伝送用データストリームを波長多重して、光サーキュレータ２６１Ｓ、光ファイバ２７１−１、及び、光サーキュレータ２６１Ｒを介して、ＣＣＵ１２に送信する。
【０１９１】
なお、光モジュール２５１Ｓ−１及び２５１Ｓ−２の両方を用いたり、光モジュール２５１Ｓ−２のみを用いて、第１乃至第４レーンの伝送用データストリームをＣＣＵ１２に送信するようにしてもよい。
【０１９２】
なお、伝送用データストリームのビットレートは、２５Ｇｂｐｓ〜２８．３Ｇｂｐｓの範囲内、かつ、１４８．５ＭＨｚの整数倍という条件下で、任意の値に設定することができる。具体的には、伝送用データストリームのビットレートは、２５．０９６５Ｇｂｐｓ（＝１４８．５ＭＨｚ×１６９）〜２８．２１５Ｇｂｐｓ（＝１４８．５ＭＨｚ×１９０）の範囲内に設定することができる。この１４８．５ＭＨｚの整数倍の信号速度（ビットレート）は、信号処理並びにクロック系の回路に適した値である。
【０１９３】
ここで、６０Ｐの８Ｋ信号を４レーンの２６．７３Ｇｂｐｓの伝送用データストリームで伝送する場合において、伝送用データストリームに多重するスタッフィングデータのデータ量の例について説明する。
【０１９４】
この場合、伝送用データストリームに多重するＨＤ−ＳＤＩのデータ量は、１チャンネル当たり４４０，００ビット（２，２００サンプル×２０ビット）になる。従って、伝送用データストリームに多重される映像データのデータ量は、７０４，０００ビット（＝４４，０００×１６チャンネル）になる。ここで、伝送用データストリームのビットレートが２６．７３Ｇｂｐｓなので、１ライン当たりのデータ量は７９２，０００ビット（＝２６．７３Ｇｂｐｓ÷（６０Ｈｚ÷２）÷１，１２５ライン）になる。従って、伝送用データストリームに多重されるスタッフィングデータ（ワード同期信号を含む）のデータ量は、８８，０００ビット（＝７９２，０００ビット−７０４，０００ビット）になる。
【０１９５】
｛第１の実施の形態における映像信号受信処理｝
次に、図２３のフローチャートを参照して、図１０の映像信号送信処理に対応して、ＣＣＵ１２ａにより実行される映像信号受信処理について説明する。
【０１９６】
ステップＳ５１において、受信制御部２０１は、伝送用データストリームを受信する。具体的には、受信制御部２０１の光モジュール２５１Ｒ−１は、図１０のステップＳ４の処理において、放送用カメラ１１ａから送信された４レーンの伝送用データストリームを受信する。光モジュール２５１Ｒ−１は、受信した４レーンの伝送用データストリームを信号処理部２０２のＳ／Ｐ変換・クロック再生部２１１に供給する。
【０１９７】
ステップＳ５２において、Ｓ／Ｐ変換・クロック再生部２１１は、伝送用データストリームをＳ／Ｐ変換する。具体的には、Ｓ／Ｐ変換・クロック再生部２１１は、４レーンの伝送用データストリームをＳ／Ｐ変換し、ワード同期検出・データストリーム再生部２１２に供給する。
【０１９８】
ステップＳ５３において、ワード同期検出・データストリーム再生部２１２は、伝送用データストリームからＨＤ−ＳＤＩのデータストリームを再生する。具体的には、ワード同期検出・データストリーム再生部２１２は、４レーンの伝送用データストリームに多重されているワード同期信号を検出し、伝送用データストリームの同期を取る。そして、ワード同期検出・データストリーム再生部２１２は、放送用カメラ１１ａの多重部１１２と逆の処理により、４レーンの伝送用データストリームから６４チャンネルのＨＤ−ＳＤＩを再生する。ワード同期検出・データストリーム再生部２１２は、再生した６４チャンネルのＨＤ−ＳＤＩを映像再生部２１３に供給する。
【０１９９】
ステップＳ５４において、映像再生部２１３は、ＨＤ−ＳＤＩのデータストリームから映像信号を再生する。具体的には、映像再生部２１３は、放送用カメラ１１ａのマッピング部１１１と逆の処理により、６４チャンネルのＨＤ−ＳＤＩから元の８Ｋ信号を再生する。映像再生部２１３は、再生した８Ｋ信号を映像処理部２０３に供給する。
【０２００】
以上のようにして、７６８０×４３２０／５０Ｐ−６０Ｐ／４：４：４／１０ビット，１２ビット、７６８０×４３２０／５０Ｐ−６０Ｐ／４：２：２／１２ビット、８１９２×４３２０／４８Ｐ−６０Ｐ／４：４：４／１０ビット，１２ビット、又は、８１９２×４３２０／４８Ｐ−６０Ｐ／４：２：２／１２ビットの映像信号を、４レーンの伝送用データストリームにより１００ＧｂＥ用デバイスで伝送することができる。
【０２０１】
＜４．第２の実施の形態＞
次に、図２４乃至図３２を参照して、本技術の第２の実施の形態について説明する。
【０２０２】
第２の実施の形態では、第１の実施の形態とは異なる方法により、１００ＧｂＥ用デバイスを用いて４８Ｐ−６０Ｐの８Ｋ信号の伝送が行われる。この４８Ｐ−６０Ｐの８Ｋ信号には、第１の実施の形態と同様に、７６８０×４３２０／５０Ｐ−６０Ｐ／４：４：４／１０ビット，１２ビット、７６８０×４３２０／５０Ｐ−６０Ｐ／４：２：２／１２ビット、８１９２×４３２０／４８Ｐ−６０Ｐ／４：４：４／１０ビット，１２ビット、及び、８１９２×４３２０／４８Ｐ−６０Ｐ／４：２：２／１２ビットの映像信号が含まれる。
【０２０３】
｛放送用カメラ１１ｂの構成例｝
図２４は、第２の実施の形態における放送用カメラ１１の実施の形態である放送用カメラ１１ｂの機能の構成例を示すブロック図である。なお、図中、図５の放送用カメラ１１ａと対応する部分には同じ符号を付してあり、処理が同じ部分については、その説明は繰り返しになるので、適宜省略する。
【０２０４】
放送用カメラ１１ｂは、放送用カメラ１１ａと比較して、信号処理部１０２の代わりに信号処理部３０１が設けられている点が異なる。信号処理部３０１は、信号処理部１０２と比較して、多重部１１２−１乃至１１２−４の代わりに多重部３１１−１乃至３１１−４が設けられている点が異なる。
【０２０５】
多重部３１１−１乃至３１１−４は、後述するように、それぞれマッピング部１１１から供給される１６チャンネルのＨＤ−ＳＤＩのチャンネルコーディングを行い、多重化することにより、伝送用データストリームを生成する。そして、多重部３１１−１乃至３１１−４は、生成した伝送用データストリームを送信制御部１０３に供給する。
【０２０６】
なお、以下、多重部３１１−１乃至３１１−４を個々に区別する必要がない場合、単に多重部３１１と称する。
【０２０７】
｛多重部３１１の構成例｝
図２５は、多重部３１１の機能の構成例を示すブロック図である。なお、図中、図６の多重部１１２と対応する部分には、同じ符号を付してあり、処理が同じ部分については、その説明は適宜省略する。
【０２０８】
多重部３１１は、多重部１１２と比較して、スクランブル部１３１−１乃至１３１−８の代わりに、８Ｂ／１０Ｂ変換部３３１−１乃至３３１−８が設けられ、データストリーム生成部１３３の代わりにデータストリーム生成部３３２が設けられている点が異なる。また、８Ｂ／１０Ｂ変換部３３１−ｉ（ｉ＝１乃至８）は、受信部３４１−ｉ、ＴＲＳ検出部３４２−ｉ、ＲＡＭ３４３−ｉ、及び、８Ｂ／１０Ｂエンコーダ３４４−ｉを含む。
【０２０９】
８Ｂ／１０Ｂ変換部３３１−１乃至３３１−８には、奇数チャンネルのＨＤ−ＳＤＩがそれぞれ入力される。
【０２１０】
そして、８Ｂ／１０Ｂ変換部３３１−１の受信部３４１−１は、入力されたＨＤ−ＳＤＩのＳ／Ｐ変換及びデスクランブルを行い、ＴＲＳ検出部３４２−１に供給する。また、受信部３４１−１は、ＨＤ−ＳＤＩに重畳されているクロック信号の再生を行い、８Ｂ／１０Ｂ変換部３３１−１の各部に供給する。
【０２１１】
ＴＲＳ検出部３４２−１は、ＨＤ−ＳＤＩに含まれるＳＡＶ及びＥＡＶを検出し、ＨＤ−ＳＤＩのワード同期を取る。そして、ＴＲＳ検出部３４２−１は、ＨＤ−ＳＤＩのＳＡＶの先頭から順に所定のビット（例えば、４０ビット）単位でデータを抽出し、ＲＡＭ３４３−１に記憶させる。
【０２１２】
８Ｂ／１０Ｂエンコーダ３４４−１は、所定のビット（例えば、４０ビット）のブロック単位でＲＡＭ３４３−１からデータを読み出し、読み出したデータの８Ｂ／１０Ｂ変換を行う。８Ｂ／１０Ｂエンコーダ３４４−１は、８Ｂ／１０Ｂ変換後のデータブロックをデータストリーム生成部３３２に供給する。
【０２１３】
なお、以下、８Ｂ／１０Ｂ変換部３３１−１乃至３３１−８を個々に区別する必要がない場合、単に、８Ｂ／１０Ｂ変換部３３１と称する。また、以下、受信部３４１−１乃至３４１−８、ＴＲＳ検出部３４２−１乃至３４２−８、ＲＡＭ３４３−１乃至３４３−８、及び、８Ｂ／１０Ｂエンコーダ３４４−１乃至３４４−８を個々に区別する必要がない場合、単に受信部３４１、ＴＲＳ検出部３４２、ＲＡＭ３４３、及び、８Ｂ／１０Ｂエンコーダ３４４と称する。
【０２１４】
データストリーム生成部３３２は、８Ｂ／１０Ｂエンコーダ１５４及び８Ｂ／１０Ｂエンコーダ３４４から供給されるデータブロックを多重化することにより、所定のワード長のパラレルの伝送用データストリームを生成する。データストリーム生成部３３２は、生成した伝送用データストリームをＰ／Ｓ変換部１３４に供給する。
【０２１５】
｛ＣＣＵ１２ｂの構成例｝
図２６は、第２の実施の形態におけるＣＣＵ１２の実施の形態であるＣＣＵ１２ｂの機能の構成例を示すブロック図である。なお、図中、図８のＣＣＵ１２ａと対応する部分には同じ符号を付してあり、処理が同じ部分については、その説明は繰り返しになるので、適宜省略する。
【０２１６】
ＣＣＵ１２ｂは、ＣＣＵ１２ａと比較して、信号処理部２０２の代わりに信号処理部４０１が設けられている点が異なる。信号処理部４０１は、信号処理部２０２と比較して、ワード同期検出・データストリーム再生部２１２の代わりに、ワード同期検出・データストリーム再生部４１１が設けられている点が異なる。
【０２１７】
ワード同期検出・データストリーム再生部４１１には、Ｓ／Ｐ変換された伝送用データストリームがＳ／Ｐ変換・クロック再生部２１１から供給される。そして、ワード同期検出・データストリーム再生部４１１は、伝送用データストリームからワード同期信号を検出し、伝送用データストリームの同期を取る。また、ワード同期検出・データストリーム再生部４１１は、放送用カメラ１１ｂの多重部３１１と逆の処理により、伝送用データストリームから６４チャンネルのＨＤ−ＳＤＩのデータストリームを再生し、映像再生部２１３に供給する。
【０２１８】
｛第２の実施の形態における映像信号送信処理｝
次に、図２７のフローチャートを参照して、第２の実施の形態において放送用カメラ１１ｂにより実行される映像信号送信処理について説明する。
【０２１９】
ステップＳ１０１において、図１０のステップＳ１の処理と同様に、映像信号（８Ｋ信号）が６４チャンネルのＨＤ−ＳＤＩにマッピングされる。このとき、図１６を参照して上述した第１の多重方法、又は、図１７を参照して上述した第２の多重方法により、６４チャンネルのＨＤ−ＳＤＩの水平補助データ領域に補助データ及び余剰画素が多重される。
【０２２０】
ステップＳ１０２において、多重部３１１−１乃至３１１−４は、ＨＤ−ＳＤＩのデータストリームをブロック単位で８Ｂ／１０Ｂ変換する。
【０２２１】
具体的には、多重部３１１−１の８Ｂ／１０Ｂ変換部３３１−１の受信部３４１−１には、チャンネル１のＨＤ−ＳＤＩが入力される。受信部３４１−１は、ＨＤ−ＳＤＩのＳ／Ｐ変換及びデスクランブルを行い、１４８．５ＭＨｚのクロック信号に同期して、１ワード（１０ビット）単位でデータを抽出し、ＴＲＳ検出部３４２−１に供給する。
【０２２２】
ＴＲＳ検出部３４２−１は、ＨＤ−ＳＤＩに含まれるＳＡＶ及びＥＡＶを検出し、ＨＤ−ＳＤＩのワード同期を取る。そして、ＴＲＳ検出部３４２−１は、１４８．５ＭＨｚのクロック信号の４クロック毎に、ＨＤ−ＳＤＩのＳＡＶの先頭から順に４０ビット（１０ビット×４クロック）単位でデータを抽出し、ＲＡＭ３４３−１に記憶させる。
【０２２３】
８Ｂ／１０Ｂエンコーダ３４４−１は、１４８．５ＭＨｚのクロック信号の４クロック毎に、ＲＡＭ３４３−１から４０ビットのデータブロックを読み出し、読み出したデータブロックの８Ｂ／１０Ｂ変換を行う。そして、８Ｂ／１０Ｂエンコーダ３４４−１は、８Ｂ／１０Ｂ変換後の５０ビットのデータブロックをデータストリーム生成部３３２に供給する。
【０２２４】
なお、図２８及び図２９の右側に示されるように、多重部３１１−１に入力される他の奇数チャンネルのＨＤ−ＳＤＩについても同様に、ＳＡＶの先頭から順番に４０ビットのブロック単位で８Ｂ／１０Ｂ変換が行われる。そして、８Ｂ／１０Ｂ変換後の５０ビットのデータブロックが、データストリーム生成部３３２に供給される。
【０２２５】
なお、偶数チャンネルのＨＤ−ＳＤＩに対しては、第１の実施の形態と同様の処理が行われる。すなわち、偶数チャンネルのＨＤ−ＳＤＩのＳＡＶの先頭から順番に４０ビットのデータブロックから３２ビットのデータが抽出され、８Ｂ／１０Ｂ変換される。そして、８Ｂ／１０Ｂ変換後の４０ビットのデータブロックが、データストリーム生成部３３２に供給される。
【０２２６】
以上のようにして、図３０に模式的に示されるように、チャンネル１乃至１６のＨＤ−ＳＤＩからそれぞれ生成された５０ビット又は４０ビットのデータブロックが、４クロック毎にデータストリーム生成部３３２に供給される。これにより、図３１にモデル化して示したように、実質的に、１８０ビット／サンプルのデータが１クロック毎にデータストリーム生成部３３２に供給される処理が、４クロック周期で繰り返される。従って、実質的に１８０ビット×１４８．５ＭＨｚのデータストリームが、データストリーム生成部３３２に供給されることになる。
【０２２７】
なお、多重部３１１−２乃至３１１−４においても同様の処理が行われる。すなわち、各多重部３１１に入力される１６チャンネルのＨＤ−ＳＤＩのうち、奇数チャンネルのＨＤ−ＳＤＩに対して、ＳＡＶの先頭から順番に４０ビットのブロック単位で８Ｂ／１０Ｂ変換が行われる。そして、８Ｂ／１０Ｂ変換後の５０ビットの各データブロックが、データストリーム生成部３３２に供給される。また、偶数チャンネルのＨＤ−ＳＤＩに対して、ＳＡＶの先頭から順番に４０ビットのデータブロックから３２ビットのデータが抽出され、８Ｂ／１０Ｂ変換される。そして、８Ｂ／１０Ｂ変換後の４０ビットの各データブロックが、データストリーム生成部３３２に供給される。
【０２２８】
図２７に戻り、ステップＳ１０３において、多重部３１１は、伝送用データストリームを生成する。
【０２２９】
具体的には、多重部３１１−１のデータストリーム生成部３３２は、１６７．０６２５ＭＨｚのクロック信号に同期して、８Ｂ／１０Ｂエンコーダ１５４及び８Ｂ／１０Ｂエンコーダ３４４から供給されるデータブロックを所定の順序に並べ、１６０ビット単位でデータを抽出する。そして、データストリーム生成部３３２は、抽出したデータからなるワード長が１６０ビットのパラレルデータを生成し、Ｐ／Ｓ変換部１３４に出力する。
【０２３０】
このようにして、チャンネル１乃至１６のＨＤ−ＳＤＩを多重した伝送用データストリームが生成され、Ｐ／Ｓ変換部１３４に供給される。また、データストリームのビットレートが、１８０ビット×１４８．５ＭＨｚから１６０ビット×１６７．０６２５ＭＨｚに変換される。
【０２３１】
また、このとき、データストリーム生成部３３２は、チャンネル１のＨＤ−ＳＤＩの各ラインのＳＡＶから始まる先頭の２ワード以上（２０ビット以上）のデータを、８Ｂ／１０Ｂ符号のコンマキャラクターであるＫ２８．５等に置き換える。この置き換えられたデータは、伝送用データストリームの同期信号として用いられる。
【０２３２】
また、多重部３１１−２乃至３１１−４のデータストリーム生成部３３２も、それぞれ多重部３１１−１のデータストリーム生成部３３２と同様の処理を行い、伝送用データストリームを生成し、Ｐ／Ｓ変換部１３４に供給する。
【０２３３】
なお、チャンネル１７、３３、４９のＨＤ−ＳＤＩの各ラインのＳＡＶから始まる先頭の２ワード以上のデータが、チャンネル１のＨＤ−ＳＤＩと同様に、８Ｂ／１０Ｂ符号のコンマキャラクターであるＫ２８．５等に置き換えられる。
【０２３４】
ステップＳ１０４において、図１０のステップＳ４の処理と同様に、４レーンの伝送用データストリームが送信される。
【０２３５】
｛第２の実施の形態における映像信号受信処理｝
次に、図３２のフローチャートを参照して、図２７の映像信号送信処理に対応して、ＣＣＵ１２ｂにより実行される映像信号受信処理について説明する。
【０２３６】
ステップＳ１５１において、図２３のステップＳ５１の処理と同様に、４レーンの伝送用データストリームが受信される。
【０２３７】
ステップＳ１５２において、図２３のステップＳ５２の処理と同様に、４レーンの伝送用データストリームがＳ／Ｐ変換される。
【０２３８】
ステップＳ１５３において、ワード同期検出・データストリーム再生部４１１は、伝送用データストリームからＨＤ−ＳＤＩのデータストリームを再生する。具体的には、ワード同期検出・データストリーム再生部４１１は、４レーンの伝送用データストリームに多重されているワード同期信号を検出し、伝送用データストリームの同期を取る。そして、ワード同期検出・データストリーム再生部４１１は、放送用カメラ１１ｂの多重部３１１と逆の処理により、４レーンの伝送用データストリームから６４チャンネルのＨＤ−ＳＤＩを再生する。ワード同期検出・データストリーム再生部４１１は、再生した６４チャンネルのＨＤ−ＳＤＩを映像再生部２１３に供給する。
【０２３９】
ステップＳ１５４において、図２３のステップＳ５４の処理と同様に、６４チャンネルのＨＤ−ＳＤＩから元の８Ｋ信号が再生される。
【０２４０】
以上のようにして、第１の実施の形態と異なる方法により、７６８０×４３２０／５０Ｐ−６０Ｐ／４：４：４／１０ビット，１２ビット、７６８０×４３２０／５０Ｐ−６０Ｐ／４：２：２／１２ビット、８１９２×４３２０／４８Ｐ−６０Ｐ／４：４：４／１０ビット，１２ビット、又は、８１９２×４３２０／４８Ｐ−６０Ｐ／４：２：２／１２ビットの映像信号を、４レーンの伝送用データストリームにより１００ＧｂＥ用デバイスで伝送することができる。
【０２４１】
＜５．第３の実施の形態＞
次に、図３３乃至図４１を参照して、本技術の第３の実施の形態について説明する。
【０２４２】
第３の実施の形態では、１００ＧｂＥ用デバイスを用いて４８Ｐ−６０Ｐの８Ｋ信号の伝送が行われる。この４８Ｐ−６０Ｐの８Ｋ信号には、７６８０×４３２０／５０Ｐ−６０Ｐ／４：２：２／１０ビット、及び、８１９２×４３２０／４８Ｐ−６０Ｐ／４：２：２／１０ビットの映像信号が含まれる。
【０２４３】
｛放送用カメラ１１ｂの構成例｝
図３３は、第３の実施の形態における放送用カメラ１１の実施の形態である放送用カメラ１１ｃの機能の構成例を示すブロック図である。なお、図中、図２４の放送用カメラ１１ｂと対応する部分には同じ符号を付してあり、処理が同じ部分については、その説明は繰り返しになるので、適宜省略する。
【０２４４】
放送用カメラ１１ｃは、放送用カメラ１１ｂと比較して、撮像素子１０１及び信号処理部３０１の代わりに、撮像素子５０１及び信号処理部５０２が設けられている点が異なる。信号処理部５０２は、マッピング部５１１、並びに、多重部５１２−１及び５１２−２を含むように構成される。
【０２４５】
撮像素子５０１は、例えば、ＣＭＯＳイメージセンサ、ＣＣＤイメージセンサ等により構成される。撮像素子５０１は、撮影の結果得られる映像信号を信号処理部５０２のマッピング部５１１に供給する。この映像信号は、例えば、７６８０×４３２０／５０Ｐ−６０Ｐ／４：２：２／１０ビット、又は、８１９２×４３２０／４８Ｐ−６０Ｐ／４：２：２／１０ビットの映像信号である。
【０２４６】
マッピング部５１１は、後述するように、撮像素子５０１から供給される映像信号をマッピングした３２チャンネルのＨＤ−ＳＤＩを生成する。そして、マッピング部５１１は、チャンネル１乃至１６のＨＤ−ＳＤＩを多重部５１２−１に供給し、チャンネル１７乃至３２のＨＤ−ＳＤＩを多重部５１２−２に供給する。
【０２４７】
多重部５１２−１及び５１２−２は、後述するように、それぞれマッピング部５１１から供給される１６チャンネルのＨＤ−ＳＤＩのチャンネルコーディングを行い、多重化することにより、伝送用データストリームを生成する。そして、多重部５１２−１及び５１２−２は、生成した伝送用データストリームを送信制御部１０３に供給する。
【０２４８】
なお、以下、多重部５１２−１及び５１２−２を個々に区別する必要がない場合、単に多重部５１２と称する。
【０２４９】
｛多重部５１２の構成例｝
図３４は、多重部５１２の機能の構成例を示すブロック図である。なお、図中、図６の多重部１１２及び図２５の多重部３１１と対応する部分には、同じ符号を付してあり、処理が同じ部分については、その説明は適宜省略する。
【０２５０】
多重部５１２は、多重部３１１と比較して、８Ｂ／１０Ｂ変換部１３２−１乃至１３２−８の代わりに、スクランブル部１３１−１乃至１３１−８が設けられている点が異なる。
【０２５１】
従って、多重部５１２では、奇数チャンネルのＨＤ−ＳＤＩに対して、多重部３１１の奇数チャンネルのＨＤ−ＳＤＩと同様に、４０ビット単位で８Ｂ／１０Ｂ変換が行われる。また、多重部５１２では、偶数チャンネルのＨＤ−ＳＤＩに対して、多重部１１２の奇数チャンネルのＨＤ−ＳＤＩと同様に、４０ビット単位でスクランブルが行われる。
【０２５２】
｛ＣＣＵ１２ｃの構成例｝
図３５は、第３の実施の形態におけるＣＣＵ１２の実施の形態であるＣＣＵ１２ｃの機能の構成例を示すブロック図である。なお、図中、図２６のＣＣＵ１２ｂと対応する部分には同じ符号を付してあり、処理が同じ部分については、その説明は繰り返しになるので、適宜省略する。
【０２５３】
ＣＣＵ１２ｃは、ＣＣＵ１２ｂと比較して、信号処理部４０１の代わりに信号処理部６０１が設けられている点が異なる。信号処理部６０１は、信号処理部４０１と比較して、ワード同期検出・データストリーム再生部４１１及び映像再生部２１３の代わりに、ワード同期検出・データストリーム再生部６１１及び映像再生部６１２が設けられている点が異なる。
【０２５４】
ワード同期検出・データストリーム再生部６１１には、Ｓ／Ｐ変換された伝送用データストリームがＳ／Ｐ変換・クロック再生部２１１から供給される。そして、ワード同期検出・データストリーム再生部６１１は、伝送用データストリームからワード同期信号を検出し、伝送用データストリームの同期を取る。また、ワード同期検出・データストリーム再生部６１１は、放送用カメラ１１ｃの多重部５１２と逆の処理により、伝送用データストリームから３２チャンネルのＨＤ−ＳＤＩのデータストリームを再生し、映像再生部６１２に供給する。
【０２５５】
映像再生部６１２は、放送用カメラ１１ｃのマッピング部５１１と逆の処理により、３２チャンネルのＨＤ−ＳＤＩから元の８Ｋ信号を再生し、映像処理部２０３に供給する。
【０２５６】
｛第３の実施の形態における映像信号送信処理｝
次に、図３６のフローチャートを参照して、第３の実施の形態において放送用カメラ１１ｃにより実行される映像信号送信処理について説明する。
【０２５７】
ステップＳ２０１において、信号処理部５０２のマッピング部５１１は、映像信号をＨＤ−ＳＤＩのデータストリームにマッピングする。具体的には、マッピング部５１１は、８Ｋ信号を３２チャンネルのＨＤ−ＳＤＩにマッピングする。ここで、上述した図１４を参照して、８Ｋ信号を３２チャンネルのＨＤ−ＳＤＩにマッピングする方法の具体例について説明する。
【０２５８】
この第３の実施の形態では、第１の実施の形態及び第２の実施の形態と異なり、各サブイメージからライン間引きにより生成されたインターレースの映像信号が、リンクＢを用いずに、リンクＡのＨＤ−ＳＤＩ（図１４ではベーシックストリームと記載している）のみにマッピングされる。従って、８Ｋ信号から合計で３２チャンネルのＨＤ−ＳＤＩが生成される。
【０２５９】
また、第３の実施の形態では、第１の実施の形態及び第２の実施の形態とは、補助データ及び余剰画素の多重方法が異なる。
【０２６０】
（補助データ及び余剰画素の第１の多重方法）
図３７の左側の図は、補助データ及び余剰画素の第１の多重方法を示している。なお、図３７には、マッピング部５１１から多重部５１２−１に供給されるチャンネル１乃至１６のＨＤ−ＳＤＩのみ図示しているが、残りのチャンネル１７乃至３２のＨＤ−ＳＤＩについても同様の方法により補助データ及び余剰画素が多重される。
【０２６１】
第３の実施の形態における第１の多重方法は、第１の実施の形態における第１の多重方法と比較して、補助データを多重するＨＤ−ＳＤＩのチャンネルが異なっている。
【０２６２】
具体的には、図１６に示される第１の実施の形態における第１の多重方法では、奇数チャンネルの補助データ多重領域が使用され、偶数チャンネルの補助データ多重領域は使用されなかった。一方、第３の実施の形態では、後述するように、伝送用データストリームの生成時に、奇数チャンネル及び偶数チャンネルのＨＤ−ＳＤＩとも、各ワードの全てのビットを用いて８Ｂ／１０Ｂ変換又はスクランブルが行われる。そのため、第３の実施の形態では、奇数チャンネル及び偶数チャンネルの両方の補助データ多重領域を使用することが可能である。
【０２６３】
従って、第３の実施の形態の第１の多重方法では、３２チャンネルのＨＤ−ＳＤＩの全ての補助データ多重領域に補助データが多重される。これにより、３２チャンネルのＨＤ−ＳＤＩに対して、最大で３２個のオーディオデータパケットを多重することができる。
【０２６４】
従って、第１の実施の形態の第１の多重方法と同様に、最大で６４チャンネルの３２ｋＨｚ、４４．１ｋＨｚ若しくは４８ｋＨｚサンプリングのオーディオ信号を多重して伝送することができる。また、最大で３２チャンネルの９６ｋＨｚサンプリングのオーディオ信号を多重して伝送することができる。
【０２６５】
なお、余剰画素多重領域相対比率は、第１の実施の形態の第１の多重方法の場合と同じ値になる。
【０２６６】
（補助データ及び余剰画素の第２の多重方法）
図３８の左側の図は、補助データ及び余剰画素の第２の多重方法を示している。この第２の多重方法は、例えば、オーディオ信号の多重を優先する場合、或いは、左右の余剰画素領域の画素サンプルのデータを多重する必要がない場合に用いられる。
【０２６７】
なお、図３８には、マッピング部５１１から多重部５１２−１に供給されるチャンネル１乃至１６のＨＤ−ＳＤＩのみ図示しているが、残りのチャンネル１７乃至３２のＨＤ−ＳＤＩについても同様の方法により補助データ及び余剰画素が多重される。
【０２６８】
第３の実施の形態における第２の多重方法は、第１の実施の形態における第２の多重方法と比較して、補助データを多重するＨＤ−ＳＤＩのチャンネルが異なっている。
【０２６９】
具体的には、図１７に示される第１の実施の形態における第２の多重方法では、チャンネル１、１７、３３、４９のＨＤ−ＳＤＩの水平補助データ領域に補助データが多重される。一方、第３の実施の形態における第２の多重方法では、チャンネル１、２、１７、１８のＨＤ−ＳＤＩの水平補助データ領域に補助データが多重される。
【０２７０】
このとき、ＳＭＰＴＥ２９９−１の規定に従って、チャンネル１、２、１７、１８のＨＤ−ＳＤＩの各水平補助データ領域に、オーディオデータパケットが最大で４パケット×２回多重される。これにより、３２チャンネルのＨＤ−ＳＤＩに対して、最大で３２個のオーディオデータパケットを多重することができる。
【０２７１】
従って、第１の実施の形態の第２の多重方法と同様に、最大で６４チャンネルの３２ｋＨｚ、４４．１ｋＨｚ若しくは４８ｋＨｚサンプリングのオーディオ信号を多重して伝送することができる。また、最大で３２チャンネルの９６ｋＨｚサンプリングのオーディオ信号を多重して伝送することができる。
【０２７２】
なお、ＨＤ−ＳＤＩの有効映像データ領域が２０４８サンプルの場合には、最大で３２チャンネルの３２ｋＨｚ、４４．１ｋＨｚ若しくは４８ｋＨｚサンプリングのオーディオ信号を多重して伝送することができる。また、最大で１６チャンネルの９６ｋＨｚサンプリングのオーディオ信号を多重して伝送することができる。
【０２７３】
そして、余剰画素多重領域相対比率は、次式（１１）乃至（１５）に示される値となる。なお、式（１１）は７６８０×４３２０／６０Ｐの映像信号を伝送する場合の比率を示し、式（１２）は７６８０×４３２０／５０Ｐの映像信号を伝送する場合の比率を示している。式（１３）は８１９２×４３２０／６０Ｐの映像信号を伝送する場合の比率を示し、式（１４）は８１９２×４３２０／５０Ｐの映像信号を伝送する場合の比率を示し、式（１５）は８１９２×４３２０／２４Ｐの映像信号を伝送する場合の比率を示している。
【０２７４】
（2200−1920−12）×28÷32÷1920＝0.122＝12.2％  ・・・（１１）
（2640−1920−12）×28÷32÷1920＝0.323＝32.3%  ・・・（１２）
（2200−2048−12）×28÷32÷2048＝0.059＝5.9%  ・・・（１３）
（2640−2048−12）×28÷32÷2048＝0.248＝24.8%  ・・・（１４）
（2750−2048−12）×28÷32÷2048＝0.295＝29.5%  ・・・（１５）
【０２７５】
結果的に、第１の実施の形態の第２の多重方法の場合と同じ値になる。
【０２７６】
以上のようにして、８Ｋ信号が３２チャンネルのＨＤ−ＳＤＩにマッピングされる。なお、以上に説明した８Ｋ信号のマッピング方法は、その一例であり、他の方法を用いて、８Ｋ信号を３２チャンネルのＨＤ−ＳＤＩにマッピングするようにしてもよい。
【０２７７】
そして、マッピング部５１１は、チャンネル１乃至１６のＨＤ−ＳＤＩを多重部５１２−１に供給し、チャンネル１７乃至３２のＨＤ−ＳＤＩを多重部５１２−２に供給する。
【０２７８】
図３６に戻り、ステップＳ２０２において、多重部５１２は、ＨＤ−ＳＤＩをブロック単位でスクランブル又は８Ｂ／１０Ｂ変換する。
【０２７９】
具体的には、奇数チャンネルのＨＤ−ＳＤＩに対して、第２の実施の形態における奇数チャンネルのＨＤ−ＳＤＩに対する処理と同様の処理が行われる。すなわち、奇数チャンネルのＨＤ−ＳＤＩのＳＡＶの先頭から順番に４０ビットのブロック単位で８Ｂ／１０Ｂ変換が行われる。そして、８Ｂ／１０Ｂ変換後の５０ビットのデータブロックが、データストリーム生成部３３２に供給される。
【０２８０】
また、偶数チャンネルのＨＤ−ＳＤＩに対して、第１の実施の形態における偶数チャンネルのＨＤ−ＳＤＩに対する処理と同様の処理が行われる。すなわち、偶数チャンネルのＨＤ−ＳＤＩのＳＡＶの先頭から順番に４０ビットのブロック単位でスクランブルが行われる。そして、スクランブル後の４０ビットのデータブロックが、データストリーム生成部３３２に供給される。
【０２８１】
これにより、図３９に模式的に示されるように、１６チャンネルのＨＤ−ＳＤＩからそれぞれ生成された５０ビット又は４０ビットのデータブロックが、４クロック毎にデータストリーム生成部３３２に供給される。その結果、図４０にモデル化して示したように、実質的に、１８０ビット／サンプルのデータが１クロック毎にデータストリーム生成部３３２に供給される処理が、４クロック周期で繰り返される。従って、実質的に１８０ビット×１４８．５ＭＨｚのデータストリームが、データストリーム生成部３３２に供給されることになる。
【０２８２】
ステップＳ２０３において、多重部５１２は、伝送用データストリームを生成する。このとき、図２７のステップＳ１０３と同様の処理により、伝送用データストリームが生成される。すなわち、チャンネル１乃至１６のＨＤ−ＳＤＩから第１レーンの伝送用データストリームが生成され、Ｐ／Ｓ変換部１３４供給される。また、チャンネル１７乃至３２のＨＤ−ＳＤＩから第２レーンの伝送用データストリームが生成され、Ｐ／Ｓ変換部１３４供給される。
【０２８３】
ステップＳ２０４において、図１０のステップＳ４と同様の処理により、２レーンの伝送用データストリームが送信される。
【０２８４】
｛第３の実施の形態における映像信号受信処理｝
次に、図４１のフローチャートを参照して、ＣＣＵ１２ｂにより実行される映像信号受信処理について説明する。
【０２８５】
ステップＳ２５１において、図２３のステップＳ５１と同様の処理により、２レーンの伝送用データストリームが受信される。
【０２８６】
ステップＳ２５２において、図２３のステップＳ５２と同様の処理により、２レーンの伝送用データストリームがＳ／Ｐ変換される。
【０２８７】
ステップＳ２５３において、ワード同期検出・データストリーム再生部６１１は、伝送用データストリームからＨＤ−ＳＤＩのデータストリームを再生する。具体的には、ワード同期検出・データストリーム再生部６１１は、２レーンの伝送用データストリームに多重されているワード同期信号を検出し、伝送用データストリームの同期を取る。そして、ワード同期検出・データストリーム再生部６１１は、放送用カメラ１１ｃの多重部５１２と逆の処理により、２レーンの伝送用データストリームから３２チャンネルのＨＤ−ＳＤＩを再生する。ワード同期検出・データストリーム再生部６１１は、再生した３２チャンネルのＨＤ−ＳＤＩを映像再生部６１２に供給する。
【０２８８】
ステップＳ２５４において、映像再生部６１２は、ＨＤ−ＳＤＩのデータストリームから映像信号を再生する。具体的には、映像再生部６１２は、放送用カメラ１１ｃのマッピング部５１１と逆の処理により、３２チャンネルのＨＤ−ＳＤＩから元の８Ｋ信号を再生する。映像再生部２１３は、再生した８Ｋ信号を映像処理部２０３に供給する。
【０２８９】
以上のようにして、７６８０×４３２０／５０Ｐ−６０Ｐ／４：２：２／１０ビット、及び、８１９２×４３２０／４８Ｐ−６０Ｐ／４：２：２／１０ビットの映像信号を、２レーンの伝送用データストリームにより１００ＧｂＥ用デバイスで伝送することができる。
【０２９０】
＜６．第４の実施の形態＞
次に、図４２及び図４３を参照して、本技術の第４の実施の形態について説明する。
【０２９１】
第４の実施の形態では、１００ＧｂＥ用デバイスを用いて９６Ｐ−１２０Ｐの８Ｋ信号の伝送が行われる。すなわち、第４の実施の形態では、第１乃至第３の実施の形態と比較して、フレームレートが倍の８Ｋ信号の伝送が行われる。この９６Ｐ−１２０Ｐの８Ｋ信号には、７６８０×４３２０／１００Ｐ−１２０Ｐ／４：４：４，４：２：２／１０ビット，１２ビット、及び、８１９２×４３２０／９６Ｐ−１２０Ｐ／４：４：４，４：２：２／１０ビット，１２ビットの映像信号が含まれる。
【０２９２】
第４の実施の形態は、第１乃至第３の実施の形態と比較して、８Ｋ信号から４Ｋ信号が生成された後、４Ｋ信号をサブイメージにマッピングする処理が異なる。
【０２９３】
具体的には、図４２に示されるように、連続する２フレームの４Ｋ信号が、第１乃至第８のサブイメージにマッピングされる。すなわち、連続する２フレームの第１及び第２の４Ｋ信号から（２フレーム単位で）、４ライン間隔で各ラインの隣り合う２つの画素サンプルのペアが、１つ置きに間引かれて第１乃至第８のサブイメージにマッピングされる。
【０２９４】
なお、図４２では、図を分かりやすくするために、４Ｋ信号の垂直補助データ領域及び水平補助データ領域の図示を省略している。また、図４２は、４Ｋ信号が３８４０サンプルの場合の例を示している。
【０２９５】
なお、図４２では、４Ｋ信号のサンプル番号及びライン番号は０からスタートするものとする。従って、４Ｋ信号の有効画素領域には、０サンプルから３８３９サンプルまでの合計３８４０サンプルと、０ラインから２１５９ラインまでの合計２１６０ラインが存在する。一方、図４２では、サブイメージのサンプル番号は０からスタートし、ライン番号は１からスタートするものとする。従って、サブイメージには、０サンプルから２１９９サンプルまでの合計２２００サンプルと、１ラインから１１２５ラインまでの合計１１２５ラインが存在する。ただし、サブイメージの１ライン当たりのサンプル数は、一例であり、映像信号のシステムによって変動する。
【０２９６】
ここで、さらに図４３も参照して、第１及び第２の４Ｋ信号から第１乃至第８のサブイメージへの画素サンプルのマッピング方法の詳細について説明する。
【０２９７】
図４３は、各サブイメージのフォーマットの例を示している。このフォーマットは、ＳＭＰＴＥ２７４Ｍで規定されている１９２０×１０８０／５０Ｐ−６０Ｐ信号のフォーマットとほぼ同様である。ただし、垂直ブランキング領域と映像データ領域の配置が異なっている。
【０２９８】
まず、第１乃至第８のサブイメージの先頭の第１ラインから第２１ラインまでの２１ラインの領域に、垂直ブランキング領域が設けられる。
【０２９９】
次に、第１の４Ｋ信号の第４ｇ＋ｈライン（ｇ＝０〜５３９，ｈ＝０〜３）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋２２ラインの第２ｉサンプル及び第２ｉ＋１サンプルにマッピングされる。
【０３００】
次に、第１乃至第８のサブイメージの第５６２ラインから第５８３ラインまでの２２ラインの領域に、垂直ブランキング領域が設けられる。なお、この垂直ブランキング領域を設けずに、省略することも可能である。
【０３０１】
次に、第２の４Ｋ信号の第４ｇ＋ｈライン（ｇ＝０〜５３９，ｈ＝０〜３）の第４ｉ＋２ｊサンプル及び第４ｉ＋２ｊ＋１サンプル（ｉ＝０〜９５９，ｊ＝０〜１）の画素サンプルが、第２ｈ＋ｊ＋１のサブイメージの第ｇ＋５８４ラインの第２ｉサンプル及び第２ｉ＋１サンプルにマッピングされる。
【０３０２】
さらに、第１乃至第８のサブイメージの第１１２４ラインから第１１２５ラインまでの２ラインの領域に、垂直ブランキング領域が設けられる。
【０３０３】
以上のように、連続する２フレームの４Ｋ信号から、４ライン間隔で各ラインの隣り合う２つの画素サンプルのペアが１つ置きに間引かれて、第１乃至第８のサブイメージにマッピングされる。これにより、連続する２フレームの８Ｋ信号から第１乃至第３２のサブイメージが生成される。
【０３０４】
なお、第１乃至第８のサブイメージの第５６２ラインから第５８３ラインまでの垂直ブランキング領域を設けずに、省略することも可能である。
【０３０５】
そして、各サブイメージに対して、第１乃至第３の実施の形態と同様の処理を行うことにより、伝送用データストリームが生成され、１００ＧｂＥ用デバイスにより伝送することが可能になる。
【０３０６】
具体的には、例えば、７６８０×４３２０／１００Ｐ−１２０Ｐ／４：４：４／１０ビット，１２ビット、７６８０×４３２０／１００Ｐ−１２０Ｐ／４：２：２／１２ビット、８１９２×４３２０／９６Ｐ−１２０Ｐ／４：４：４／１０ビット，１２ビット、又は、８１９２×４３２０／９６Ｐ−１２０Ｐ／４：２：２／１２ビットの映像信号を伝送する場合、図４２及び図４３の処理を用いることにより、２フレームの８Ｋ信号から第１乃至第３２のサブイメージが生成される。
【０３０７】
そして、第１乃至第３２のサブイメージに対して、第１の実施の形態又は第２の実施の形態と同様の処理を行うことにより、１２８チャンネルのＨＤ−ＳＤＩが生成される。また、第１の実施の形態又は第２の実施の形態と同様の処理を行うことにより、１２８チャンネルのＨＤ−ＳＤＩから８レーンの伝送用データストリームが生成される。そして、連続する２フレームの８Ｋ信号を８レーンの伝送用データストリームにより１００ＧｂＥ用デバイスで伝送することができる。
【０３０８】
このとき、図９の光ファイバ２７１−１，２７１−２は、それぞれ４レーンの伝送用データストリームを伝送可能なので、生成された８レーンの伝送用データストリームを１本の光ファイバケーブル１３で伝送することができる。
【０３０９】
一方、７６８０×４３２０又は８１９２×４３２０／１００Ｐ−１２０Ｐ／４：２：２／１０ビットの映像信号を伝送する場合、図４２及び図４３の処理を用いることにより、２フレームの８Ｋ信号から第１乃至第３２のサブイメージが生成される。
【０３１０】
そして、第１乃至第３２のサブイメージに対して、第３の実施の形態と同様の処理を行うことにより、６４チャンネルのＨＤ−ＳＤＩが生成される。また、第３の実施の形態と同様の処理を行うことにより、６４チャンネルのＨＤ−ＳＤＩから４レーンの伝送用データストリームが生成される。そして、連続する２フレームの８Ｋ信号を４レーンの伝送用データストリームにより１００ＧｂＥ用デバイスで伝送することができる。
【０３１１】
＜７．第５の実施の形態＞
次に、図４４乃至図５１を参照して、本技術の第５の実施の形態について説明する。
【０３１２】
第５の実施の形態では、１００ＧｂＥ用デバイスを用いて４８Ｐ−６０Ｐの４ＫのＲＡＷ信号の伝送が行われる。この４８Ｐ−６０Ｐの４ＫのＲＡＷ信号には、３８４０×２１６０／５０Ｐ−６０Ｐ／４：４：４／１６ビット、及び、４０９６×２１６０／４８Ｐ−６０Ｐ／４：４：４／１６ビットのＲＡＷ信号が含まれる。
【０３１３】
｛放送用カメラ１１ｄの構成例｝
図４４は、第５の実施の形態における放送用カメラ１１の実施の形態である放送用カメラ１１ｄの機能の構成例を示すブロック図である。なお、図中、図２４の放送用カメラ１１ｂと対応する部分には同じ符号を付してあり、処理が同じ部分については、その説明は繰り返しになるので、適宜省略する。
【０３１４】
放送用カメラ１１ｄは、放送用カメラ１１ｂと比較して、撮像素子１０１及び信号処理部３０１の代わりに、撮像素子７０１及び信号処理部７０２が設けられている点が異なる。信号処理部７０２は、マッピング部７１１並びに多重部７１２−１及び７１２−２を含むように構成される。
【０３１５】
撮像素子７０１は、例えば、ＣＭＯＳイメージセンサ、ＣＣＤイメージセンサ等により構成される。撮像素子７０１は、撮影の結果得られる映像信号を信号処理部７０２のマッピング部７１１に供給する。この映像信号は、３８４０×２１６０／５０Ｐ−６０Ｐ／４：４：４／１６ビット、又は、４０９６×２１６０／４８Ｐ−６０Ｐ／４：４：４／１６ビットのＲＡＷ信号である。
【０３１６】
マッピング部７１１は、後述するように、撮像素子７０１から供給されるＲＡＷ信号をマッピングした３２チャンネルのＨＤ−ＳＤＩを生成する。そして、マッピング部７１１は、チャンネル１乃至１６のＨＤ−ＳＤＩを多重部７１２−１に供給し、チャンネル１７乃至３２のＨＤ−ＳＤＩを多重部７１２−２に供給する。
【０３１７】
多重部７１２−１及び７１２−２は、後述するように、それぞれマッピング部７１１から供給される１６チャンネルのＨＤ−ＳＤＩのチャンネルコーディングを行い、多重化することにより、伝送用データストリームを生成する。そして、多重部７１２−１及び７１２−２は、生成した伝送用データストリームを送信制御部１０３に供給する。
【０３１８】
なお、以下、多重部７１２−１及び７１２−２を個々に区別する必要がない場合、単に多重部７１２と称する。
【０３１９】
｛多重部７１２の構成例｝
図４５は、多重部７１２の機能の構成例を示すブロック図である。なお、図中、図２５の多重部３１１と対応する部分には、同じ符号を付してあり、処理が同じ部分については、その説明は適宜省略する。
【０３２０】
多重部７１２は、多重部３１１と比較して、８Ｂ／１０Ｂ変換部１３２−１乃至１３２−８の代わりに、８Ｂ／１０Ｂ変換部７３１−１乃至７３１−８が設けられている点が異なる。また、８Ｂ／１０Ｂ変換部７３１−ｉ（ｉ＝１乃至８）は、８Ｂ／１０Ｂ変換部１３２−ｉと比較して、８Ｂ／１０Ｂエンコーダ１５４−ｉの代わりに８Ｂ／１０Ｂエンコーダ７４１−ｉが設けられている点が異なる。
【０３２１】
８Ｂ／１０Ｂエンコーダ７４１−ｉは、所定のビット（例えば、３２ビット）のブロック単位でＲＡＭ１５３−ｉからデータを読み出し、読み出したデータの８Ｂ／１０Ｂ変換を行う。８Ｂ／１０Ｂエンコーダ７４１−ｉは、８Ｂ／１０Ｂ変換後のデータブロックをデータストリーム生成部３３２に供給する。
【０３２２】
なお、以下、８Ｂ／１０Ｂ変換部７３１−１乃至７３１−８を個々に区別する必要がない場合、単に、８Ｂ／１０Ｂ変換部７３１と称する。また、以下、８Ｂ／１０Ｂエンコーダ７４１−１乃至７４１−８を個々に区別する必要がない場合、単に８Ｂ／１０Ｂエンコーダ７４１と称する。
【０３２３】
｛ＣＣＵ１２ｄの構成例｝
図４６は、第５の実施の形態におけるＣＣＵ１２の実施の形態であるＣＣＵ１２ｄの機能の構成例を示すブロック図である。なお、図中、図２６のＣＣＵ１２ｂと対応する部分には同じ符号を付してあり、処理が同じ部分については、その説明は繰り返しになるので、適宜省略する。
【０３２４】
ＣＣＵ１２ｄは、ＣＣＵ１２ｂと比較して、信号処理部４０１の代わりに信号処理部８０１が設けられている点が異なる。信号処理部８０１は、信号処理部４０１と比較して、ワード同期検出・データストリーム再生部４１１及び映像再生部２１３の代わりに、ワード同期検出・データストリーム再生部８１１及び映像再生部８１２が設けられている点が異なる。
【０３２５】
ワード同期検出・データストリーム再生部８１１には、Ｓ／Ｐ変換された伝送用データストリームがＳ／Ｐ変換・クロック再生部２１１から供給される。そして、ワード同期検出・データストリーム再生部８１１は、伝送用データストリームからワード同期信号を検出し、伝送用データストリームのワード同期を取る。また、ワード同期検出・データストリーム再生部８１１は、放送用カメラ１１ｄの多重部７１２と逆の処理により、伝送用データストリームから３２チャンネルのＨＤ−ＳＤＩのデータストリームを再生し、映像再生部８１２に供給する。
【０３２６】
映像再生部８１２は、放送用カメラ１１ｄのマッピング部７１１と逆の処理により、３２チャンネルのＨＤ−ＳＤＩから元の４ＫのＲＡＷ信号を再生し、映像処理部２０３に供給する。
【０３２７】
｛第５の実施の形態における映像信号送信処理｝
次に、図４７のフローチャートを参照して、第５の実施の形態において放送用カメラ１１ｄにより実行される映像信号送信処理について説明する。
【０３２８】
ステップＳ３０１において、信号処理部７０２のマッピング部７１１は、ＲＡＷ信号をＨＤ−ＳＤＩのデータストリームにマッピングする。具体的には、マッピング部７１１は、４ＫのＲＡＷ信号を３２チャンネルのＨＤ−ＳＤＩにマッピングする。ここで、図４８を参照して、４ＫのＲＡＷ信号を３２チャンネルのＨＤ−ＳＤＩにマッピングする方法の具体例について説明する。
【０３２９】
まず、マッピング部７１１は、図１３を参照して上述した方法により、４ＫのＲＡＷ信号を第１乃至第４のサブイメージにマッピングする。この第１乃至第４のサブイメージは、２Ｋ／４８Ｐ−６０Ｐ／４：４：４／１６ビットの映像信号である。
【０３３０】
次に、マッピング部７１１は、第１の実施の形態と同様の方法により、第１乃至第４のサブイメージのライン間引き及びワード間引きを行う。
【０３３１】
すなわち、マッピング部７１１は、ＳＭＰＴＥ３７２の図２等に規定される方式に従って、第１乃至第４のサブイメージをそれぞれ１ライン置きに間引く。これにより、２Ｋ／４８Ｐ−６０Ｐ／４：４：４／１６ビットのプログレッシブの映像信号である各サブイメージから、チャンネル１とチャンネル２の２チャンネルの２Ｋ／４８Ｉ−６０Ｉ／４：４：４／１６ビットのインターレースの映像信号が生成される。
【０３３２】
次に、マッピング部７１１は、ＳＭＰＴＥ３７２の図３等に規定される方式に従って、生成した各インターレースの映像信号をワード毎に間引く。これにより、２Ｋ／４８Ｉ−６０Ｉ／４：４：４／１６ビットの各映像信号から、それぞれ２Ｋ／４８Ｉ−６０Ｉ／４：２：２／１６ビットの２つの映像信号が再生される。
【０３３３】
そして、マッピング部７１１は、２Ｋ／４８Ｉ−６０Ｉ／４：２：２／１６ビットの各映像信号の１６ビットの画素サンプルを上位８ビットと下位８ビットに分けて、２チャンネルのＨＤ−ＳＤＩ（図４８では、２Ｋ／４８Ｉ−６０Ｉ／４：２：２／１０ビットと記載している）に多重する。これにより、図４８に示されるように、１つのサブイメージからそれぞれ８チャンネルのＨＤ−ＳＤＩが生成され、その結果、第１乃至第４のサブイメージから合計で３２チャンネルのＨＤ−ＳＤＩが生成される。
【０３３４】
また、図４９及び図５０の左側に示されるように、マッピング部７１１から多重部７１２−１に供給されるチャンネル１乃至１６のＨＤ−ＳＤＩのうち奇数チャンネルのＨＤ−ＳＤＩの有効映像データ領域に、ＲＡＷデータの画素サンプルの上位８ビットのデータが多重される。同様に、チャンネル１７乃至３２のＨＤ−ＳＤＩのうち奇数チャンネルのＨＤ−ＳＤＩの有効映像データ領域に、ＲＡＷデータの画素サンプルの上位８ビットのデータが多重される。
【０３３５】
また、図４９及び図５０の左側に示されるように、マッピング部７１１から多重部７１２−１に供給されるチャンネル１乃至１６のＨＤ−ＳＤＩのうち偶数チャンネルのＨＤ−ＳＤＩの有効映像データ領域に、ＲＡＷデータの画素サンプルの下位８ビットのデータが多重される。同様に、チャンネル１７乃至３２のＨＤ−ＳＤＩのうち偶数チャンネルのＨＤ−ＳＤＩの有効映像データ領域に、ＲＡＷデータの画素サンプルの下位８ビットのデータが多重される。
【０３３６】
このとき、マッピング部７１１は、各チャンネルのＨＤ−ＳＤＩの水平補助データ領域に、補助データや映像信号の左右の余剰画素を多重する。
【０３３７】
ここで、図４９及び図５０を参照して、補助データ及び余剰画素の多重方法の具体例について説明する。
【０３３８】
（補助データ及び余剰画素の第１の多重方法）
図４９の左側の図は、補助データ及び余剰画素の第１の多重方法を示している。なお、図４９には、マッピング部７１１から多重部７１２−１に供給されるチャンネル１乃至１６のＨＤ−ＳＤＩのみ図示しているが、残りのチャンネル１７乃至３２のＨＤ−ＳＤＩについても同様の方法により補助データ及び余剰画素が多重される。
【０３３９】
補助データは、第１の実施の形態の第１の多重方法と同様に、奇数チャンネルのＨＤ−ＳＤＩの水平補助データ領域に補助データが多重される。これにより、３２チャンネルのＨＤ−ＳＤＩに対して、１ライン当たり最大で１６個のオーディオデータパケットを多重することができる。
【０３４０】
従って、最大で３２チャンネルの３２ｋＨｚ、４４．１ｋＨｚ若しくは４８ｋＨｚサンプリングのオーディオ信号を多重して伝送することができる。また、最大で１６チャンネルの９６ｋＨｚサンプリングのオーディオ信号を多重して伝送することができる。
【０３４１】
また、各チャンネルのＨＤ−ＳＤＩの水平補助データ領域内の余剰画素多重領域には、ＲＡＷ信号の左右の余剰画素領域内の画素サンプルのデータが多重される。より具体的には、奇数チャンネルのＨＤ−ＳＤＩの余剰画素多重領域には、ＲＡＷ信号の左右の余剰画素領域内の画素サンプルの上位８ビットのデータが多重される。偶数チャンネルのＨＤ−ＳＤＩの余剰画素多重領域には、ＲＡＷ信号の左右の余剰画素領域内の画素サンプルの下位８ビットのデータが多重される。
【０３４２】
なお、余剰画素多重領域相対比率は、第１の実施の形態の第１の多重方法の場合と同じ値になる。
【０３４３】
また、ＲＡＷ信号の上下の余剰画素領域内の画素サンプルのデータは、各サブイメージの垂直ブランキング領域に多重することにより、全て伝送することができる。
【０３４４】
（補助データ及び余剰画素の第２の多重方法）
図５０の左側の図は、補助データ及び余剰画素の第２の多重方法を示している。なお、図５０には、マッピング部７１１から多重部７１２−１に供給されるチャンネル１乃至１６のＨＤ−ＳＤＩのみ図示しているが、残りのチャンネル１７乃至３２のＨＤ−ＳＤＩについても同様の方法により補助データ及び余剰画素が多重される。
【０３４５】
第５の実施の形態における第２の多重方法は、第１の実施の形態における第２の多重方法と比較して、補助データを多重するＨＤ−ＳＤＩのチャンネルが異なっている。
【０３４６】
具体的には、図１７に示される第１の実施の形態における第２の多重方法では、チャンネル１、１７、３３、４９のＨＤ−ＳＤＩの水平補助データ領域に補助データが多重される。一方、第５の実施の形態における第２の多重方法では、図５０の左側に示されるように、チャンネル１、３、１７、１９のＨＤ−ＳＤＩの水平補助データ領域に補助データが多重される。
【０３４７】
このとき、ＳＭＰＴＥ２９９−１の規定に従って、チャンネル１、３、１７、１９のＨＤ−ＳＤＩの各水平補助データ領域に、オーディオデータパケットが最大で４パケット×２回多重される。これにより、３２チャンネルのＨＤ−ＳＤＩに対して、最大で３２個のオーディオデータパケットを多重することができる。
【０３４８】
従って、第１の実施の形態の第２の多重方法と同様に、最大で６４チャンネルの３２ｋＨｚ、４４．１ｋＨｚ若しくは４８ｋＨｚサンプリングのオーディオ信号を多重して伝送することができる。また、最大で３２チャンネルの９６ｋＨｚサンプリングのオーディオ信号を多重して伝送することができる。
【０３４９】
なお、ＨＤ−ＳＤＩの有効映像データ領域が２０４８サンプルの場合には、最大で３２チャンネルの３２ｋＨｚ、４４．１ｋＨｚ若しくは４８ｋＨｚサンプリングのオーディオ信号を多重して伝送することができる。また、最大で１６チャンネルの９６ｋＨｚサンプリングのオーディオ信号を多重して伝送することができる。
【０３５０】
また、補助データが多重されるチャンネル１、３、１７、１９、及び、それらのチャンネルとペアになるチャンネル２、４、１８、２０を除く２４チャンネルのＨＤ−ＳＤＩの水平補助データ領域全体が、余剰画素多重領域に割り当てられる。ここで、ＨＤ−ＳＤＩのペアとは、例えば、同じＲＡＷ信号の画素サンプルの上位８ビットと下位８ビットのデータが多重されるＨＤ−ＳＤＩのペアのことである。
【０３５１】
そして、余剰画素多重領域相対比率は、次式（１６）乃至（２０）に示される値となる。なお、式（１６）は３８４０×２１６０／６０ＰのＲＡＷ信号を伝送する場合の比率を示し、式（１７）は３８４０×２１６０／５０ＰのＲＡＷ信号を伝送する場合の比率を示している。式（１８）は４０９６×２１６０／６０ＰのＲＡＷ信号を伝送する場合の比率を示し、式（１９）は４０９６×２１６０／５０ＰのＲＡＷ信号を伝送する場合の比率を示し、式（２０）は４０９６×２１６０／４８Ｐの映像信号を伝送する場合の比率を示している。
【０３５２】
（2200−1920−12）×24÷32÷1920＝0.105＝10.5％  ・・・（１６）
（2640−1920−12）×24÷32÷1920＝0.277＝27.7%  ・・・（１７）
（2200−2048−12）×24÷32÷2048＝0.051＝5.1%  ・・・（１８）
（2640−2048−12）×24÷32÷2048＝0.212＝21.2%  ・・・（１９）
（2750−2048−12）×24÷32÷2048＝0.253＝25.3%  ・・・（２０）
【０３５３】
このように、有効映像データ領域に対して十分な余剰画素多重領域を確保でき、ＲＡＷ信号の左右の余剰画素領域内の画素サンプルのデータを全て多重して伝送することが可能になる。
【０３５４】
なお、ＲＡＷ信号の上下の余剰画素領域内の画素サンプルのデータは、第１の多重方法の場合と同様に、各サブイメージの垂直ブランキング領域に多重することにより、全て伝送することができる。
【０３５５】
以上のようにして、４ＫのＲＡＷ信号が３２チャンネルのＨＤ−ＳＤＩにマッピングされる。なお、以上に説明したＲＡＷ信号のマッピング方法は、その一例であり、他の方法を用いて、ＲＡＷ信号を３２チャンネルのＨＤ−ＳＤＩにマッピングするようにしてもよい。
【０３５６】
そして、マッピング部７１１は、チャンネル１乃至１６のＨＤ−ＳＤＩを多重部７１２−１に供給し、チャンネル１７乃至３２のＨＤ−ＳＤＩを多重部７１２−２に供給する。
【０３５７】
図４７に戻り、ステップＳ３０２において、多重部７１２−１及び７１２−２は、ＨＤ−ＳＤＩのデータストリームをブロック単位で８Ｂ／１０Ｂ変換する。このステップＳ３０２の処理は、８Ｂ／１０Ｂエンコーダ７４１の処理を除いて、第２の実施の形態の図２７のステップＳ１０２の処理と同様である。
【０３５８】
具体的には、８Ｂ／１０Ｂエンコーダ７４１は、第２の実施の形態の放送用カメラ１１ｂの８Ｂ／１０Ｂエンコーダ１５４と異なり、ＨＤ−ＳＤＩの有効映像データ領域及び水平補助データ領域の１ワード（１０ビット）のデータから、ＲＡＷデータの画素サンプルの下位の８ビットのデータを抽出する。その他の８Ｂ／１０Ｂエンコーダ７４１の処理は、８Ｂ／１０Ｂエンコーダ１５４と同様である。
【０３５９】
ステップＳ３０３において、図２７のステップＳ１０３と同様の処理により、伝送用データストリームが生成される。すなわち、チャンネル１乃至１６のＨＤ−ＳＤＩを多重した伝送用データストリーム、及び、チャンネル１７乃至３２のＨＤ−ＳＤＩを多重した伝送用データストリームが生成される。
【０３６０】
ステップＳ３０４において、図１０のステップＳ４と同様の処理により、２レーンの伝送用データストリームが送信される。
【０３６１】
｛第５の実施の形態における映像信号受信処理｝
次に、図５１のフローチャートを参照して、図４７の映像信号送信処理に対応して、ＣＣＵ１２ｄにより実行される映像信号受信処理について説明する。
【０３６２】
ステップＳ３５１において、図２３のステップＳ５１の処理と同様に、２レーンの伝送用データストリームが受信される。
【０３６３】
ステップＳ３５２において、図２３のステップＳ５２の処理と同様に、２レーンの伝送用データストリームがＳ／Ｐ変換される。
【０３６４】
ステップＳ３５３において、ワード同期検出・データストリーム再生部８１１は、伝送用データストリームからＨＤ−ＳＤＩのデータストリームを再生する。具体的には、ワード同期検出・データストリーム再生部８１１は、２レーンの伝送用データストリームに多重されているワード同期信号を検出し、伝送用データストリームのワード同期を取る。そして、ワード同期検出・データストリーム再生部８１１は、放送用カメラ１１ｄの多重部７１２と逆の処理により、２レーンの伝送用データストリームから３２チャンネルのＨＤ−ＳＤＩを再生する。ワード同期検出・データストリーム再生部８１１は、再生した３２チャンネルのＨＤ−ＳＤＩを映像再生部６１２に供給する。
【０３６５】
ステップＳ３５４において、映像再生部８１２は、ＨＤ−ＳＤＩのデータストリームから映像信号を再生する。具体的には、映像再生部８１２は、放送用カメラ１１ｄのマッピング部７１１と逆の処理により、３２チャンネルのＨＤ−ＳＤＩから元の４ＫのＲＡＷ信号を再生する。映像再生部８１２は、再生したＲＡＷ信号を映像処理部２０３に供給する。
【０３６６】
以上のようにして、３８４０×２１６０／５０Ｐ−６０Ｐ／４：４：４／１６ビット、及び、４０９６×２１６０／４８Ｐ−６０Ｐ／４：４：４／１６ビットのＲＡＷ信号を、２レーンの伝送用データストリームにより１００ＧｂＥ用デバイスで伝送することができる。
【０３６７】
＜８．第６の実施の形態＞
次に、本技術の第６の実施の形態について説明する。
【０３６８】
第６の実施の形態では、１００ＧｂＥ用デバイスを用いて９６Ｐ−１２０Ｐの４ＫのＲＡＷ信号の伝送が行われる。この９６Ｐ−１２０Ｐの４ＫのＲＡＷ信号には、３８４０×２１６０／１００Ｐ−１２０Ｐ／４：４：４／１６ビット、及び、４０９６×２１６０／９６Ｐ−１２０Ｐ／４：４：４／１６ビットのＲＡＷ信号が含まれる。
【０３６９】
この第６の実施の形態では、図４２及び図４３を参照して上述した方法と同様の方法により、連続する２フレームの第１及び第２の４ＫのＲＡＷ信号が、第１乃至第８のサブイメージにマッピングされる。
【０３７０】
そして、第５の実施の形態と同様の処理により、第１乃至第８のサブイメージが、６４チャンネルのＨＤ−ＳＤＩにマッピングされ、さらに、６４チャンネルのＨＤ−ＳＤＩから４レーンの伝送用データストリームが生成される。そして、４ＫのＲＡＷ信号が、連続する２フレーム単位で、４レーンの伝送用データストリームにより１００ＧｂＥ用デバイスで伝送される。
【０３７１】
＜９．第７の実施の形態＞
次に、図５２乃至図６０を参照して、本技術の第７の実施の形態について説明する。
【０３７２】
第７の実施の形態では、１００ＧｂＥ用デバイスを用いて５０Ｐ−６０Ｐの８Ｋ信号の伝送が行われる。この５０Ｐ−６０Ｐの８Ｋ信号には、７６８０×４３２０／５０Ｐ−６０Ｐ／４：４：４，４：２：２／１０ビット，１２ビットの映像信号が含まれる。
【０３７３】
｛放送用カメラ１１ｅの構成例｝
図５２は、第７の実施の形態における放送用カメラ１１の実施の形態である放送用カメラ１１ｅの機能の構成例を示すブロック図である。なお、図中、図５の放送用カメラ１１ａと対応する部分には同じ符号を付してあり、処理が同じ部分については、その説明は繰り返しになるので、適宜省略する。
【０３７４】
放送用カメラ１１ｅは、放送用カメラ１１ａと比較して、撮像素子１０１及び信号処理部１０２の代わりに、撮像素子９０１及び信号処理部９０２が設けられている点が異なる。
【０３７５】
撮像素子９０１は、例えば、ＣＭＯＳイメージセンサ、ＣＣＤイメージセンサ等により構成される。撮像素子９０１は、撮影の結果得られる映像信号を信号処理部９０２のマッピング部９１１に供給する。この映像信号は、例えば、７６８０×４３２０／５０Ｐ−６０Ｐ／４：４：４，４：２：２／１０ビット，１２ビットの映像信号である。
【０３７６】
信号処理部９０２は、撮像素子９０１から供給される映像信号を１００ＧｂＥ用デバイスにより伝送可能な方式のデータストリームに多重し、生成したデータストリームを送信制御部１０３に供給する。信号処理部９０２は、マッピング部９１１、並びに、多重部９１２−１乃至９１２−４を含むように構成される。
【０３７７】
マッピング部９１１は、後述するように、撮像素子９０１から供給される映像信号をマッピングした４８チャンネルのシリアルのデータストリーム（以下、ベーシックストリームと称する）を生成する。そして、マッピング部９１１は、チャンネル１乃至１２のベーシックストリームを多重部９１２−１に供給し、チャンネル１３乃至２４のベーシックストリームを多重部９１２−２に供給する。また、マッピング部９１１は、チャンネル２５乃至３６のベーシックストリームを多重部９１２−３に供給し、チャンネル３７乃至４８のベーシックストリームを多重部９１２−４に供給する。
【０３７８】
なお、ベーシックストリームは、ＨＤ−ＳＤＩのデータストリームと比較して、ワード長が１２ビットである点を除いて、ほぼ同様のデータ構成を有している。すなわち、ベーシックストリームは、ＨＤ−ＳＤＩと同様に、ＳＡＶ、ＥＡＶ、有効映像データ領域、及び、水平補助データ領域を有している。
【０３７９】
多重部９１２−１乃至９１２−４は、後述するように、それぞれマッピング部９１１から供給される１２チャンネルのベーシックストリームのチャンネルコーディングを行い、多重化することにより、伝送用データストリームを生成する。そして、多重部９１２−１乃至９１２−４は、生成した伝送用データストリームを送信制御部１０３に供給する。
【０３８０】
なお、以下、多重部９１２−１乃至９１２−４を個々に区別する必要がない場合、単に多重部９１２と称する。
【０３８１】
｛多重部９１２の構成例｝
図５３は、多重部９１２の機能の構成例を示すブロック図である。なお、図中、図６の多重部１１２と対応する部分には同じ符号を付してあり、処理が同じ部分については、その説明は繰り返しになるので省略する。
【０３８２】
多重部９１２は、８Ｂ／１０Ｂ変換部９３１−１乃至９３１−１２、データストリーム生成部９３２、及び、Ｐ／Ｓ変換部１３４を含むように構成される。８Ｂ／１０Ｂ変換部９３１−ｉ（ｉ＝１乃至８）は、受信部９４１−ｉ、ＴＲＳ検出部９４２−ｉ、ＲＡＭ９４３−ｉ、及び、８Ｂ／１０Ｂエンコーダ９４４−ｉをそれぞれ含む。
【０３８３】
多重部９１２に入力される１２チャンネルのベーシックストリームは、８Ｂ／１０Ｂ変換部９３１−１乃至９３１−１２の受信部９４１−１乃至９４１−１２にそれぞれ入力される。
【０３８４】
そして、受信部９４１−１は、入力されたベーシックストリームのＳ／Ｐ変換及びデスクランブルを行い、ＴＲＳ検出部９４２−１に供給する。また、受信部９４１−１は、ベーシックストリームに重畳されているクロック信号の再生を行い、８Ｂ／１０Ｂ変換部９３１−１の各部に供給する。
【０３８５】
ＴＲＳ検出部９４２−１は、ベーシックストリームに含まれるＳＡＶ及びＥＡＶを検出し、ベーシックストリームのワード同期を取る。そして、ＴＲＳ検出部９４２−１は、ベーシックストリームのＳＡＶの先頭から所定のビット（例えば、４８ビット）単位でデータを抽出し、ＲＡＭ９４３−１に記憶させる。
【０３８６】
８Ｂ／１０Ｂエンコーダ９４４−１は、所定のビット（例えば、４８ビット）のブロック単位でＲＡＭ９４３−１からデータを読み出し、読み出したデータの８Ｂ／１０Ｂ変換を行う。８Ｂ／１０Ｂエンコーダ９４４−１は、８Ｂ／１０Ｂ変換後のデータブロックをデータストリーム生成部９３２に供給する。
【０３８７】
８Ｂ／１０Ｂ変換部９３１−２乃至９３１−１２も、それぞれ入力されたベーシックストリームに対して、８Ｂ／１０Ｂ変換部９３１−１と同様の処理を行う。
【０３８８】
なお、以下、８Ｂ／１０Ｂ変換部９３１−１乃至９３１−１２を個々に区別する必要がない場合、単に、８Ｂ／１０Ｂ変換部９３１と称する。また、以下、受信部９４１−１乃至９４１−１２、ＴＲＳ検出部９４２−１乃至９４２−１２、ＲＡＭ９４３−１乃至９４３−１２、及び、８Ｂ／１０Ｂエンコーダ９４４−１乃至９４４−１２を個々に区別する必要がない場合、単に受信部９４１、ＴＲＳ検出部９４２、ＲＡＭ９４３、及び、８Ｂ／１０Ｂエンコーダ９４４と称する。
【０３８９】
データストリーム生成部９３２は、８Ｂ／１０Ｂエンコーダ９４４から供給されるデータブロックを所定の順序で多重化することにより、所定のワード長のパラレルの伝送用データストリームを生成する。データストリーム生成部９３２は、生成した伝送用データストリームをＰ／Ｓ変換部１３４に供給する。
【０３９０】
｛ＣＣＵ１２ｅの構成例｝
図５４は、第７の実施の形態におけるＣＣＵ１２の実施の形態であるＣＣＵ１２ｅの機能の構成例を示すブロック図である。なお、図中、図８のＣＣＵ１２ａと対応する部分には同じ符号を付してあり、処理が同じ部分については、その説明は繰り返しになるので適宜省略する。
【０３９１】
ＣＣＵ１２ｅは、ＣＣＵ１２ａと比較して、信号処理部２０２の代わりに信号処理部１００１が設けられている点が異なる。信号処理部１００１は、信号処理部２０２と比較して、ワード同期検出・データストリーム再生部２１２及び映像再生部２１３の代わりに、ワード同期検出・データストリーム再生部１０１１及び映像再生部１０１２が設けられている点が異なる。
【０３９２】
ワード同期検出・データストリーム再生部１０１１は、Ｓ／Ｐ変換された伝送用データストリームからワード同期信号を検出し、伝送用データストリームの同期を取る。また、ワード同期検出・データストリーム再生部１０１１は、放送用カメラ１１ｅの多重部９１２と逆の処理により、伝送用データストリームから４８チャンネルのベーシックストリームを再生し、映像再生部１０１２に供給する。
【０３９３】
映像再生部１０１２は、放送用カメラ１１ｅのマッピング部９１１と逆の処理により、４８チャンネルのベーシックストリームから元の８Ｋ信号を再生し、映像処理部２０３に供給する。
【０３９４】
｛第７の実施の形態における映像信号送信処理｝
次に、図５５のフローチャートを参照して、第７の実施の形態における放送用カメラ１１ｅにより実行される映像信号送信処理について説明する。
【０３９５】
ステップＳ４０１において、信号処理部９０２のマッピング部９１１は、映像信号をベーシックストリームにマッピングする。具体的には、マッピング部９１１は、８Ｋ信号を４８チャンネルのベーシックストリームにマッピングする。ここで、８Ｋ信号を４８チャンネルのベーシックストリームにマッピングする方法の具体例について説明する。
【０３９６】
例えば、マッピング部９１１は、８Ｋ信号を色信号コンポーネント毎に４分割し、合計で１２個のサブイメージを生成する。すなわち、８Ｋ信号のＲ、Ｇ、Ｂ又はＹ、Ｃｂ、Ｃｒの各色信号コンポーネントが、１ビットインタリーブ又は２ビットインタリーブ等の方式によりそれぞれ４分割される。これにより、合計で１２個の４Ｋ信号からなるサブイメージが生成される。
【０３９７】
次に、マッピング部９１１は、１２個の各サブイメージを、例えば１ビットインタリーブ又は２ビットインタリーブ等の方式により、さらに４分割し、合計で４８個の２Ｋ信号からなるベーシックイメージを生成する。
【０３９８】
そして、マッピング部９１１は、４８個のベーシックイメージをそれぞれ４８チャンネルのベーシックストリームに多重する。ここで、上述したようにベーシックストリームのワード長は１２ビットなので、各ベーシックイメージの画素サンプルの１２ビットのデータを分割することなく、そのままベーシックストリームに多重することができる。
【０３９９】
このとき、マッピング部９１１は、ベーシックストリームの水平補助データ領域に、補助データや映像信号の左右の余剰画素を多重する。
【０４００】
ここで、図５６及び図５７を参照して、補助データ及び余剰画素の多重方法の具体例について説明する。
【０４０１】
（補助データ及び余剰画素の第１の多重方法）
図５６の左側の図は、補助データ及び余剰画素の第１の多重方法を示している。なお、図５６には、マッピング部９１１から多重部９１２−１に供給されるチャンネル１乃至１２のベーシックストリームのみ図示しているが、残りのチャンネル１３乃至４８のベーシックストリームについても同様の方法により補助データ及び余剰画素が多重される。
【０４０２】
具体的には、各ベーシックストリームの水平補助データ領域に補助データ多重領域が確保される。奇数チャンネルの補助データ多重領域は、少なくともオーディオ制御パケットやタイムコードのバイト数以上のサイズに設定され、偶数チャンネルの補助データ多重領域は、オーディオデータパケットのデータ長である３１バイト以上のサイズに設定される。
【０４０３】
そして、偶数チャンネルのベーシックストリームの補助データ多重領域には、ＳＭＰＴＥ２９９−１の規定に準拠したオーディオデータパケットが多重される。また、奇数チャンネルのベーシックストリームの補助データ多重領域には、オーディオ制御パケット、タイムコード、ペイロードＩＤ等が多重される。
【０４０４】
このようにして、４８チャンネルのベーシックストリームに対して、１ライン当たり最大２４個のオーディオデータパケットを多重することができる。
【０４０５】
ここで、例えば、４８ｋＨｚサンプリングのオーディオ信号は、１９２０×１１２５／５０Ｐのベーシックストリームに対して、１ライン当たり平均で約０．８５３回（＝４８ｋＨｚ÷５０Ｈｚ÷１１２５ライン）サンプリングされる。また、例えば、４８ｋＨｚサンプリングのオーディオ信号は、１９２０×１１２５／６０Ｐのベーシックストリームに対して、１ライン当たり平均で約０．７１１回（＝４８ｋＨｚ÷６０Ｈｚ÷１１２５ライン）サンプリングされる。すなわち、４８ｋＨｚサンプリングのオーディオ信号は、１９２０×１１２５／５０Ｐ，６０Ｐのベーシックストリームの１ライン又は２ラインに１回サンプリングされる。
【０４０６】
従って、４８ｋＨｚサンプリングのオーディオ信号を１９２０×１１２５／５０Ｐ，６０Ｐのベーシックストリームに多重して伝送する場合、各チャンネルのオーディオ信号を最大で１ラインに１サンプル多重する必要がある。そして、上述したように、１ライン当たり２４個のオーディオデータパケットを多重することができるので、４８ｋＨｚサンプリングのオーディオ信号を最大で９６チャンネル（＝４チャンネル×２４個）多重して伝送することができる。
【０４０７】
なお、４４．１ｋＨｚ、４８ｋＨｚサンプリングのオーディオ信号も同様に、最大で９６チャンネル伝送することができる。一方、９６ｋＨｚサンプリングのオーディオ信号の場合、その半分の最大で４８チャンネル伝送することができる。
【０４０８】
また、各チャンネルのベーシックストリームの水平補助データ領域内の補助データ多重領域を除く余剰画素多重領域には、８Ｋ信号の左右の余剰画素領域内の画素サンプルのデータが多重される。
【０４０９】
そして、例えば、補助データ多重領域を３１バイトとした場合、余剰画素多重領域相対比率は、次式（２１）及び（２２）に示される値となる。なお、式（２１）は７６８０×４３２０／６０Ｐの映像信号を伝送する場合の比率を示し、式（２２）は７６８０×４３２０／５０Ｐの映像信号を伝送する場合の比率を示している。
【０４１０】
（2200−1920−12−31）÷1920＝0.123＝12.3％  ・・・（２１）
（2640−1920−12−31）÷1920＝0.353＝35.3％  ・・・（２２）
【０４１１】
このように、有効映像データ領域に対して十分な余剰画素多重領域を確保でき、８Ｋ信号の左右の余剰画素領域内の画素サンプルのデータを全て多重して伝送することが可能になる。
【０４１２】
なお、８Ｋ信号の上下の余剰画素領域内の画素サンプルのデータは、各ベーシックイメージの垂直ブランキング領域に多重することにより、全て伝送することができる。
【０４１３】
（補助データ及び余剰画素の第２の多重方法）
図５７の左側の図は、補助データ及び余剰画素の第２の多重方法を示している。なお、図５７には、マッピング部９１１から多重部９１２−１に供給されるチャンネル１乃至１２のベーシックストリームのみ図示しているが、残りのチャンネル１３乃至４８のベーシックストリームについても同様の方法により補助データ及び余剰画素が多重される。
【０４１４】
具体的には、チャンネル２、１４、２６、３８のベーシックストリームの水平補助データ領域に、オーディオデータパケットが最大で４パケット×２回多重される。また、チャンネル１、１３、２５、３７のベーシックストリームの水平補助データ領域に、オーディオ制御パケット、ペイロードＩＤ、タイムコード等が多重される。
【０４１５】
従って、４８チャンネルのベーシックストリームに対して、最大で３２個のオーディオデータパケットを多重することができる。これにより、最大で１２８チャンネルの３２ｋＨｚ、４４．１ｋＨｚ若しくは４８ｋＨｚサンプリングのオーディオ信号を多重して伝送することができる。また、最大で６４チャンネルの９６ｋＨｚサンプリングのオーディオ信号を多重して伝送することができる。
【０４１６】
なお、ベーシックストリームの有効映像データ領域が２０４８サンプルの場合、ＨＤ−ＳＤＩの場合と同様に、水平補助データ領域に多重できるオーディオデータパケットの個数は、有効映像データ領域が１９２０サンプルの場合の半分になる。従って、ベーシックストリームの有効映像データ領域が２０４８サンプルの場合、最大で６４チャンネルの３２ｋＨｚ、４４．１ｋＨｚ、４８ｋＨｚサンプリングのオーディオ信号を多重して伝送することができる。また、最大で３２チャンネルの９６ｋＨｚサンプリングのオーディオ信号を多重して伝送することができる。
【０４１７】
また、補助データが多重されるチャンネル１、２、１３、１４、２５、２６、３７及び３８を除く４０チャンネルのベーシックストリームの水平補助データ領域全体が、余剰画素多重領域に割り当てられる。
【０４１８】
そして、余剰画素多重領域相対比率は、次式（２３）及び（２４）に示される値となる。なお、式（２３）は７６８０×４３２０／６０Ｐの映像信号を伝送する場合の比率を示し、式（２４）は７６８０×４３２０／５０Ｐの映像信号を伝送する場合の比率を示している。
【０４１９】
（2200−1920−12）×40÷48÷1920＝0.116＝11.6％  ・・・（２３）
（2640−1920−12）×40÷48÷1920＝0.307＝30.7%  ・・・（２４）
【０４２０】
このように、有効映像データ領域に対して十分な余剰画素多重領域を確保でき、８Ｋ信号の左右の余剰画素領域内の画素サンプルのデータを全て多重して伝送することが可能になる。
【０４２１】
なお、８Ｋ信号の上下の余剰画素領域内の画素サンプルのデータは、各ベーシックイメージの垂直ブランキング領域に多重することにより、全て伝送することができる。
【０４２２】
以上のようにして、８Ｋ信号が４８チャンネルのベーシックストリームにマッピングされる。なお、以上に説明した８Ｋ信号のマッピング方法は、その一例であり、他の方法を用いて、８Ｋ信号を４８チャンネルのベーシックストリームにマッピングするようにしてもよい。
【０４２３】
そして、マッピング部９１１は、チャンネル１乃至１２のベーシックストリームを多重部９１２−１に供給し、チャンネル１３乃至２４のベーシックストリームを多重部９１２−２に供給する。また、マッピング部９１１は、チャンネル２５乃至３６のベーシックストリームを多重部９１２−３に供給し、チャンネル３７乃至４８のベーシックストリームを多重部９１２−４に供給する。
【０４２４】
図５５に戻り、ステップＳ４０２において、多重部９１２は、ベーシックストリームをブロック単位で８Ｂ／１０Ｂ変換する。
【０４２５】
具体的には、多重部９１２−１の８Ｂ／１０Ｂ変換部９３１−１の受信部９４１−１には、チャンネル１のベーシックストリームが入力される。受信部９４１−１は、ベーシックストリームのＳ／Ｐ変換及びデスクランブルを行い、１４８．５ＭＨｚのクロック信号に同期して、１ワード（１２ビット）単位でデータを抽出し、ＴＲＳ検出部９４２−１に供給する。
【０４２６】
ＴＲＳ検出部９４２−１は、ベーシックストリームに含まれるＳＡＶ及びＥＡＶを検出し、ベーシックストリームのワード同期を取る。そして、ＴＲＳ検出部９４２−１は、１４８．５ＭＨｚのクロック信号の４クロック毎に、ベーシックストリームの先頭から順に４８ビット（１２ビット×４クロック）単位でデータを抽出し、ＲＡＭ９４３−１に記憶させる。
【０４２７】
８Ｂ／１０Ｂエンコーダ９４４−１は、１４８．５ＭＨｚのクロック信号の４クロック毎に、ＲＡＭ９４３−１から４８ビットのデータブロックを読み出し、読み出したデータブロックの８Ｂ／１０Ｂ変換を行う。そして、８Ｂ／１０Ｂエンコーダ９４４−１は、８Ｂ／１０Ｂ変換後の６０ビットのデータブロックをデータストリーム生成部９３２に供給する。
【０４２８】
なお、図５６及び図５７の右側に示されるように、多重部９１２−１に入力される他のチャンネルのベーシックストリームについても同様に、ＳＡＶの先頭から順番に４８ビットのブロック単位で８Ｂ／１０Ｂ変換が行われる。そして、８Ｂ／１０Ｂ変換後の６０ビットのデータブロックが、データストリーム生成部９３２に供給される。
【０４２９】
以上のようにして、図５８に模式的に示されるように、チャンネル１乃至１２のベーシックストリームからそれぞれ生成された６０ビットのデータブロックが、４クロック毎にデータストリーム生成部９３２に供給される。これにより、図６０にモデル化して示したように、実質的に、１８０ビット／サンプルのデータが１クロック毎にデータストリーム生成部９３２に供給される処理が、４クロック周期で繰り返される。従って、実質的に１８０ビット×１４８．５ＭＨｚのデータストリームが、データストリーム生成部９３２に供給されることになる。
【０４３０】
なお、多重部９１２−２乃至９１２−４においても同様の処理が行われる。すなわち、各多重部９１２に入力される１２チャンネルのベーシックストリームに対して、ＳＡＶの先頭から順番に４８ビットのブロック単位で８Ｂ／１０Ｂ変換が行われる。そして、８Ｂ／１０Ｂ変換後の６０ビットの各データブロックが、データストリーム生成部９３２に供給される。
【０４３１】
図５５に戻り、ステップＳ４０３において、多重部９１２は、伝送用データストリームを生成する。
【０４３２】
具体的には、多重部９１２−１のデータストリーム生成部９３２は、１６７．０６２５ＭＨｚのクロック信号に同期して、８Ｂ／１０Ｂエンコーダ９４４から供給されるデータブロックを所定の順序に並べ、１６０ビット単位でデータを抽出する。そして、データストリーム生成部９３２は、抽出したデータからなるワード長が１６０ビットのパラレルデータを生成し、Ｐ／Ｓ変換部１３４に出力する。
【０４３３】
このようにして、チャンネル１乃至１２のベーシックストリームを多重した伝送用データストリームが生成され、Ｐ／Ｓ変換部１３４に供給される。また、データストリームのビットレートが、１８０ビット×１４８．５ＭＨｚから１６０ビット×１６７．０６２５ＭＨｚに変換される。
【０４３４】
また、このとき、データストリーム生成部９３２は、チャンネル１のベーシックストリームの各ラインのＳＡＶから始まる先頭の２ワード以上（２４ビット以上）のデータを、８Ｂ／１０Ｂ符号のコンマキャラクターであるＫ２８．５等に置き換える。この置き換えられたデータは、伝送用データストリームの同期信号として用いられる。
【０４３５】
また、多重部９１２−２乃至９１２−４のデータストリーム生成部９３２も、それぞれ多重部９１２−１のデータストリーム生成部９３２と同様の処理を行い、伝送用データストリームを生成し、Ｐ／Ｓ変換部１３４に供給する。これにより、チャンネル１３乃至２４、チャンネル２５乃至３６、及び、チャンネル３７乃至４８のベーシックストリームをそれぞれ多重した伝送用データストリームが生成され、Ｐ／Ｓ変換部１３４に供給される。
【０４３６】
なお、チャンネル１３、２５、３７のベーシックストリームの各ラインのＳＡＶから始まる先頭の２ワード以上のデータが、チャンネル１のベーシックストリームと同様に、８Ｂ／１０Ｂ符号のコンマキャラクターであるＫ２８．５等に置き換えられる。
【０４３７】
ステップＳ４０４において、図１０のステップＳ４の処理と同様に、４レーンの伝送用データストリームが送信される。
【０４３８】
｛第７の実施の形態における映像信号受信処理｝
次に、図６０のフローチャートを参照して、図５５の映像信号送信処理に対応して、ＣＣＵ１２ｅにより実行される映像信号受信処理について説明する。
【０４３９】
ステップＳ４５１において、図２３のステップＳ５１の処理と同様に、４レーンの伝送用データストリームが受信される。
【０４４０】
ステップＳ４５２において、図２３のステップＳ５２の処理と同様に、４レーンの伝送用データストリームがＳ／Ｐ変換される。
【０４４１】
ステップＳ４５３において、ワード同期検出・データストリーム再生部１０１１は、伝送用データストリームからベーシックストリームを再生する。具体的には、ワード同期検出・データストリーム再生部１０１１は、４レーンの伝送用データストリームに多重されているワード同期信号を検出し、伝送用データストリームの同期を取る。そして、ワード同期検出・データストリーム再生部１０１１は、放送用カメラ１１ｅの多重部９１２と逆の処理により、４レーンの伝送用データストリームから４８チャンネルのベーシックストリームを再生する。ワード同期検出・データストリーム再生部１０１１は、再生した４８チャンネルのベーシックストリームを映像再生部１０１２に供給する。
【０４４２】
ステップＳ４５４において、映像再生部１０１２は、ベーシックストリームから映像信号を再生する。具体的には、映像再生部１０１２は、放送用カメラ１１ｅのマッピング部９１１と逆の処理により、４８チャンネルのベーシックストリームから元の８Ｋ信号を再生する。映像再生部１０１２は、再生した８Ｋ信号を映像処理部２０３に供給する。
【０４４３】
以上のようにして、７６８０×４３２０／５０Ｐ−６０Ｐ／４：４：４，４：２：２／１０ビット，１２ビットの映像信号を、４レーンの伝送用データストリームにより１００ＧｂＥ用デバイスで伝送することができる。
【０４４４】
＜１０．第８の実施の形態＞
次に、図６１乃至図６９を参照して、本技術の第８の実施の形態について説明する。
【０４４５】
第８の実施の形態では、１００ＧｂＥ用デバイスを用いて１００Ｐ−１２０Ｐの８Ｋ信号の伝送が行われる。この１００Ｐ−１２０Ｐの８Ｋ信号には、７６８０×４３２０／１００Ｐ−１２０Ｐ／４：４：４，４：２：２／１０ビット，１２ビットの映像信号が含まれる。
【０４４６】
｛放送用カメラ１１ｅの構成例｝
図６１は、第８の実施の形態における放送用カメラ１１の実施の形態である放送用カメラ１１ｆの機能の構成例を示すブロック図である。なお、図中、図５２の放送用カメラ１１ｅと対応する部分には同じ符号を付してあり、処理が同じ部分については、その説明は繰り返しになるので、適宜省略する。
【０４４７】
放送用カメラ１１ｆは、放送用カメラ１１ｅと比較して、撮像素子９０１及び信号処理部９０２の代わりに、撮像素子１１０１及び信号処理部１１０２が設けられている点が異なる。
【０４４８】
撮像素子１１０１は、例えば、ＣＭＯＳイメージセンサ、ＣＣＤイメージセンサ等により構成される。撮像素子１１０１は、撮影の結果得られる映像信号を信号処理部１１０２のマッピング部１１１１に供給する。この映像信号は、例えば、７６８０×４３２０／１００Ｐ−１２０Ｐ／４：４：４，４：２：２／１０ビット，１２ビットの映像信号である。
【０４４９】
信号処理部１１０２は、撮像素子１１０１から供給される映像信号を１００ＧｂＥ用デバイスにより伝送可能な方式のデータストリームに多重し、そのデータストリームを送信制御部１０３に供給する。信号処理部１１０２は、マッピング部１１１１、並びに、多重部１１１２−１乃至１１１２−４を含むように構成される。
【０４５０】
マッピング部１１１１は、後述するように、撮像素子１１０１から供給される映像信号をマッピングした４８チャンネルのベーシックストリームを生成する。そして、マッピング部１１１１は、チャンネル１乃至６のベーシックストリームを多重部１１１２−１に供給し、チャンネル７乃至１２のベーシックストリームを多重部１１１２−２に供給する。また、マッピング部１１１１は、チャンネル１３乃至１８のベーシックストリームを多重部１１１２−３に供給し、チャンネル１９乃至２４のベーシックストリームを多重部１１１２−４に供給する。さらに、マッピング部１１１１は、チャンネル２５乃至３０のベーシックストリームを多重部１１１２−５に供給し、チャンネル３１乃至３６のベーシックストリームを多重部１１１２−６に供給する。また、マッピング部１１１１は、チャンネル３７乃至４２のベーシックストリームを多重部１１１２−７に供給し、チャンネル４３乃至４８のベーシックストリームを多重部１１１２−８に供給する。
【０４５１】
多重部１１１２−１乃至１１１２−８は、後述するように、それぞれマッピング部１１１１から供給される６チャンネルのベーシックストリームのチャンネルコーディングを行い、多重化することにより、伝送用データストリームを生成する。そして、多重部１１１２−１乃至１１１２−８は、生成した伝送用データストリームを送信制御部１０３に供給する。
【０４５２】
なお、以下、多重部１１１２−１乃至１１１２−８を個々に区別する必要がない場合、単に多重部１１１２と称する。
【０４５３】
｛多重部１１１２の構成例｝
図６２は、多重部１１１２の機能の構成例を示すブロック図である。なお、図中、図５３の多重部９１２と対応する部分には同じ符号を付してあり、処理が同じ部分については、その説明は繰り返しになるので省略する。
【０４５４】
多重部１１１２は、多重部９１２と比較して、データストリーム生成部９３２の代わりにデータストリーム生成部１１３１が設けられ、８Ｂ／１０Ｂ変換部９３１の数が１２から６に減っている点が異なる。
【０４５５】
データストリーム生成部１１３１は、８Ｂ／１０Ｂエンコーダ９４４−１乃至９４４−６から供給されるデータブロックを所定の順序で多重化することにより、所定のワード長のパラレルの伝送用データストリームを生成する。データストリーム生成部１１３１は、生成した伝送用データストリームをＰ／Ｓ変換部１３４に供給する。
【０４５６】
｛ＣＣＵ１２ｆの構成例｝
図６３は、第８の実施の形態におけるＣＣＵ１２の実施の形態であるＣＣＵ１２ｆの機能の構成例を示すブロック図である。なお、図中、図５４のＣＣＵ１２ｅと対応する部分には同じ符号を付してあり、処理が同じ部分については、その説明は繰り返しになるので適宜省略する。
【０４５７】
ＣＣＵ１２ｆは、ＣＣＵ１２ｅと比較して、信号処理部１００１の代わりに信号処理部１２０１が設けられている点が異なる。信号処理部１２０１は、信号処理部１００１と比較して、ワード同期検出・データストリーム再生部１０１１及び映像再生部１０１２の代わりに、ワード同期検出・データストリーム再生部１２１１及び映像再生部１２１２が設けられている点が異なる。
【０４５８】
ワード同期検出・データストリーム再生部１２１１は、シリアル／パラレル変換された伝送用データストリームからワード同期信号を検出する。また、ワード同期検出・データストリーム再生部１２１１は、放送用カメラ１１ｆの多重部１１１２と逆の処理により、伝送用データストリームから４８チャンネルのベーシックストリームを再生し、映像再生部１２１２に供給する。
【０４５９】
映像再生部１２１２は、放送用カメラ１１ｆのマッピング部１１１１と逆の処理により、４８チャンネルのベーシックストリームから元の８Ｋ信号を再生し、映像処理部２０３に供給する。
【０４６０】
｛第８の実施の形態における映像信号送信処理｝
次に、図６４のフローチャートを参照して、第８の実施の形態において放送用カメラ１１ｆにより実行される映像信号送信処理について説明する。
【０４６１】
ステップＳ５０１において、信号処理部１１０２のマッピング部１１１１は、映像信号をベーシックストリームにマッピングする。
【０４６２】
具体的には、マッピング部１１１１は、図５５のステップＳ４０１におけるマッピング部９１１と同様の処理により、８Ｋ信号を４８チャンネルのベーシックストリームにマッピングする。また、このとき、マッピング部１１１１は、ベーシックストリームの水平補助データ領域に、補助データや映像信号の左右の余剰画素を多重する。
【０４６３】
ここで、図６５及び図６６を参照して、補助データ及び余剰画素の多重方法の具体例について説明する。
【０４６４】
（補助データ及び余剰画素の第１の多重方法）
図６５の左側の図は、補助データ及び余剰画素の第１の多重方法を示している。なお、図６５には、マッピング部１１１１から多重部１１１２−１に供給されるチャンネル１乃至６のベーシックストリームのみ図示しているが、残りのチャンネル７乃至４８のベーシックストリームについても同様の方法により補助データ及び余剰画素が多重される。
【０４６５】
具体的には、この第１の多重方法では、第７の実施の形態の第１の多重方法と同様の方法により、補助データ及び余剰画素が多重される。すなわち、各チャンネルのベーシックストリームの水平補助データ領域に補助データ多重領域が確保される。また、偶数チャンネルのベーシックストリームの補助データ多重領域に、ＳＭＰＴＥ２９９−１の規定に準拠したオーディオデータパケットが多重される。さらに、奇数チャンネルのベーシックストリームの補助データ多重領域に、オーディオ制御パケット、タイムコード、ペイロードＩＤ等が多重される。また、各チャンネルのベーシックストリームの水平補助データ領域内の補助データ多重領域を除く余剰画素多重領域には、８Ｋ信号の左右の余剰画素領域内の画素サンプルのデータが多重される。
【０４６６】
従って、第７の実施の形態の第１の多重方法と同様に、４８チャンネルのベーシックストリームに対して、１ライン当たり最大２４個のオーディオデータパケットを多重することができる。
【０４６７】
ここで、例えば、４８ｋＨｚサンプリングのオーディオ信号は、１９２０×１１２５／１００Ｐのベーシックストリームに対して、１ライン当たり平均で約０．４２６回（＝４８ｋＨｚ÷１００Ｈｚ÷１１２５ライン）サンプリングされる。また、例えば、４８ｋＨｚサンプリングのオーディオ信号は、１９２０×１１２５／１２０Ｐのベーシックストリームに対して、１ライン当たり平均で約０．３５６回（＝４８ｋＨｚ÷１２０Ｈｚ÷１１２５ライン）サンプリングされる。すなわち、４８ｋＨｚサンプリングのオーディオ信号は、１９２０×１１２５／５０Ｐ，６０Ｐのベーシックストリームの２ライン又は３ラインに１回サンプリングされる。
【０４６８】
従って、４８ｋＨｚサンプリングのオーディオ信号を１９２０×１１２５／１００Ｐ，１２０Ｐのベーシックストリームに多重して伝送する場合、各チャンネルのオーディオ信号を最大で２ラインに１サンプル多重する必要がある。そして、上述したように、１ライン当たり２４個のオーディオデータパケットを多重することができるので、４８ｋＨｚサンプリングのオーディオ信号を最大で１９２チャンネル（＝４チャンネル×２４個×２）多重して伝送することができる。
【０４６９】
なお、４４．１ｋＨｚ、４８ｋＨｚサンプリングのオーディオ信号も同様に、最大で１９２チャンネル伝送することができる。一方、９６ｋＨｚサンプリングのオーディオ信号の場合、その半分の最大で９６チャンネル伝送することができる。
【０４７０】
なお、例えば、余剰画素多重領域相対比率は、第７の実施の形態の第１の多重方法の場合と同じになる。
【０４７１】
（補助データ及び余剰画素の第２の多重方法）
図６６の左側の図は、補助データ及び余剰画素の第２の多重方法を示している。なお、図６６には、マッピング部１１１１から多重部１１１２−１に供給されるチャンネル１乃至６のベーシックストリームのみ図示しているが、残りのチャンネル７乃至４８のベーシックストリームについても同様の方法により補助データ及び余剰画素が多重される。
【０４７２】
具体的には、チャンネル２、８、１４、２０、２６、３２、３８、４４のベーシックストリームの水平補助データ領域に、オーディオデータパケットが最大で４パケット×２回多重される。また、チャンネル１、７、１３、１９、２５、３１、３７、４３のベーシックストリームの水平補助データ領域に、オーディオ制御パケット、ペイロードＩＤ、タイムコード等が多重される。
【０４７３】
従って、４８チャンネルのベーシックストリームに対して、最大で６４個のオーディオデータパケットを多重することができる。これにより、最大で２５６チャンネルの３２ｋＨｚ、４４．１ｋＨｚ若しくは４８ｋＨｚサンプリングのオーディオ信号を多重して伝送することができる。また、最大で１２８チャンネルの９６ｋＨｚサンプリングのオーディオ信号を多重して伝送することができる。
【０４７４】
なお、上述したように、ベーシックストリームの有効映像データ領域が２０４８サンプルの場合、有効映像データ領域が１９２０サンプルの場合の半分になる。従って、ベーシックストリームの有効映像データ領域が２０４８サンプルの場合、最大で１２８チャンネルの３２ｋＨｚ、４４．１ｋＨｚ、４８ｋＨｚサンプリングのオーディオ信号を多重して伝送することができる。また、最大で６４チャンネルの９６ｋＨｚサンプリングのオーディオ信号を多重して伝送することができる。
【０４７５】
また、補助データが多重されるチャンネル１、２、７、８、１３、１４、１９、２０、２５、２６、３１、３２、３７、３８、４３、４４を除く４０チャンネルのベーシックストリームの水平補助データ領域全体が、余剰画素多重領域に割り当てられる。
【０４７６】
そして、余剰画素多重領域相対比率は、次式（２５）及び（２６）に示される値となる。なお、式（２５）は７６８０×４３２０／１２０Ｐの映像信号を伝送する場合の比率を示し、式（２６）は７６８０×４３２０／１００Ｐの映像信号を伝送する場合の比率を示している。
【０４７７】
（2200−1920−12）×32÷48÷1920＝0.093＝9.3％  ・・・（２５）
（2640−1920−12）×32÷48÷1920＝0.246＝24.6%  ・・・（２６）
【０４７８】
このように、有効映像データ領域に対して十分な余剰画素多重領域を確保でき、８Ｋ信号の左右の余剰画素領域内の画素サンプルのデータを全て多重して伝送することが可能になる。
【０４７９】
なお、８Ｋ信号の上下の余剰画素領域内の画素サンプルのデータは、各ベーシックイメージの垂直ブランキング領域に多重することにより、全て伝送することができる。
【０４８０】
以上のようにして、８Ｋ信号が４８チャンネルのベーシックストリームにマッピングされる。なお、以上に説明した８Ｋ信号のマッピング方法は、その一例であり、他の方法を用いて、８Ｋ信号を４８チャンネルのベーシックストリームにマッピングするようにしてもよい。
【０４８１】
そして、マッピング部１１１１は、チャンネル１乃至６のベーシックストリームを多重部１１１２−１に供給し、チャンネル７乃至１２のベーシックストリームを多重部１１１２−２に供給する。また、マッピング部１１１１は、チャンネル１３乃至１８のベーシックストリームを多重部１１１２−３に供給し、チャンネル１９乃至２４のベーシックストリームを多重部１１１２−４に供給する。さらに、マッピング部１１１１は、チャンネル２５乃至３０のベーシックストリームを多重部１１１２−５に供給し、チャンネル３１乃至３６のベーシックストリームを多重部１１１２−６に供給する。また、マッピング部１１１１は、チャンネル３７乃至４２のベーシックストリームを多重部１１１２−７に供給し、チャンネル４３乃至４８のベーシックストリームを多重部１１１２−８に供給する。
【０４８２】
図６４に戻り、ステップＳ５０２において、図５５のステップＳ４０２の処理と同様に、４８チャンネルのベーシックストリームがブロック単位で８Ｂ／１０Ｂ変換される。そして、８Ｂ／１０Ｂ変換後の６０ビットの各データブロックが、データストリーム生成部１１３１に供給される。ただし、図５５のステップＳ４０２の処理と異なり、２９７ＭＨｚのクロック信号の４クロック毎に、８Ｂ／１０Ｂ変換が行われる。
【０４８３】
従って、図６７に模式的に示されるように、例えば、チャンネル１乃至６のベーシックストリームからそれぞれ生成された６０ビットのデータブロックが、４クロック毎に多重部１１１２−１からデータストリーム生成部１１３１に供給される。これにより、図６８にモデル化して示したように、実質的に、９０ビット／サンプルのデータが１クロック毎に多重部１１１２−１からデータストリーム生成部１１３１に供給される処理が、４クロック周期で繰り返される。従って、実質的に９０ビット×２９７ＭＨｚのデータストリームが、各多重部１１１２からデータストリーム生成部１１３１に供給されることになる。
【０４８４】
ステップＳ５０３において、多重部１１１２は、伝送用データストリームを生成する。
【０４８５】
具体的には、多重部１１１２−１のデータストリーム生成部１１３１は、１６７．０６２５ＭＨｚのクロック信号に同期して、８Ｂ／１０Ｂエンコーダ９４４から供給されるデータブロックを所定の順序に並べ、１６０ビット単位でデータを抽出する。そして、データストリーム生成部１１３１は、抽出したデータからなるワード長が１６０ビットのパラレルデータを生成し、Ｐ／Ｓ変換部１３４に出力する。
【０４８６】
このようにして、チャンネル１乃至６のベーシックストリームを多重した伝送用データストリームが生成され、Ｐ／Ｓ変換部１３４に供給される。また、データストリームのビットレートが、９０ビット×２９７ＭＨｚから１６０ビット×１６７．０６２５ＭＨｚに変換される。
【０４８７】
また、このとき、データストリーム生成部１１３１は、チャンネル１のベーシックストリームの各ラインのＳＡＶから始まる先頭の２ワード以上（２４ビット以上）のデータを、８Ｂ／１０Ｂ符号のコンマキャラクターであるＫ２８．５等に置き換える。この置き換えられたデータは、伝送用データストリームの同期信号として用いられる。
【０４８８】
また、多重部１１１２−２乃至１１１２−８のデータストリーム生成部９３２も、それぞれ多重部１１１２−１のデータストリーム生成部１１３１と同様の処理を行い、伝送用データストリームを生成し、Ｐ／Ｓ変換部１３４に供給する。これにより、チャンネル７乃至１２、チャンネル１３乃至１８、チャンネル１９乃至２４、チャンネル２５乃至３０、チャンネル３１乃至３６、チャンネル３７乃至４２、及び、チャンネル４３乃至４８のベーシックストリームをそれぞれ多重した伝送用データストリームが生成され、Ｐ／Ｓ変換部１３４に供給される。
【０４８９】
なお、チャンネル７、１３、１９、２５、３１、３７及び４３のベーシックストリームの各ラインのＳＡＶから始まる先頭の２ワード以上のデータが、チャンネル１のベーシックストリームと同様に、８Ｂ／１０Ｂ符号のコンマキャラクターであるＫ２８．５等に置き換えられる。
【０４９０】
ステップＳ５０４において、図１０のステップＳ４と同様の処理により、８レーンの伝送用データストリームが送信される。このとき、上述したように、１本の光ファイバケーブル１３で８レーンの伝送用データストリームを一度に伝送することができる。
【０４９１】
｛第８の実施の形態における映像信号受信処理｝
次に、図６９のフローチャートを参照して、図６４の映像信号送信処理に対応して、ＣＣＵ１２ｆにより実行される映像信号受信処理について説明する。
【０４９２】
ステップＳ５５１において、図２３のステップＳ５１の処理と同様に、８レーンの伝送用データストリームが受信される。
【０４９３】
ステップＳ５５２において、図２３のステップＳ５２の処理と同様に、８レーンの伝送用データストリームがＳ／Ｐ変換される。
【０４９４】
ステップＳ５５３において、ワード同期検出・データストリーム再生部１２１１は、伝送用データストリームからベーシックストリームを再生する。具体的には、ワード同期検出・データストリーム再生部１２１１は、８レーンの伝送用データストリームに多重されているワード同期信号を検出し、伝送用データストリームの同期を取る。そして、ワード同期検出・データストリーム再生部１２１１は、放送用カメラ１１ｆの多重部１１１２と逆の処理により、８レーンの伝送用データストリームから４８チャンネルのベーシックストリームを再生する。ワード同期検出・データストリーム再生部１２１１は、再生した４８チャンネルのベーシックストリームを映像再生部１２１２に供給する。
【０４９５】
ステップＳ４５４において、映像再生部１２１２は、ベーシックストリームから映像信号を再生する。具体的には、映像再生部１２１２は、放送用カメラ１１ｆのマッピング部１１１１と逆の処理により、４８チャンネルのベーシックストリームから元の８Ｋ信号を再生する。映像再生部１２１２は、再生した８Ｋ信号を映像処理部２０３に供給する。
【０４９６】
以上のようにして、７６８０×４３２０／１００Ｐ−１２０Ｐ／４：４：４，４：２：２／１０ビット，１２ビットの映像信号を、８レーンの伝送用データストリームにより１００ＧｂＥ用デバイスで伝送することができる。
【０４９７】
以上のように、本技術の第１乃至第８の実施の形態を用いて、８Ｋ又は４Ｋの映像信号を、１００ＧｂＥ用デバイスを用いて伝送することが可能になる。
【０４９８】
例えば、ＩＴＵにてＵＨＤＴＶの映像信号規格が制定されたり、日本の総務省がＵＨＤＴＶの放送を前倒しするなど、ＵＨＤＴＶの開発、商品化に拍車がかかっている。一方、スタジオ内インタフェースに関しては、ＳＭＰＴＥ２０３６−３で規定される方式では６０Ｐまでのフレームレートまでしか対応しておらず、ＩＴＵで規格化されたＵＨＤＴＶ／１２０Ｐ信号に対する有効な伝送方式が存在しない。さらに、ＵＨＤＴＶ２／１２０Ｐ信号は最大で１４４Ｇｂｐｓにも達する超大容量の映像信号であるが、ＵＨＤＴＶ２／１２０Ｐ信号に対する有効な伝送方式も存在しない。そこで、本技術を適用することにより、将来普及し価格が安くなることが見込まれる１００ＧｂＥ用の光モジュールを用いて、ＵＨＤＴＶ／１２０ＰやＵＨＤＴＶ２／１２０Ｐの映像信号を伝送することが可能になる。
【０４９９】
また、本技術の第１乃至第６の実施の形態は、ＳＭＰＴＥ２０３６−３等の既存の規格と整合性が取れており、従来の技術や製品を適用したり、応用したりすることが容易である。
【０５００】
さらに、本技術を用いれば、有効画素領域が１９２０サンプルか２０４８サンプルかに関わらず、多チャンネルのオーディオ信号を多重して伝送することができる。また、８Ｋ又は４Ｋの映像信号の垂直方向及び水平方向の余剰画素領域の画素サンプルのデータを全て多重して伝送することができる。
【０５０１】
さらに、本技術では、有効画素領域と余剰画素領域に対して同じ信号処理が行われるため、信号処理が容易になり、例えば、回路規模や処理時間を縮小することができる。
【０５０２】
＜１１．変形例＞
なお、第１乃至第６の実施の形態では、マッピング部で映像信号を複数チャンネルのＨＤ−ＳＤＩのデータストリームにマッピングして多重部に供給する例を示したが、３Ｇ−ＳＤＩや最近ＳＭＰＴＥで審議が開始された６Ｇ−ＳＤＩや１２Ｇ−ＳＤＩのデータストリームにマッピングして多重部に供給するようにしてもよい。
【０５０３】
例えば、第１の実施の形態及び第２の実施の形態では、８Ｋ信号を３２チャンネルの３Ｇ−ＳＤＩにマッピングすることが可能である。第３の実施の形態では、８Ｋ信号を１６チャンネルの３Ｇ−ＳＤＩにマッピングすることが可能である。第５の実施の形態では、４ＫのＲＡＷ信号を１６チャンネルの３Ｇ−ＳＤＩにマッピングすることが可能である。
【０５０４】
なお、３Ｇ−ＳＤＩは基本的にＨＤ−ＳＤＩをワードインタリーブしたものなので、ＨＤ−ＳＤＩにマッピングした場合と同様の処理により、伝送用データストリームを生成することが可能である。また、補助データ及び余剰画素は、例えば、３Ｇ−ＳＤＩを生成する前のＨＤ−ＳＤＩの水平補助データ領域に多重するようにすればよい。
【０５０５】
また、伝送用データストリームに多重するデータストリーム（ＨＤ−ＳＤＩ、３Ｇ−ＳＤＩ又はベーシックストリーム）の組み合わせは、上述した例に限定されるものではなく、任意に設定することができる。
【０５０６】
例えば、第１の実施の形態では、チャンネル１乃至１６のＨＤ−ＳＤＩから第１レーンの伝送用データストリーム、チャンネル１７乃至３２のＨＤ−ＳＤＩから第２レーンの伝送用データストリーム、チャンネル３３乃至４８のＨＤ−ＳＤＩから第３レーンの伝送用データストリーム、チャンネル４９乃至６４のＨＤ−ＳＤＩから第４レーンの伝送用データストリームを生成する例を示した。
【０５０７】
これに対して、例えば、チャンネル１乃至３２のＨＤ−ＳＤＩから第１レーンと第２レーンの伝送用データストリーム、チャンネル３３乃至６４のＨＤ−ＳＤＩから第３レーンと第４レーンの伝送用データストリームを生成したり、チャンネル１乃至６４のＨＤ−ＳＤＩから第１乃至第４レーンの伝送用データストリームを生成したりすることが可能である。前者の場合、例えば、チャンネル１乃至３２のＨＤ−ＳＤＩを、第１レーンの伝送用データストリームと第２レーンの伝送用データストリームに分けて多重することになる。また、後者の場合、例えば、チャンネル１乃至６４のＨＤ−ＳＤＩを、第１乃至第４レーンの伝送用データストリームに分けて多重することになる。
【０５０８】
また、例えば、チャンネル１乃至３２のＨＤ−ＳＤＩのうち奇数チャンネルのＨＤ−ＳＤＩを第１レーンの伝送用データストリームに多重し、偶数チャンネルのＨＤ−ＳＤＩを第２レーンの伝送用データストリームに多重したりすることが可能である。
【０５０９】
なお、伝送用データストリームに多重するデータストリームの組み合わせの変更に応じて、補助データ及び余剰画素の多重方法も変更される。
【０５１０】
さらに、例えば、第１乃至第６の実施の形態において、奇数チャンネルのＨＤ−ＳＤＩと偶数チャンネルのＨＤ−ＳＤＩを入れ替えるようにすることも可能である。例えば、第１の実施の形態において、偶数チャンネルのＨＤ−ＳＤＩに対してスクランブルを行い、奇数チャンネルのＨＤ−ＳＤＩに対して８Ｂ／１０Ｂ変換を行うようにすることが考えられる。
【０５１１】
さらに、放送用カメラ１１の多重部におけるクロック信号のクロック周波数は、上述した例に限定されるものではない。例えば、１４８．５ＭＨｚの代わりに１４８．５／１．００１ＭＨｚのクロック信号を用いたり、１６７．０６２５ＭＨｚの代わりに１６７．０６２５／１．００１ＭＨｚのクロック信号を用いたり、２９７ＭＨｚの代わりに２９７／１．００１ＭＨｚのクロック信号を用いたりすることが可能である。
【０５１２】
また、データストリーム生成部からＰ／Ｓ変換部１３４に供給するパラレルの伝送用データストリームのワード長は、上述した１６０ビットに限定されるものではない。例えば、８０ビット、４０ビット等のＰ／Ｓ変換部１３４に入力可能なワード長に設定することが可能である。
【０５１３】
この場合、例えば、データストリーム生成部に入力されるデータストリームのビットレートをｘ（ｂｐｓ）とし、データストリーム生成部から出力される伝送用データのワード長をｙビットとした場合、データストリーム生成部が動作するクロック信号のクロック周波数ｚは、ｘ（ｂｐｓ）÷ｙビットに設定すればよい。例えば、データストリーム生成部に入力されるデータストリームのビットレートが１８０ビット×１４８．５ＭＨｚの場合、クロック周波数ｚは、１８０ビット×１４８．５ＭＨｚ÷ｙビットに設定すればよい。また、例えば、データストリーム生成部に入力されるデータストリームのビットレートが１８０ビット×１４８．５／１．００１ＭＨｚの場合、クロック周波数ｚは、１８０ビット×１４８．５／１．００１ＭＨｚ÷ｙビットに設定すればよい。
【０５１４】
［コンピュータの構成例］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０５１５】
図７０は、上述した一連の処理をプログラムにより実行するコンピュータのハードウエアの構成例を示すブロック図である。
【０５１６】
コンピュータにおいて、CPU（Central Processing Unit）１４０１，ROM（Read Only Memory）１４０２，RAM（Random Access Memory）１４０３は、バス１４０４により相互に接続されている。
【０５１７】
バス１４０４には、さらに、入出力インタフェース１４０５が接続されている。入出力インタフェース１４０５には、入力部１４０６、出力部１４０７、記憶部１４０８、通信部１４０９、及びドライブ１４１０が接続されている。
【０５１８】
入力部１４０６は、キーボード、マウス、マイクロフォンなどよりなる。出力部１４０７は、ディスプレイ、スピーカなどよりなる。記憶部１４０８は、ハードディスクや不揮発性のメモリなどよりなる。通信部１４０９は、ネットワークインタフェースなどよりなる。ドライブ１４１０は、磁気ディスク、光ディスク、光磁気ディスク、又は半導体メモリなどのリムーバブルメディア１４１１を駆動する。
【０５１９】
以上のように構成されるコンピュータでは、CPU１４０１が、例えば、記憶部１４０８に記憶されているプログラムを、入出力インタフェース１４０５及びバス１４０４を介して、RAM１４０３にロードして実行することにより、上述した一連の処理が行われる。
【０５２０】
コンピュータ（CPU１４０１）が実行するプログラムは、例えば、パッケージメディア等としてのリムーバブルメディア１４１１に記録して提供することができる。また、プログラムは、ローカルエリアネットワーク、インターネット、デジタル衛星放送といった、有線または無線の伝送媒体を介して提供することができる。
【０５２１】
コンピュータでは、プログラムは、リムーバブルメディア１４１１をドライブ１４１０に装着することにより、入出力インタフェース１４０５を介して、記憶部１４０８にインストールすることができる。また、プログラムは、有線または無線の伝送媒体を介して、通信部１４０９で受信し、記憶部１４０８にインストールすることができる。その他、プログラムは、ROM１４０２や記憶部１４０８に、あらかじめインストールしておくことができる。
【０５２２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０５２３】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０５２４】
さらに、本開示の実施の形態は、上述した実施の形態に限定されるものではなく、本開示の要旨を逸脱しない範囲において種々の変更が可能である。
【０５２５】
例えば、上述のフローチャートで説明した各ステップは、１つの装置で実行する他、複数の装置で分担して実行することができる。
【０５２６】
また、１つのステップに複数の処理が含まれる場合には、その１つのステップに含まれる複数の処理は、１つの装置で実行する他、複数の装置で分担して実行することができる。
【０５２７】
さらに、例えば、本開示は以下のような構成も取ることができる。
【０５２８】
（１）
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と
を備える信号処理装置。
（２）
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
前記（１）に記載の信号処理装置。
（３）
前記マッピング部は、８Ｋの４８Ｐ−６０Ｐ／４：２：２／１０ビットの映像信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット単位でスクランブルを行うとともに、８Ｂ／１０Ｂ変換又はスクランブル後の３２チャンネルの前記第１のＳＤＩデータストリーム又は１６チャンネルの前記第２のＳＤＩデータストリームを多重化することにより、２レーンの前記シリアルのデータストリームを生成する
前記（１）に記載の信号処理装置。
（４）
前記マッピング部は、８Ｋの４８Ｐ−６０Ｐ／４：４：４／１０ビット，１２ビット又は４８Ｐ−６０Ｐ／４：２：２／１２ビットの映像信号をＨＤ−ＳＤＩのフォーマットで規定されるデータストリームである６４チャンネルの第１のＳＤＩデータストリーム、又は、３Ｇ−ＳＤＩのフォーマットで規定されるデータストリームである３２チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位でスクランブルを行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、スクランブル又は８Ｂ／１０Ｂ変換後の６４チャンネルの前記第１のＳＤＩデータストリーム又は３２チャンネルの前記第２のＳＤＩデータストリームを多重化することにより、４レーンの前記シリアルのデータストリームを生成する
前記（１）に記載の信号処理装置。
（５）
前記マッピング部は、４Ｋの４８Ｐ−６０Ｐ／４：４：４／１６ビットのＲＡＷ信号をＨＤ−ＳＤＩのフォーマットで規定されるデータストリームである３２チャンネルの第１のＳＤＩデータストリーム、又は、３Ｇ−ＳＤＩのフォーマットで規定されるデータストリームである１６チャンネルの第２のＳＤＩデータストリームにマッピングし、
前記多重部は、奇数又は偶数のいずれか一方のチャンネルの前記第１のＳＤＩデータストリーム又は前記第２のＳＤＩデータストリームに対して４０ビット単位で８Ｂ／１０Ｂ変換を行い、他方のチャンネルの前記第１のＳＤＩデータストリーム又は前記第２のＳＤＩデータストリームに対して４０ビット毎に３２ビットのデータを抽出し、抽出したデータの８Ｂ／１０Ｂ変換を行うとともに、８Ｂ／１０Ｂ変換後の３２チャンネルの前記第１のＳＤＩデータストリーム又は１６チャンネルの前記第２のＳＤＩデータストリームを多重化することにより、２レーンの前記シリアルのデータストリームを生成する
前記（１）に記載の信号処理装置。
（６）
前記マッピング部は、８Ｋ又は４Ｋの９６Ｐ−１２０Ｐの映像信号を２フレーム単位で複数のチャンネルの前記ＳＤＩデータストリームにマッピングする
前記（１）乃至（５）のいずれかに記載の信号処理装置。
（７）
前記マッピング部は、８Ｋの５０Ｐ−６０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、４レーンの前記シリアルのデータストリームを生成する
前記（１）に記載の信号処理装置。
（８）
前記マッピング部は、８Ｋの１００Ｐ−１２０Ｐ／４：４：４／１０ビット，１２ビットの映像信号をワード長が１２ビットの４８チャンネルの前記ＳＤＩデータストリームにマッピングし、
前記多重部は、４８チャンネルの前記ＳＤＩデータストリームに対して４８ビット単位で８Ｂ／１０Ｂ変換を行い、８Ｂ／１０Ｂ変換後の４８チャンネルの前記ＳＤＩデータストリームを多重化することにより、８レーンの前記シリアルのデータストリームを生成する
前記（１）に記載の信号処理装置。
（９）
前記多重部は、前記シリアルのデータストリームのレーン数だけ設けられ、
各前記多重部は、
それぞれ１つの前記ＳＤＩデータストリームが入力され、入力された前記ＳＤＩデータストリームに対して所定のビット単位で８Ｂ／１０Ｂ変換又はスクランブルを行い、所定のビットのデータブロックを生成する複数の信号処理部と、
複数の前記信号処理部により生成された前記データブロックを所定の順序で多重化することにより、所定のワード長のパラレルのデータストリームを生成するデータストリーム生成部と、
前記パラレルのデータストリームをパラレル／シリアル変換することにより、前記シリアルのデータストリームを生成するパラレル／シリアル変換部と
を備える前記（１）乃至（８）のいずれかに記載の信号処理装置。
（１０）
複数の前記信号処理部は、１４８．５ＭＨｚ又は１４８．５／１．００１ＭＨｚのクロック信号に同期して処理を行うとともに、４クロック毎に合計で７２０ビットのデータを出力し、
前記データストリーム生成部は、ｘＭＨｚのクロック信号に同期して動作するとともに、１クロック毎に１８０ビット×１４８．５ＭＨｚ÷ｘＭＨｚ（ビット）又は１８０ビット×１４８．５／１．００１ＭＨｚ÷ｘＭＨｚ（ビット）のパラレルのデータを出力する
前記（９）に記載の信号処理装置。
（１１）
前記データストリーム生成部は、前記シリアルのデータストリームの各ラインの先頭に所定の同期信号を多重する
前記（９）に記載の信号処理装置。
（１２）
前記マッピング部は、各前記ＳＤＩデータストリームの水平補助データ領域内に音声データを含む補助データを多重する領域を確保し、前記水平補助データ領域の残りの領域に、前記８Ｋ又は４Ｋの映像データの水平方向の余剰画素領域の画素サンプルのデータを多重する
前記（１）乃至（１１）のいずれかに記載の信号処理装置。
（１３）
前記マッピング部は、複数のチャンネルのうちの所定のチャンネルの前記ＳＤＩデータストリームの水平補助データ領域に音声データを含む補助データを多重し、前記補助データを多重するチャンネルと異なるチャンネルの前記ＳＤＩデータストリームの前記水平補助データ領域に、前記８Ｋ又は４Ｋの映像データの水平方向の余剰画素領域の画素サンプルのデータを多重する
前記（１）乃至（１１）のいずれかに記載の信号処理装置。
（１４）
複数のレーンの前記シリアルのデータストリームを波長多重して１００Ｇｂｐｓのイーサネット用デバイスを介して送信するように制御する送信制御部を
さらに備える前記（１）乃至（１３）のいずれかに記載の信号処理装置。
（１５）
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む信号処理方法。
（１６）
８Ｋ又は４Ｋの映像信号を所定のＳＤＩ（Serial Digital Interface）のフォーマットで規定されるデータストリームである複数のチャンネルのＳＤＩデータストリームにマッピングし、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する
ステップを含む処理をコンピュータに実行させるためのプログラム。
（１７）
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号処理装置。
（１８）
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む信号処理方法。
（１９）
８Ｋ又は４Ｋの映像信号を所定のＳＤＩ（Serial Digital Interface）のフォーマットで規定されるデータストリームである複数のチャンネルのＳＤＩデータストリームにマッピングし、複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより生成される、ビットレートが２５Ｇｂｐｓから２８．３Ｇｂｐｓの範囲内の複数のレーンのシリアルのデータストリームから、複数のチャンネルの前記ＳＤＩデータストリームを再生し、
複数のチャンネルの前記ＳＤＩデータストリームから前記８Ｋ又は４Ｋの映像信号を再生する
ステップを含む処理をコンピュータに実行させるためのプログラム。
（２０）
８Ｋ又は４Ｋの映像信号を所定のＳＤＩ（Serial Digital Interface）のフォーマットで規定されるデータストリームである複数のチャンネルのＳＤＩデータストリームにマッピングするマッピング部と、
複数のチャンネルの前記ＳＤＩデータストリームに対して所定のビット単位で８Ｂ／１０Ｂ変換又はスクランブルを行い、８Ｂ／１０Ｂ変換又はスクランブル後の複数のチャンネルの前記ＳＤＩデータストリームを多重化することにより、ビットレートが２５Ｇｂｐｓから２８．３Ｇｂｐｓの範囲内の複数のレーンのシリアルのデータストリームを生成する多重部と、
複数のレーンの前記シリアルのデータストリームの送信を制御する送信制御部と
を備える信号送信装置と、
複数のレーンの前記シリアルのデータストリームの受信を制御する受信制御部と、
複数のレーンの前記シリアルのデータストリームから、複数のチャンネルの前記ＳＤＩデータストリームを再生するデータストリーム再生部と、
複数のチャンネルの前記ＳＤＩデータストリームから前記８Ｋ又は４Ｋの映像信号を再生する映像再生部と
を備える信号受信装置と
を含む信号伝送システム。
【符号の説明】
【０５２９】
１  信号伝送システム，  １１−１乃至１１−ｎ，１１ａ乃至１１ｆ  放送用カメラ，  １２，１２ａ乃至１２ｆ  ＣＣＵ，  １３−１乃至１３−ｎ  光ファイバケーブル，  １０１  撮像素子，  １０２  信号処理部，  １０３  送信制御部，  １１１  マッピング部，  １１２−１乃至１１２−４  多重部，  １３１−１乃至１３１−８  スクランブル部，  １３２−１乃至１３２−８  ８Ｂ／１０Ｂ変換部，  １３３  データストリーム生成部，  １３４  Ｐ／Ｓ変換部，  １４２−１乃至１４２−８  ＴＲＳ検出部，  １４４−１乃至１４４−８  スクランブラ，  １５２−１乃至１５２−８  ＴＲＳ検出部，  １５４−１乃至１５４−８  ８Ｂ／１０Ｂエンコーダ，  １７１  バッファ，  １７２  スタッフィングデータ出力部，  １７３  ワード同期信号出力部，  ２０１  受信制御部，  ２０２  信号処理部，  ２１１  Ｓ／Ｐ変換・クロック再生部，  ２１２  ワード同期検出・データストリーム再生部，  ２１３  映像再生部，  ２５１Ｓ−１乃至２５１Ｒ−２  光モジュール，  ２６１Ｓ，２６１Ｒ  光サーキュレータ，  ２７１−１，２７１−２  光ファイバ，  ３０１  信号処理部，  ３１１−１乃至３１１−４  多重部，  ３３１−１乃至３３１−８  ８Ｂ／１０Ｂ変換部，  ３３２  データストリーム生成部，  ３４２−１乃至３４２−８  ＴＲＳ検出部，  ３４４−１乃至３４４−８  ８Ｂ／１０Ｂエンコーダ，  ４０１  信号処理部，  ４１１  ワード同期検出・データストリーム再生部，  ５０１  撮像素子，  ５０２  信号処理部，  ５１１  マッピング部，  ５１２−１，５１２−２  多重部，  ６０１  信号処理部，  ６１１  ワード同期検出・データストリーム再生部，  ６１２  映像再生部，  ７０１  撮像素子，  ７０２  信号処理部，  ７１１  マッピング部，  ７１２−１，７１２−２  多重部，  ７３１−１乃至７３１−８  ８Ｂ／１０Ｂ変換部，  ７４１−１乃至７４１−８  ８Ｂ／１０Ｂエンコーダ，  ８０１  信号処理部，  ８１１  ワード同期検出・データストリーム再生部，  ８１２  映像再生部，  ９０１  撮像素子，  ９０２  信号処理部，  ９１１  マッピング部，  ９１２−１乃至９１２−４  多重部，  ９３１−１乃至９３１−１２  ８Ｂ／１０Ｂ変換部，  ９３２  データストリーム生成部，  ９４２−１乃至９４２−１２  ＴＲＳ検出部，  ９４４−１乃至９４４−１２  ８Ｂ／１０Ｂエンコーダ，  １００１  信号処理部，  １０１１  ワード同期検出・データストリーム再生部，  １０１２  映像再生部，  １１０１  撮像素子，  １１０２  信号処理部，  １１１１  マッピング部，  １１１２−１乃至１１１２−８  多重部，  １１３１  データストリーム生成部，  １２０１  信号処理部，  １２１１  ワード同期検出・データストリーム再生部，  １２１２  映像再生部
【図１】
2015076704.tif 000003
【図２】
2015076704.tif 000004
【図３】
2015076704.tif 000005
【図４】
2015076704.tif 000006
【図５】
2015076704.tif 000007
【図６】
2015076704.tif 000008
【図７】
2015076704.tif 000009
【図８】
2015076704.tif 000010
【図９】
2015076704.tif 000011
【図１０】
2015076704.tif 000012
【図１１】
2015076704.tif 000013
【図１２】
2015076704.tif 000014
【図１３】
2015076704.tif 000015
【図１４】
2015076704.tif 000016
【図１５】
2015076704.tif 000017
【図１６】
2015076704.tif 000018
【図１７】
2015076704.tif 000019
【図１８】
2015076704.tif 000020
【図１９】
2015076704.tif 000021
【図２０】
2015076704.tif 000022
【図２１】
2015076704.tif 000023
【図２２】
2015076704.tif 000024
【図２３】
2015076704.tif 000025
【図２４】
2015076704.tif 000026
【図２５】
2015076704.tif 000027
【図２６】
2015076704.tif 000028
【図２７】
2015076704.tif 000029
【図２８】
2015076704.tif 000030
【図２９】
2015076704.tif 000031
【図３０】
2015076704.tif 000032
【図３１】
2015076704.tif 000033
【図３２】
2015076704.tif 000034
【図３３】
2015076704.tif 000035
【図３４】
2015076704.tif 000036
【図３５】
2015076704.tif 000037
【図３６】
2015076704.tif 000038
【図３７】
2015076704.tif 000039
【図３８】
2015076704.tif 000040
【図３９】
2015076704.tif 000041
【図４０】
2015076704.tif 000042
【図４１】
2015076704.tif 000043
【図４２】
2015076704.tif 000044
【図４３】
2015076704.tif 000045
【図４４】
2015076704.tif 000046
【図４５】
2015076704.tif 000047
【図４６】
2015076704.tif 000048
【図４７】
2015076704.tif 000049
【図４８】
2015076704.tif 000050
【図４９】
2015076704.tif 000051
【図５０】
2015076704.tif 000052
【図５１】
2015076704.tif 000053
【図５２】
2015076704.tif 000054
【図５３】
2015076704.tif 000055
【図５４】
2015076704.tif 000056
【図５５】
2015076704.tif 000057
【図５６】
2015076704.tif 000058
【図５７】
2015076704.tif 000059
【図５８】
2015076704.tif 000060
【図５９】
2015076704.tif 000061
【図６０】
2015076704.tif 000062
【図６１】
2015076704.tif 000063
【図６２】
2015076704.tif 000064
【図６３】
2015076704.tif 000065
【図６４】
2015076704.tif 000066
【図６５】
2015076704.tif 000067
【図６６】
2015076704.tif 000068
【図６７】
2015076704.tif 000069
【図６８】
2015076704.tif 000070
【図６９】
2015076704.tif 000071
【図７０】
2015076704.tif 000072